(57)【要約】  電気コネクタは、一列の信号接点と、信号接点から内向きに配置された接地シールドと、を有する。信号接点および接地接点のそれぞれは、第１のセグメントおよび第２のセグメントを有する。各第１のセグメントは、第１の電気構成要素に装着可能な装着端部を画定し、各第２のセグメントは、第２の電気構成要素と嵌合可能な嵌合端部を画定する。各信号接点および接地接点の第１および第２のセグメントは、第１のセグメントと第２のセグメントとの間に７５°〜１０５°の角度を定めるように、互いから角度的にオフセットされている。各信号接点および接地接点の第１および第２のセグメントは、互いに連結されて、角度を定めることができる。代替的に、信号接点および接地接点は、信号接点および接地接点と交差する共通の曲げ線に沿って曲げることができる。
2021500721.tif 000002
【特許請求の範囲】
【請求項１】
電気コネクタ用の電気接点において、
互いに対向する第１の対のブロードサイドと、互いに対向し、前記第１の対のブロードサイドの間に延びる第１の対のエッジと、第１の電気構成要素に装着されるように構成された装着端部と、前記装着端部からオフセットされた第１の連結端部と、を有する、第１のセグメントであって、前記第１の連結端部は、少なくとも１つの第１の連結特徴部を画定する、第１のセグメントと、
互いに対向する第２の対のブロードサイドと、互いに対向し、前記第２の対のブロードサイドの間に延びる第２の対のエッジと、第２の電気構成要素と嵌合するように構成された嵌合端部と、前記嵌合端部からオフセットされた第２の連結端部と、を有する、第２のセグメントであって、前記第２の連結端部は、少なくとも１つの第２の連結特徴部を画定する、第２のセグメントと、
を含み、
前記少なくとも１つの第１の連結特徴部および前記少なくとも１つの第２の連結特徴部は、電気接点が、前記第１のセグメントと前記第２のセグメントとの間に７５°〜１０５°の角度を定めるように、かつ前記第１および第２のセグメントが、前記装着端部と前記嵌合端部との間に連続的な導電経路を画定するように、互いに連結されている、電気接点。
【請求項２】
前記少なくとも１つの第１の連結特徴部および前記少なくとも１つの第２の連結特徴部は、互いに溶接されている、請求項１に記載の電気接点。
【請求項３】
前記角度は約９０°である、請求項１または２に記載の電気接点。
【請求項４】
前記第１および第２の連結特徴部のうちの一方は、前記第１および第２のセグメントのそれぞれの前記ブロードサイドのうちの少なくとも１つの中に延びる開口部であり、前記第１および第２の連結特徴部のうちの他方は、前記開口部内に受容されるように構成される突起である、請求項１または２に記載の電気接点。
【請求項５】
前記開口部は、前記第１および第２のセグメントの前記それぞれを完全に貫通して延びる、請求項４に記載の電気接点。
【請求項６】
前記開口部は、ある方向に沿った厚さを有し、前記突起は、前記突起が前記開口部を完全に貫通して延びるように、前記厚さよりも大きい、前記方向に沿った長さを有する、請求項５に記載の電気接点。
【請求項７】
前記開口部は、前記第１および第２のセグメントの前記それぞれを完全に貫通して延びることなく、前記第１および第２のセグメントの前記それぞれを部分的に通って延び、前記突起は、前記第１および第２のセグメントの前記それぞれを完全に貫通して延びることなく、前記開口部内に受容されている、請求項４に記載の電気接点。
【請求項８】
前記電気接点は接地接点であり、前記第１のセグメントは第１の接地板であり、前記第２のセグメントは第２の接地板である、請求項１から７のいずれか一項に記載の電気接点。
【請求項９】
前記少なくとも１つの第１の連結特徴部は、横方向に沿って互いから離間された複数の第１の連結特徴部を含み、前記少なくとも１つの第２の連結特徴部は、前記横方向に沿って互いから離間された複数の第２の連結特徴部を含む、請求項８に記載の電気接点。
【請求項１０】
前記第１の連結特徴部のうちの少なくともいくつかは、対をなして配置され、前記対は、各対における前記第１の連結特徴部間の距離よりも大きい距離だけ、前記横方向に沿って互いから離間され、前記第２の連結特徴部のうちの少なくともいくつかは、対をなして配置され、前記対は、各対における前記第２の連結特徴部間の距離よりも大きい距離だけ、前記横方向に沿って互いから配置されている、請求項９に記載の電気接点。
【請求項１１】
前記装着端部は、横方向に沿って互いから離間された複数の装着特徴部を含み、前記嵌合端部は、前記横方向に沿って互いから離間された複数の嵌合特徴部を含む、請求項１から１０のいずれか一項に記載の電気接点。
【請求項１２】
前記装着特徴部のうちの少なくともいくつかは、対をなして配置され、前記対は、各対における前記装着特徴部間の距離よりも大きい距離だけ、横方向に沿って互いから離間されている、請求項１１に記載の電気接点。
【請求項１３】
前記電気接点は、信号接点である、請求項１から７のいずれか一項に記載の電気接点。
【請求項１４】
前記嵌合端部は、ビーム本体と、前記ビーム本体から角度的にオフセットされたスタブと、を有する可撓性の接点ビームを含み、前記ビーム本体および前記スタブは、第２の電気コネクタが前記可撓性の接点ビームと嵌合する際に前記第２の電気コネクタの対応する電気接点に対してこすりつけられるように構成されたエルボにおいて互いに隣接している、請求項１３に記載の電気接点。
【請求項１５】
角度付きコネクタ用の複数の電気接点において、
横方向に沿って列をなして互いから離間された複数の信号接点であって、各信号接点は、
第１の電気構成要素に装着されるように構成された信号装着端部と、前記信号装着端部からオフセットされた第１の信号連結端部と、を有する第１の信号セグメントと、
第２の電気構成要素と嵌合するように構成された信号嵌合端部と、前記信号嵌合端部からオフセットされた第２の信号連結端部と、を有する第２の信号セグメントと、
を含み、前記第２の信号連結端部は、前記信号接点が前記第１の信号セグメントと前記第２の信号セグメントとの間に７５°〜１０５°の角度を定めるように、また、前記信号装着端部から前記信号嵌合端部まで連続的な導電経路を画定するように、前記第１の信号連結端部に連結されている、複数の信号接点と、
前記横方向に垂直な内向き−外向き方向に沿って前記信号接点から離間している接地シールドであって、
第１の電気構成要素に装着されるように構成された接地装着端部と、前記接地装着端部からオフセットされた第１の接地連結端部と、を有する第１の接地セグメントと、
第２の電気構成要素と嵌合するように構成された接地嵌合端部と、前記接地嵌合端部からオフセットされた第２の接地連結端部と、を有する第２の接地セグメントと、
を含み、前記第２の接地連結端部は、前記接地シールドが前記第１の接地セグメントと前記第２の接地セグメントとの間に７５°〜１０５°の角度を定めるように、また、前記接地装着端部から前記接地嵌合端部まで連続的な導電経路を画定するように、前記第１の接地連結端部に連結されている、接地シールドと、
を含む、複数の電気接点。
【請求項１６】
各信号接点の前記第１および第２の信号セグメントは互いに溶接され、前記接地接点の前記第１および第２の接地セグメントは互いに溶接されている、請求項１５に記載の複数の電気接点。
【請求項１７】
各信号接点の前記第１および第２の信号セグメントは、前記信号接点の前記第１および第２の信号セグメントを互いに連結する、第１および第２の連結特徴部をそれぞれ画定し、
前記第１および第２の接地セグメントは、前記第１および第２の接地セグメントを互いに連結する、少なくとも第１および第２の連結特徴部をそれぞれ画定する、請求項１５または１６に記載の複数の電気接点。
【請求項１８】
各信号接点の前記第１および第２の連結特徴部のうちの一方は、開口部を画定し、各信号接点の前記第１および第２の連結特徴部のうちの他方は、前記開口部内に受容される突起を画定し、
前記接地接点の前記第１および第２の連結特徴部のうちの一方は、開口部を画定し、前記接地接点の前記第１および第２の連結特徴部のうちの他方は、前記接地接点の前記開口部内に受容される突起を画定する、請求項１７に記載の角度付き電気コネクタ。
【請求項１９】
前記信号接点のそれぞれの前記開口部は、前記信号接点の前記第１および第２の信号セグメントのそれぞれを完全に貫通して延び、前記接地接点の前記開口部は、前記接地接点の前記第１および第２の接地セグメントのそれぞれを完全に貫通して延びる、請求項１８に記載の角度付き電気コネクタ。
【請求項２０】
各信号接点の前記突起は、前記信号接点の前記開口部を完全に貫通して延び、前記接地接点の前記突起は、前記接地接点の前記開口部を完全に貫通して延びる、請求項１９に記載の角度付き電気コネクタ。
【請求項２１】
前記コネクタは、２７ＧＨｚでの約５４ギガビット／秒から４０ＧＨｚでの約８０ギガビット／秒の間の速度で、前記電気接点の前記嵌合端部と前記装着端部との間でデータ信号を転送するように構成されている、請求項１９に記載の角度付き電気コネクタ。
【請求項２２】
前記電気コネクタは、８．５ピコ秒の立ち上がり時間（１０パーセントから９０パーセント）で４０ＧＨｚにかけて−４０ｄＢ〜−８０ｄＢである近端クロストーク電力和を有する、請求項２１に記載の角度付き電気コネクタ。
【請求項２３】
前記電気コネクタは、８．５ピコ秒の立ち上がり時間（１０パーセントから９０パーセント）で４０ＧＨｚにかけて−４０ｄＢ〜−８０ｄＢである遠端クロストーク電力和を有する、請求項２１または２２に記載の角度付き電気コネクタ。
【請求項２４】
前記電気コネクタは、２７ＧＨｚにかけて０〜−２ｄＢの範囲、また４０ＧＨｚにかけて０〜−４ｄＢの範囲の差動挿入損失を有する、請求項２１から２３のいずれか一項に記載の角度付き電気コネクタ。
【請求項２５】
角度付き電気コネクタを組み立てる方法において、
電気接点の少なくとも１つのバンクを電気コネクタのハウジングに取り付けることを含み、各バンクは、横方向に沿って一列に配置された複数の信号接点と、前記横方向に垂直な内向き−外向き方向に沿って信号接点からオフセットされた接地シールドと、を含み、各バンクについて取り付けることは、
各信号接点について、前記信号接点の第１の信号セグメントを前記信号接点の第２の信号セグメントに連結して、前記第１の信号セグメントと前記第２の信号セグメントとの間に７５°〜１０５°の角度を定め、前記第１の信号セグメントの装着端部から前記第２の信号セグメントの嵌合端部まで連続した導電経路を画定することと、
前記接地シールドの第１の接地セグメントを前記接地シールドの第２の接地セグメントに連結して、前記第１の接地セグメントと前記第２の接地セグメントとの間に７５°〜１０５°の角度を定め、前記第１の接地セグメントの装着端部から前記第２の接地セグメントの嵌合端部まで連続した導電経路を画定することと、
を含む、方法。
【請求項２６】
前記第１の信号セグメントを前記第２の信号セグメントに連結することは、前記第１および第２の信号セグメントのうちの一方の突起を、前記第１および第２の信号セグメントのうちの他方の開口部に受容することを含み、
前記第１の接地セグメントを前記第２の接地セグメントに連結することは、前記第１および第２の接地セグメントのうちの一方の突起を、前記第１および第２の接地セグメントのうちの他方の開口部に受容することを含む、請求項２５に記載の方法。
【請求項２７】
前記第１の信号セグメントを前記第２の信号セグメントに連結することは、前記第１および第２の信号セグメントを互いに溶接することを含み、
前記第１の接地セグメントを前記第２の接地セグメントに連結することは、前記第１および第２の接地セグメントを互いに溶接することを含む、請求項２５または２６に記載の方法。
【請求項２８】
前記第１および第２の信号セグメントを溶接することは、前記第１および第２の信号セグメントのうちの一方の連結特徴部を溶融させて、前記連結特徴部を前記第１および第２の信号セグメントのうちの他方に接合することを含む、請求項２７に記載の方法。
【請求項２９】
前記連結特徴部は、前記第１および第２の信号セグメントのうちの他方を通って延びる突起である、請求項２８に記載の方法。
【請求項３０】
前記方法は、
連結するステップの前に、前記バンクの第２のリードフレームを前記ハウジングのレセプタクルに挿入することであって、前記第２のリードフレームは、前記第２の信号セグメントおよび前記第２の接地セグメントを含む、ことと、
前記第１の信号セグメントおよび前記第１の接地セグメントを含む第１のリードフレームを前記第２のリードフレームに連結することであって、前記第１の信号セグメントを前記第２の信号セグメントに連結するステップと、前記第１の接地セグメントを前記第２の接地セグメントに連結するステップと、を含む、ことと、
を含む、請求項２５に記載の方法。
【請求項３１】
前記少なくとも１つのバンクは、第１および第２のバンクを含み、
前記方法は、前記第２のバンクが、前記横方向に垂直な外向き方向に沿って前記第１のバンクから離間するように、前記第１のバンクの後に前記第２のバンクを取り付けることを含む、請求項２５に記載の方法。
【請求項３２】
前記第１の接地セグメントを前記第２の接地セグメントに連結するステップは、前記第２の接地セグメントに対して７５°〜１０５°の前記角度で前記第１の接地セグメントを配向するように、前記第１の接地セグメントを前記ハウジングの当接表面に当接させることを含む、請求項２５に記載の方法。
【請求項３３】
角度付き電気コネクタにおいて、
横方向に沿って列に沿って配列されている複数の信号接点であって、各信号接点は、信号装着端部と、前記信号装着端部からオフセットされた信号嵌合端部と、前記信号装着端部から前記信号嵌合端部に向かって延びる第１の信号セグメントと、前記信号嵌合端部から前記信号装着端部に向かって延びる第２の信号セグメントと、を含み、前記第１および第２の信号セグメントは、７５°〜１０５°の角度だけ互いから角度的にオフセットされている、複数の信号接点と、
接地嵌合端部と、前記接地嵌合端部からオフセットされた接地装着端部と、前記接地装着端部から前記接地嵌合端部に向かって延びる第１の接地セグメントと、前記接地嵌合端部から前記接地装着端部に向かって延びる第２の接地セグメントと、を有する接地シールドであって、前記第１および第２の接地セグメントは、７５°〜１０５°の角度だけ互いから角度的にオフセットされ、前記接地シールドは、前記第１の接地セグメントと前記第２の接地セグメントとの間の前記角度を定める前記接地シールドのエルボにおいて複数の窓を画定する、接地シールドと、
を含み、
前記接地シールドは、前記窓のそれぞれが内向き−外向き方向に沿って前記信号接点のうちの少なくとも１つと整列するように、前記信号接点に対して配置されている、角度付き電気コネクタ。
【請求項３４】
各信号接点の前記第１および第２の信号セグメントは、前記信号接点の前記信号装着端部と前記信号嵌合端部との間に連続的な導電経路を形成するように互いに連結され、
前記第１および第２の接地セグメントは、前記接地シールドの前記接地装着端部と前記接地嵌合端部との間に連続的な導電経路を形成するように互いに連結されている、請求項３３に記載の角度付き電気コネクタ。
【請求項３５】
各信号接点の前記第１および第２の信号セグメントは互いに溶接され、前記接地接点の前記第１および第２の接地セグメントは互いに溶接されている、請求項３４に記載の角度付き電気コネクタ。
【請求項３６】
各信号接点の前記第１および第２の信号セグメントは、前記信号接点の前記第１および第２の信号セグメントを互いに連結する、第１および第２の連結特徴部をそれぞれ画定し、
前記第１および第２の接地セグメントは、前記第１および第２の接地セグメントを互いに連結する、少なくとも第１および第２の連結特徴部をそれぞれ画定する、請求項３４または３５に記載の角度付き電気コネクタ。
【請求項３７】
各信号接点の前記第１および第２の連結特徴部のうちの一方は、開口部を画定し、各信号接点の前記第１および第２の連結特徴部のうちの他方は、前記開口部内に受容される突起を画定し、
前記接地接点の前記第１および第２の連結特徴部のうちの一方は、開口部を画定し、前記接地接点の前記第１および第２の連結特徴部のうちの他方は、前記接地接点の前記開口部内に受容される突起を画定する、請求項３６に記載の角度付き電気コネクタ。
【請求項３８】
前記信号接点のそれぞれの前記開口部は、前記信号接点の前記第１および第２の信号セグメントのそれぞれを完全に貫通して延び、前記接地接点の前記開口部は、前記接地接点の前記第１および第２の接地セグメントのそれぞれを完全に貫通して延びる、請求項３７に記載の角度付き電気コネクタ。
【請求項３９】
各信号接点の前記突起は、前記信号接点の前記開口部を完全に貫通して延び、前記接地接点の前記突起は、前記接地接点の前記開口部を完全に貫通して延びる、請求項３８に記載の角度付き電気コネクタ。
【請求項４０】
前記第１の接地セグメントは、前記横方向に沿って互いから離間している複数の第１の連結特徴部を画定し、前記第２の接地セグメントは、前記横方向に沿って互いから離間している複数の第２の連結特徴部を画定し、各窓は、前記接地接点の前記第１の連結特徴部のうちの２つの間、および前記接地接点の前記第２の連結特徴部のうちの２つの間で、前記横方向に関して整列された位置に画定されている、請求項３６に記載の角度付き電気コネクタ。
【請求項４１】
前記信号接点および前記接地接点は、前記窓、前記信号接点、および前記接地接点と交差する共通の曲げ線に沿って、前記横方向に沿って曲げられている、請求項３３に記載の角度付き電気コネクタ。
【請求項４２】
各信号接点は、前記信号接点の前記第１の信号セグメントと前記第２の信号セグメントとの間に延びる中間信号セグメントを含み、前記信号接点は、ｉ）各中間信号セグメントが、前記横方向に沿って前記接地シールドと位置合わせされるように前記窓のうちの１つに受容され、ｉｉ）各第１および第２の信号セグメントが、前記内向き−外向き方向に沿って前記接地シールドからオフセットされるように、配置されている、請求項４１に記載の角度付き電気コネクタ。
【請求項４３】
前記窓のそれぞれは、一対の前記信号接点の前記中間信号セグメントを受容する、請求項４１に記載の角度付き電気コネクタ。
【請求項４４】
各信号接点について、前記信号接点の前記中間信号セグメントは、前記横方向に沿った前記信号接点の第１の信号エッジから前記信号接点の第２の信号エッジまでの幅を有し、前記幅は、前記横方向に沿った前記信号接点の前記第１および第２の信号セグメントのそれぞれの幅よりも大きい、請求項４１に記載の角度付き電気コネクタ。
【請求項４５】
各信号接点の前記装着端部は、信号装着特徴部を含み、前記接地装着端部は、複数の接地装着特徴部を含み、前記信号装着特徴部および前記接地装着特徴部は、前記横方向に沿って互いに並んでいる、請求項４１に記載の角度付き電気コネクタ。
【請求項４６】
角度付き電気コネクタ用の複数の電気接点において、
複数の信号接点であって、それぞれが、
ｉ）信号装着端部、前記信号装着端部からオフセットされた信号嵌合端部、前記信号装着端部から前記信号嵌合端部に向かって延びる第１の信号セグメント、前記信号嵌合端部から前記信号装着端部に向かって延びる第２の信号セグメント、および前記第１の信号セグメントから前記第２の信号セグメントに延びる中間信号セグメント、
ｉｉ）横方向に沿って互いに対向する第１および第２の信号エッジ、ならびに前記横方向に垂直な内向き−外向き方向に沿って互いに対向する第１および第２の信号ブロードサイド、
を含み、前記中間信号セグメントは、前記内向き−外向き方向に沿って前記第１および第２の信号セグメントのそれぞれに対して方向を変えられている、複数の信号接点と、
接地嵌合端部および接地装着端部を有する接地シールドであって、前記接地シールドは、前記接地シールドの屈曲領域において少なくとも１つの窓を画定し、各窓は、前記接地シールドを通って延びる、接地シールドと、
を含み、
前記信号接点は、１）前記横方向に沿って延びる共通の曲げ線が前記窓、前記信号接点、および前記接地シールドと交差するように、前記中間信号セグメントが前記少なくとも１つの窓内に受容され、２）前記第１および第２の信号セグメントが、前記内向き−外向き方向に沿って前記接地シールドからオフセットされるように、配置されている、複数の電気接点。
【請求項４７】
前記信号接点は、前記少なくとも１つの窓のそれぞれが一対の前記信号接点の前記中間信号セグメントを受容するように配置されている、請求項４６に記載の複数の電気接点。
【請求項４８】
各信号接点について、前記信号接点の前記中間信号セグメントは、前記横方向に沿った前記信号接点の前記第１の信号エッジから前記信号接点の前記第２の信号エッジまでの幅を有し、前記幅は、前記横方向に沿った前記第１および第２の信号セグメントのそれぞれの幅よりも大きい、請求項４６に記載の複数の電気接点。
【請求項４９】
各信号接点は、その信号装着端部からその信号嵌合端部まで延びるにつれて細長い、請求項４６に記載の複数の電気接点。
【請求項５０】
前記接地装着端部は、前記横方向に沿って互いから離間される複数の接地装着特徴部を含み、前記信号接点のそれぞれの前記信号装着端部は、信号接点装着特徴部を含み、前記信号接点装着特徴部は、互いに、また前記横方向に沿って前記接地装着特徴部と並んでいる、請求項４６に記載の複数の電気接点。
【請求項５１】
前記信号接点装着特徴部の各対は、２つの前記接地装着特徴部の間に配置されている、請求項５０に記載の複数の電気接点。
【請求項５２】
各信号接点の前記嵌合端部は、信号接点ビームを含み、前記接地シールドは、前記接地嵌合端部に隣接し、前記横方向に沿って互いから離間している複数の嵌合端部開口部を画定し、前記接点ビームのそれぞれは、各信号接点ビームが前記嵌合端部開口部のうちの対応する１つの中に偏向するように構成されるように、選択方向に沿って前記嵌合端部開口部の１つと整列されている、請求項４６に記載の複数の電気接点。
【請求項５３】
前記横方向に沿って配向され、前記接地シールドを通過せずに前記中間信号セグメントを通過する直線が存在しない、請求項４６に記載の複数の電気接点。
【請求項５４】
前記接地シールドは、前記接地シールドを通って延びる複数の窓を画定し、前記窓のそれぞれは、前記複数の信号接点のうちの隣接する信号接点の対の前記中間信号セグメントを受容するような大きさにされている、請求項４６に記載の複数の電気接点。
【請求項５５】
前記曲げ線の周囲で曲げられる前に、前記中間信号セグメントはそれぞれ、前記接地シールドと同一面内にある、請求項４６に記載の複数の電気接点。
【請求項５６】
前記接地シールドは、直線状構成にある、請求項４６に記載の複数の電気接点。
【請求項５７】
前記接地シールドは、前記接地装着端部から前記接地嵌合端部に向かって延びる第１の接地セグメントと、前記接地嵌合端部から前記接地装着端部に向かって延びる第２の接地セグメントと、を含み、前記少なくとも１つの窓は、前記第１の接地セグメントと前記第２の接地セグメントとの間に画定されている、請求項４６に記載の複数の電気接点。
【請求項５８】
前記接地シールドおよび前記信号接点は、各信号接点の前記第１および第２の信号セグメントが７５°〜１０５°の角度だけ互いから角度的にオフセットされるように、共通の曲げ線に沿って曲げられている、請求項４６に記載の複数の電気信号接点。
【請求項５９】
各信号接点および前記接地シールドは、前記信号中間信号セグメントを通って前記横方向に沿って延びる屈曲領域を画定し、前記少なくとも１つの窓はそれぞれ、前記屈曲領域に配置されている、請求項４６に記載の複数の電気接点。
【請求項６０】
リードフレーム組立体において、
請求項４６から５９のいずれか一項に記載の電気接点と、
前記電気接点を隣接位置に支持する少なくとも１つの誘電体または電気絶縁インサート本体と、
を含む、リードフレーム組立体。
【請求項６１】
前記少なくとも１つの誘電体または電気絶縁インサート本体は、前記第１の信号セグメントを支持する第１のインサート本体と、前記第２の信号セグメントを支持する第２のインサート本体と、を備え、前記第１および第２のインサート本体は、互いからオフセットされている、請求項６０に記載のリードフレーム組立体。
【請求項６２】
前記電気接点は、前記第１のインサート本体と前記第２のインサート本体との間の間隙に屈曲領域を画定する、請求項６１に記載のリードフレーム組立体。
【請求項６３】
前記間隙内に配置されるように構成されたカバー本体を有する誘電体または電気絶縁カバーを備える、請求項６２に記載のリードフレーム組立体。
【請求項６４】
電気コネクタにおいて、
請求項４６から６３のいずれか一項に記載の第１の複数の電気接点と、
前記第１の複数の電気接点を支持するように構成された誘電体または電気絶縁ハウジングと、
を含む、電気コネクタ。
【請求項６５】
請求項４６から６３のいずれか一項に記載の第２の複数の電気接点を含み、前記誘電体または電気絶縁ハウジングは、前記第２の複数の電気接点を支持するように構成されている、請求項６４に記載の電気コネクタ。
【請求項６６】
前記誘電体または電気絶縁ハウジングは、前記第２の複数の電気接点が前記第１の複数の電気接点から内向きに離間されるように、前記第２の複数の電気接点を支持するように構成されている、請求項６５に記載の電気コネクタ。
【請求項６７】
角度付き電気コネクタ用の電気接点を形成する方法において、
複数の信号接点および接地シールドを配置することであって、１）前記信号接点は、横方向に沿って列をなして離間され、２）各信号接点の第１および第２の信号セグメントは、前記横方向に垂直な内向き−外向き方向に沿って前記接地シールドから離間され、各第１の信号セグメントは、前記信号接点のうちのそれぞれの装着端部を画定し、各第２の信号セグメントは、前記信号接点のうちのそれぞれの嵌合端部を画定し、３）前記信号接点それぞれの中間セクションは、前記接地シールドの複数の窓のうちの１つに受容される、ことと、
前記信号接点および前記接地シールドを、前記窓、前記信号接点、および前記接地シールドと交差する共通の曲げ線の周りで曲げることと、
を含む、方法。
【請求項６８】
角度付き電気コネクタにおいて、
横方向に沿って列に沿って配置された複数の信号接点を含み、各信号接点は、信号装着端部と、前記信号装着端部からオフセットされた信号嵌合端部と、前記信号装着端部から前記信号嵌合端部に向かって延びる第１の信号セグメントと、前記信号嵌合端部から前記信号装着端部に向かって延びる第２の信号セグメントと、を含み、前記第１および第２の信号セグメントは、約７５°〜１０５°の角度だけ互いから角度的にオフセットされており、前記第１の信号セグメントおよび前記第２の信号セグメントは、前記第１および第２の信号セグメントのうちの一方の物理的信号全長が前記第１の信号セグメントの前記第２の信号セグメントへの取り付け中に永続的に減少されるように、互いに取り付けられている、角度付き電気コネクタ。
【請求項６９】
前記第１の信号セグメントおよび前記第２の信号セグメントは、前記第１および第２の信号セグメントのうちの前記一方の遠位端部の物理的全幅が前記第１の信号セグメントの前記第２の信号セグメントへの取り付け中に永続的に増加されるように、互いに取り付けられている、請求項６８に記載の角度付き電気コネクタ。
【請求項７０】
角度付き電気コネクタにおいて、
接地嵌合端部と、前記接地嵌合端部からオフセットされた接地装着端部と、前記接地装着端部から前記接地嵌合端部に向かって延びる第１の接地セグメントと、前記接地嵌合端部から前記接地装着端部に向かって延びる第２の接地セグメントと、を有する接地シールドを含み、前記第１および第２の接地セグメントは、約７５°〜１０５°の角度だけ互いから角度的にオフセットされており、前記第１および第２の接地セグメントのうちの一方の物理的接地全長は、前記第１の接地セグメントの前記第２の接地セグメントへの取り付け中に永続的に減少される、角度付き電気コネクタ。
【請求項７１】
前記第１の接地セグメントおよび前記第２の接地セグメントは、前記第１および第２の接地セグメントのうちの前記一方の遠位端部の物理的全幅が、前記第１の接地セグメントの前記第２の接地セグメントへの取り付け中に永続的に増加するように、互いに取り付けられている、請求項７０に記載の角度付き電気コネクタ。
【発明の詳細な説明】
【開示の内容】
【０００１】
〔関連出願の相互参照〕
本出願は、２０１７年１０月２４日に出願された米国仮特許出願第６２／５７６，１４６号、２０１８年１月２９日に出願された米国仮特許出願第６２／６２３，２８９号、および２０１８年３月６日に出願された米国仮特許出願第６２／６３９，２６１号の優先権を主張し、これらの全ての教示は、あたかもそれらの全体が本明細書に記載されているかのように、参照により本明細書に組み込まれる。
【０００２】
〔背景〕
電気コネクタシステムは、一般に、１つ以上の相互接続された回路基板上に回路および構成要素を含む。電気コネクタシステムにおける回路基板の例としては、ドーターボード、マザーボード、バックプレーンボード、ミッドプレーンボード等が含まれ得る。電気組立体は、電気構成要素間にインターフェースを提供し、電気構成要素を互いに電気通信させるように、電気通信データ信号および／または電力のための導電経路を提供する、電気コネクタをさらに含むことができる。
【０００３】
別の例として、従来の電気コネクタシステムは、プリント回路基板（ＰＣＢ）とすることができる第１の基板を、やはりＰＣＢとすることができる第２の基板と電気通信させるコネクタを含むことができる。電気コネクタシステムは、互いに嵌合する第１および第２の電気コネクタを含むことができる。第１の電気コネクタは、第１の誘電体コネクタハウジングと、この第１のコネクタハウジングによって支持された第１の複数の接点と、を含む。第１の電気コネクタは、第１の基板上に装着される第１の装着インターフェースと、第２の電気コネクタと嵌合する第１の嵌合インターフェースと、を画定する。第２の電気コネクタは、第２の誘電体コネクタハウジングと、この第２のコネクタハウジングによって支持された第２の複数の接点と、を含む。第２の電気コネクタは、第２の基板上に装着される第２の装着インターフェースと、第１の嵌合インターフェースにおいて第１の電気コネクタと嵌合する第２の嵌合インターフェースと、を画定する。嵌合すると、これらのコネクタは、第１の基板によって担持されたトレースと第２の基板によって担持されたトレースとの間に導電経路を提供する。
【０００４】
〔発明の概要〕
一実施形態では、電気コネクタ用の電気接点は、第１のセグメントと、第２のセグメントと、を含む。第１のセグメントは、互いに対向する第１の対のブロードサイドと、互いに対向し、第１の対のブロードサイドの間に延びる第１の対のエッジと、第１の電気構成要素に装着されるように構成された装着端部と、装着端部からオフセットされた第１の連結端部と、を有する。第１の連結端部は、少なくとも１つの第１の連結特徴部を画定する。第２のセグメントは、互いに対向する第２の対のブロードサイドと、互いに対向し、第２の対のブロードサイドの間に延びる第２の対のエッジと、第２の電気構成要素と嵌合するように構成された嵌合端部と、嵌合端部からオフセットされた第２の連結端部と、を有する。第２の連結端部は、少なくとも１つの第２の連結特徴部を画定する。少なくとも１つの第１の連結特徴部および少なくとも１つの第２の連結特徴部は、電気接点が、第１のセグメントと第２のセグメントとの間に７５°〜１０５°の角度を定めるように、かつ第１および第２のセグメントが、装着端部と嵌合端部との間に連続的な導電経路を画定するように、互いに連結される。
【０００５】
別の実施形態では、角度付きコネクタ用の複数の電気接点は、複数の信号接点と、接地シールドと、を含む。複数の信号接点は、横方向に沿って列をなして互いから離間されている。各信号接点は、第１の信号セグメントと、第２の信号セグメントと、を含む。第１の信号セグメントは、第１の電気構成要素に装着されるように構成された信号装着端部と、信号装着端部からオフセットされた第１の信号連結端部と、を有する。第２の信号セグメントは、第２の電気構成要素と嵌合するように構成された信号嵌合端部と、信号嵌合端部からオフセットされた第２の信号連結端部と、を有する。第２の信号連結端部は、信号接点が第１の信号セグメントと第２の信号セグメントとの間に７５°〜１０５°の角度を定めるように、また、信号装着端部から信号嵌合端部まで連続的な導電経路を画定するように、第１の信号連結端部に連結される。横方向に垂直な内向き−外向き方向に沿って信号接点から離間している接地シールド。接地シールドは、第１の接地セグメントと、第２の接地セグメントと、を含む。第１の接地セグメントは、第１の電気構成要素に装着されるように構成された接地装着端部と、接地装着端部からオフセットされた第１の接地連結端部と、を有する。第２の接地セグメントは、第２の電気構成要素と嵌合するように構成された接地嵌合端部と、接地嵌合端部からオフセットされた第２の接地連結端部と、を有する。第２の接地連結端部は、接地シールドが第１の接地セグメントと第２の接地セグメントとの間に７５°〜１０５°の角度を定めるように、また、接地装着端部から接地嵌合端部まで連続的な導電経路を画定するように、第１の接地連結端部に連結される。
【０００６】
さらに別の実施形態は、角度付き電気コネクタを組み立てる方法である。この方法は、電気接点の少なくとも１つのバンクを電気コネクタのハウジングに取り付けるステップを含む。各バンクは、横方向に沿って一列に配置された複数の信号接点と、横方向に垂直な内向き−外向き方向に沿って信号接点からオフセットされた接地シールドと、を含む。取り付けるステップは、各バンクについて、およびバンク内の各信号接点について、信号接点の第１の信号セグメントを信号接点の第２の信号セグメントに連結して、第１の信号セグメントと第２の信号セグメントとの間に７５°〜１０５°の角度を定め、かつ第１の信号セグメントの装着端部から第２の信号セグメントの嵌合端部まで連続した導電経路を画定するステップを含む。また、取り付けるステップは、接地シールドの第１の接地セグメントを接地シールドの第２の接地セグメントに連結して、第１の接地セグメントと第２の接地セグメントとの間に７５°〜１０５°の角度を定め、第１の接地セグメントの装着端部から第２の接地セグメントの嵌合端部まで連続した導電経路を画定するステップを含む。
【０００７】
さらに別の実施形態では、角度付き電気コネクタは、複数の信号接点と、接地シールドと、を含む。複数の信号接点は、横方向に沿って列に沿って配列されている。各信号接点は、信号装着端部と、信号装着端部からオフセットされた信号嵌合端部と、信号装着端部から信号嵌合端部に向かって延びる第１の信号セグメントと、信号嵌合端部から信号装着端部に向かって延びる第２の信号セグメントと、を含む。第１および第２の信号セグメントは、７５°〜１０５°の角度だけ互いから角度的にオフセットされている。接地シールドは、接地嵌合端部と、接地嵌合端部からオフセットされた接地装着端部と、接地装着端部から接地嵌合端部に向かって延びる第１の接地セグメントと、接地嵌合端部から接地装着端部に向かって延びる第２の接地セグメントと、を有する。第１および第２の接地セグメントは、７５°〜１０５°の角度だけ互いから角度的にオフセットされている。接地シールドは、第１の接地セグメントと第２の接地セグメントとの間の角度を定める接地シールドのエルボに複数の窓を画定する。接地シールドは、窓のそれぞれが内向き−外向き方向に沿って信号接点のうちの少なくとも１つと整列するように、信号接点に対して配置される。
【０００８】
さらに別の実施形態では、電気コネクタ用の複数の電気接点は、複数の信号接点と、接地シールドと、を含む。複数の信号接点はそれぞれ、信号装着端部と、信号装着端部からオフセットされた信号嵌合端部と、信号装着端部から信号嵌合端部に向かって延びる第１の信号セグメントと、信号嵌合端部から信号装着端部に向かって延びる第２の信号セグメントと、第１の信号セグメントから第２の信号セグメントまで延びる中間信号セグメントと、を含む。各信号接点は、横方向に沿って互いに対向する第１および第２の信号エッジと、横方向に垂直な内向き−外向き方向に沿って互いに対向する第１および第２の信号ブロードサイドと、を含む。中間信号セグメントは、内向き−外向き方向に沿って、第１および第２の信号セグメントのそれぞれに対して方向を変えられている（jogged）。接地シールドは、接地嵌合端部と、接地装着端部と、を有する。接地シールドは、接地シールドの屈曲領域に少なくとも１つの窓を画定し、各窓は接地シールドを通って延びる。信号接点は、１）中間信号セグメントが少なくとも１つの窓内に受容され、横方向に沿って延びる共通の曲げ線が、窓、信号接点、および接地シールドと交差するように、かつ２）第１および第２の信号セグメントが、内向き−外向き方向に沿って接地板本体からオフセットされるように、配置される。
【０００９】
さらに別の実施形態は、電気コネクタ用の電気接点を形成する方法である。この方法は、接地シールドに対して複数の信号接点を配置するステップを含む。信号接点は、横方向に沿って列をなして離間するように配置される。さらに、各信号接点の第１および第２の信号セグメントは、横方向に垂直な内向き−外向き方向に沿って接地シールドから離間するように配置されている。各第１の信号セグメントは、信号接点のうちのそれぞれの装着端部を画定し、各第２の信号セグメントは、信号接点のうちのそれぞれの嵌合端部を画定する。信号接点それぞれの中間セクションは、接地シールドの複数の窓のうちの１つに受容されるように配置されている。一旦配置されると、信号接点および接地シールドは、窓、信号接点、および接地シールドと交差する共通の曲げ線の周りで曲げられる。
【００１０】
前述の概要、ならびに本出願の実施形態の以下の詳細な説明は、添付の図面と併せて読まれると、より良く理解されるであろう。本出願の方法および装置を説明するために、図面に代表的な実施形態を示す。しかしながら、本出願は図示される厳密な方法および装置に制限されるものではないことを、理解されたい。
【図面の簡単な説明】
【００１１】
【図１】互いに嵌合された第１の電気コネクタおよび第２の電気コネクタを有する、一実施形態による電気コネクタシステムの正面斜視図を示す。
【図２】第１の電気コネクタの電気接点上の、電気接点の屈曲部において電気接点カバーを有する、図１の電気コネクタシステムを示す。
【図３】図１の電気コネクタシステムの正面分解組立斜視図を示す。
【図４】図１の電気コネクタシステムの後方分解組立斜視図を示す。
【図５】図１の第１の電気コネクタの正面分解組立斜視図を示す。
【図６】図１の第１の電気コネクタの後方分解組立斜視図を示す。
【図７】図１の第２の電気コネクタの後方分解組立斜視図を示す。
【図８】図１の第２の電気コネクタの正面分解組立斜視図を示す。
【図９】図１の第１の電気コネクタの接地板および信号接点の分解組立斜視図を直線状構成で示す。
【図１０】図９の接地板および信号接点の組立斜視図を直線状構成で示す。
【図１１】図９の接地板および信号接点の分解組立斜視図を角度付き構成で示す。
【図１２】図１０の接地板および信号接点の組立斜視図を角度付き構成で示す。
【図１３】図１の第２の電気コネクタの接地板および信号接点の分解組立斜視図を示す。
【図１４】図１３の接地板および信号接点の組立斜視図を示す。
【図１５】互いに嵌合された第１および第２のコネクタの接地の嵌合特徴部を示す、図１の電気コネクタシステムの断面立面図を示す。
【図１６】互いに嵌合された第１および第２のコネクタの信号接点を示す、図１の電気コネクタシステムの断面立面図を示す。
【図１７】図２のコネクタ組立体の電気接点カバーの斜視底面図を示す。
【図１８】別の実施形態による電気コネクタの後方斜視図を示す。
【図１９】カバーおよび押さえブラケットを有する図１８の電気コネクタの正面斜視図を示す。
【図２０】カバーがなく、押さえブラケットがない、図１８の電気コネクタの正面斜視図を示す。
【図２１】図１８の電気コネクタのカバーの斜視図を示す。
【図２２】カバーがない、図１８の第２の電気コネクタの分解組立正面斜視図を示す。
【図２３】互いに結合された第１および第２のリードフレームを有する接点のバンクの斜視図を示す。
【図２４】絶縁インサートのない図２３の接点のバンクの斜視図を示す。
【図２５】絶縁インサートが図示の目的で斜線が付けられた、図２３の接点のバンクの第１のリードフレームの後面図を示す。
【図２６】絶縁インサートが図示の目的で斜線が付けられた、図２３の接点のバンクの第２のリードフレームの後面図を示す。
【図２７】図２３の接点のバンクの信号接点の分解組立斜視図を示す。
【図２８】図２３の接点のバンクの接地シールドの分解組立斜視図を示す。
【図２９】一実施形態による電気接点の第１および第２の連結特徴部の斜視図を示し、第１および第２の連結特徴部は、突起および凹部をそれぞれ画定する。
【図３０】一実施形態による、図２９の第１および第２の連結特徴部の側面図を示す。
【図３１】別の実施形態による、図２９の第１および第２の連結特徴部の側面図を示す。
【図３２】別の実施形態による電気接点の第１および第２の連結特徴部の斜視図を示し、第１および第２の連結特徴部は、突起および凹部をそれぞれ画定する。
【００１２】
〔詳細な説明〕
一般に、本開示は、電気コネクタのための電気接点（例えば、図１１および図１２の１０４および１０６、ならびに図２４の４０４および４０６）に関し、また、電気コネクタ（例えば、図１の１００および２００、ならびに図１８の４００）、リードフレーム（例えば、図６の１１０（１）および１１０（２）、ならびに図２３の４１０（１）および４１０（２））、ならびに電気接点を有する電気コネクタを含む電気コネクタシステム（例えば、図１の１０）に関する。電気コネクタのうちの少なくとも１つは、直角コネクタなどの角度付きコネクタ（例えば、図１の１００および図１８の４００）とすることができる。角度付きコネクタの電気接点は、少なくとも１つの接地接点（例えば、図１１の１０４および図２４の４０４）、ならびに複数の信号接点（例えば、図１１の１０６および図２４の４０６）を含むことができる。いくつかの実施形態では、信号接点１０６および接地接点１０４は、図９および図１０に示すように直線状構成で組み立てられ、次いで、図１１および図１２に示すように屈曲構成に曲げられて、角度付き接点を形成することができる。他の実施形態では、信号接点５０６および接地接点４０４は、図２４、図２７、および図２８に示すように互いに連結されて角度付き接点を形成することができる別個のセグメントを有することができる。
【００１３】
図１〜図１７の説明
図１〜図４を参照すると、一実施形態に従って、電気コネクタシステム１０が示されている。コネクタシステム１０は、第１の電気コネクタ１００と、第２の電気コネクタ２００と、を含む。第１の電気コネクタ１００は、第１のプリント回路基板（ＰＣＢ）などの第１の相補的な電気構成要素（図示せず）上に装着されるように構成される。第１の電気コネクタ１００は、長手方向Ｌに沿って第２の電気コネクタ２００と嵌合するように構成され、長手方向Ｌおよび横方向Ａの両方から角度的にオフセットされた方向において第１のＰＣＢ上に装着されるように構成された、直角コネクタ（これに限定されない）などの角度付きコネクタとすることができる。いくつかの例では、角度的にオフセットされた方向は、長手方向Ｌおよび横方向Ａの両方に垂直な横断方向Ｔとすることができる。
【００１４】
第２の電気コネクタ２００は、第２のＰＣＢなどの第２の相補的な電気構成要素（図示せず）上に装着されるように構成される。第２の電気コネクタ２００は、長手方向Ｌにおいて第２のＰＣＢ上に装着されるように構成され、長手方向Ｌに沿って第２の電気コネクタと嵌合するように構成された、直線状コネクタとすることができる。しかしながら、代替的実施形態では、第２の電気コネクタ２００は、（限定されないが）直角コネクタなどの角度付きコネクタとして実装することができることが理解されよう。嵌合されると、第１の電気コネクタ１００および第２の電気コネクタ２００は、第１および第２の相補的な電気構成要素を互いに電気通信させるように構成される。したがって、第１の電気コネクタ１００および第２の電気コネクタ２００は、第１および第２の相補的な電気構成要素のうちの少なくとも一方から第１および第２の相補的な電気構成要素のうちの他方までなど、第１の相補的な電気構成要素と第２の相補的な電気構成要素との間に導電経路を提供する。
【００１５】
図５および図６を参照すると、第１の電気コネクタ１００は、第１の誘電体または電気絶縁コネクタハウジング１０２と、コネクタハウジング１０２によって支持される複数の電気接点と、を含む。複数の電気接点は、横方向Ａに沿って配向された第１の列Ｒ１の電気接点を画定することができる。第１の列Ｒ１は、第１の接地接点１０４（１）と、第１の複数の信号接点１０６（１）と、を含むことができる。接地接点１０４（１）および信号接点１０６（１）は、銅、ニッケル、ベリリウム、金、銀、または任意の他の適切な金属、金属合金、もしくは導電性材料などの金属または損失性材料から作製することができる。第１の接地接点１０４（１）は、信号接点１０６（１）を、（以下で説明する）第２の列Ｒ２の電気接点および第１の電気コネクタ１００が装着されるＰＣＢのうちの少なくとも１つから遮蔽するように構成された板として構成することができる。したがって、第１の接地接点１０４（１）は、接地板または接地シールドと呼ぶことができる。
【００１６】
第１の接地板１０４（１）および第１の複数の信号接点１０６（１）は、少なくとも１つの誘電体または電気絶縁インサート本体１０８（１）および１１２（１）によって支持され得、これは、第１のコネクタハウジング１０２によって支持される。したがって、電気コネクタ１００は、少なくとも１つのインサート本体１０８（１）および１１２（１）、第１の接地板１０４（１）、ならびに第１の複数の信号接点１０６（１）を含む、第１のインサート組立体またはリードフレーム１１０（１）を含むことができる。第１の接地板１０４（１）および第１の複数の信号接点１０６（１）は、インサート成形、ステッチ、圧入、または電気接点を絶縁本体に取り付けるための任意の他の適切な技法によって、少なくとも１つのインサート本体１０８（１）および１１２（１）に取り付けることができる。少なくとも１つの誘電体または電気絶縁インサート本体１０８（１）および１１２（１）は、接地板１０４（１）と信号接点１０６（１）との間、および信号接点１０６（１）のそれぞれの間に電気絶縁を提供することができる。
【００１７】
第１の電気コネクタ１００の複数の電気接点は、横方向Ａに沿って配向された第２の列Ｒ２の電気接点を画定することができる。第２の列Ｒ２は、横方向Ａに垂直な内向き方向に沿って第１の列Ｒ１からオフセットされ得る。本開示の実施形態は、２つの列を有することに限定されず、様々な実施形態では、第１の電気コネクタ１００は、わずか１列または３列以上の電気接点を含み得ることが理解されるであろう。第２の列Ｒ２は、第２の接地接点１０４（２）と、第２の複数の信号接点１０６（２）と、を含むことができる。接地接点１０４（２）および信号接点１０６（２）は、銅、ニッケル、ベリリウム、金、銀、または任意の他の適切な金属、金属合金、もしくは導電性材料などの金属または損失性材料から作製することができる。第２の接地接点１０４（２）は、信号接点１０６（２）を、第１の電気コネクタ１００が装着されるＰＣＢから遮蔽するように構成された板として構成することができる。したがって、第２の接地接点１０４（２）は、接地板または接地シールドと呼ぶことができる。
【００１８】
第２の接地接点１０４（２）および第２の複数の信号接点１０６（２）は、少なくとも１つの誘電体または電気絶縁インサート本体１０８（２）および１１２（２）によって支持され得、これは、第１のコネクタハウジング１０２によって支持される。したがって、電気コネクタ１００は、少なくとも１つのインサート本体１０８（２）および１１２（２）、第２の接地板１０４（２）、ならびに第２の複数の信号接点１０６（２）を含む、第２のインサート組立体またはリードフレーム１１０（２）を含むことができる。第２の接地板１０４（２）および第２の複数の信号接点１０６（２）は、インサート成形、ステッチ、圧入、または電気接点を絶縁本体に取り付けるための任意の他の適切な技法によって、少なくとも１つのインサート本体１０８（２）および１１２（２）に取り付けることができる。少なくとも１つの誘電体または電気絶縁インサート本体１０８（２）および１１２（２）は、接地板１０４（２）と信号接点１０６（２）との間、および信号接点１０６（２）のそれぞれの間に電気絶縁を提供することができる。
【００１９】
第１のコネクタハウジング１０２は、装着端部１０２ａと、装着端部１０２ａからオフセットされた嵌合端部１０２ｂと、を有している。第１のコネクタハウジング１０２は、装着端部１０２ａおよび嵌合端部１０２ｂを通って長手方向Ｌに沿って延びる第１の接点開口部１０２ｃを画定することができる。第１の接点開口部１０２ｃは、長手方向Ｌに沿って第１の列Ｒ１の電気接点を受容するように構成され得る。例えば、第１の接点開口部１０２ｃは、第１の列Ｒ１の電気接点を支持する第１のリードフレーム１１０（１）を受容するように構成することができる。第１のコネクタハウジング１０２は、第１の接点開口部１０２ｃ内に延びる第１の複数のスペーサ壁１０２ｄを含むことができる。第１のスペーサ壁１０２ｄは、横方向Ａに沿って互いから離間し得る。例えば、第１のスペーサ壁１０２ｄは、横断方向Ｔに沿って接地板１０４（１）の嵌合特徴部１０４ｑ（後述）と整列するように離間することができる。
【００２０】
第１のハウジングは、装着端部１０２ａおよび嵌合端部１０２ｂを通って長手方向Ｌに沿って延びる第２の接点開口部１０２ｅも画定することができる。第２の接点開口部１０２ｅは、横断方向Ｔに沿って第１の接点開口部１０２ｃから離間され得る。第２の接点開口部１０２ｅは、長手方向Ｌに沿って第２の列Ｒ２の電気接点を受容するように構成され得る。例えば、第２の接点開口部１０２ｅは、第２の列Ｒ２の電気接点を支持する第２のリードフレーム１１０（２）を受容するように構成することができる。第１のコネクタハウジング１０２は、第２の接点開口部１０２ｃ内に延びる第２の複数のスペーサ壁１０２ｆを含むことができる。第２のスペーサ壁１０２ｆは、横方向Ａに沿って互いから離間し得る。例えば、第２のスペーサ壁１０２ｄは、内向き−外向き方向に沿って接地板１０４（２）の嵌合特徴部１０４ｑ（後述）と整列するように離間することができる。
【００２１】
図９および図１０を参照すると、一実施形態による接地板１０４および複数の信号接点１０６が、直線状の接点として直線状構成で示されている。図５および図６の第１の接地板１０４（１）および第２の接地板１０４（２）の一方または両方は、図９および図１０の接地板１０４によって示されるように実装され得、次いで、図１１および図１２に示されるような直角構成の直角接点（これに限定されない）などの角度付き構成の角度付き接点になるように、曲げられ得る。第２の接地板１０４（２）の様々な寸法は、第２の接地板１０４（２）が第１の接地板１０４（１）の内側に配置され得るように、第１の接地板１０４（１）の対応する寸法よりも小さくてもよいことが理解されるであろう。同様に、図５および図６の第１の複数の信号接点１０６（１）および第２の複数の信号接点１０６（２）の一方または両方は、図９および図１０の複数の信号接点１０６によって示されるように実装され得、次いで、図１１および図１２に示されるような直角構成の直角接点（これに限定されない）などの角度付き構成の角度付き接点になるように、曲げられ得る。第２の複数の信号接点１０６（２）の様々な寸法は、第２の複数の接点１０６（２）が第１の複数の接点１０６（１）の内側に配置され得るように、第１の複数の信号接点１０６（１）の対応する寸法よりも小さくてもよいことが理解されるであろう。
【００２２】
各信号接点１０６は、信号装着端部１０６ａと、信号装着端部１０６ａからオフセットされた信号嵌合端部１０６ｂと、を有する。図９および図１０の信号接点１０６は、それぞれ略直線状構成にあり、この構成では、信号装着端部１０６ａは、信号嵌合端部１０６ｂが嵌合するように構成された同じ方向（例えば、長手方向Ｌ）に装着されるように構成されている。一方、図１１および図１２では、信号接点１０６は、それぞれ、信号装着端部１０６ａが、長手方向Ｌおよび横方向Ａの両方に対して角度的にオフセットされた方向に装着されるように構成された、屈曲または角度付き構成にある。角度オフセットは、長手方向Ｌおよび横方向Ａに沿って延びる平面から７５°〜１０５°であってよい。特定の一実施例では、角度オフセットは、信号接点が直角構成で配置されるように平面から約９０°であってもよく、この構成では、信号装着端部１０６ａは、信号嵌合端部１０６ｂが嵌合するように構成された方向（例えば、長手方向Ｌ）に垂直な方向（例えば、横断方向Ｔ）に装着されるように構成される。
【００２３】
各信号接点１０６は、第１の信号エッジ１０６ｃと、横方向Ａに沿って第１の信号エッジ１０６ｃとは反対側の第２の信号エッジ１０６ｄと、を有する。各信号接点１０６は、横方向Ａに垂直な内向き−外向き方向に沿って互いに対向する第１の信号ブロードサイド１０６ｅおよび第２の信号ブロードサイド１０６ｆを有する。各信号接点１０６は、横方向Ａに沿った第１の信号エッジ１０６ｃから第２の信号エッジ１０６ｄまでの幅、第１の信号ブロードサイド１０６ｅから第２の信号ブロードサイド１０６ｆまでの厚さ、ならびに第１の信号ブロードサイド１０６ｅおよび第２の信号ブロードサイド１０６ｆのうちの一方に沿った信号装着端部１０６ａから信号嵌合端部１０６ｂまでの長さを有することができる。幅は、厚さよりも大きくすることができる。さらに、長さは、幅および厚さよりも大きくてもよい。したがって、各信号接点１０６は、その信号装着端部１０６ａからその信号嵌合端部１０６ｂまで、その信号ブロードサイド１０６ｅおよび１０６ｆのうちの一方に沿って延びるにつれて、細長くすることができる。
【００２４】
各信号接点１０６は、第１のセグメント１０６ｇと、第２のセグメント１０６ｈと、第１のセグメント１０６ｇと第２のセグメント１０６ｈとの間に延びる中間セグメント１０６ｉと、を有する。各中間セグメント１０６ｉは、その対応する第１のセグメント１０６ｇおよび第２のセグメント１０６ｈのそれぞれに対して、第１の信号ブロードサイド１０６ｅおよび第２の信号ブロードサイド１０６ｆのうちの一方から他方に延びる内向き−外向き方向に沿って、方向を変えられている。
【００２５】
各信号接点１０６の中間セグメント１０６ｉは、第１の信号ブロードサイド１０６ｅおよび第２の信号ブロードサイド１０６ｆの一方から第１の信号ブロードサイド１０６ｅおよび第２の信号ブロードサイド１０６ｆの他方へ延びる内向き−外向き方向に沿って第１のセグメント１０６ｇおよび第２のセグメント１０６ｈからオフセットされた、オフセット領域１０６ｊを含むことができる。中間セグメント１０６ｉは、オフセット領域１０６ｊを第１のセグメント１０６ｇおよび第２のセグメント１０６ｈにそれぞれ接続する、一対の実質的に「ｓ」字形の曲線を画定することができる。信号接点１０６が図９および図１０に示す直線状構成にあるとき、信号接点１０６の第１のセグメント１０６ｇおよび第２のセグメント１０６ｈは、互いと実質的に同一面内にあり得る。さらに、中間セグメント１０６ｉのオフセット領域１０６ｊは、第１のセグメント１０６ｇおよび第２のセグメント１０６ｈに実質的に平行であり得るが、本開示の実施形態はそのように限定されない。
【００２６】
オフセット領域１０６ｊは、横方向Ａに沿った第１の信号エッジ１０６ｃから第２の信号エッジ１０６ｄまでのオフセット領域幅をオプションとして有することができる。オフセット領域幅は、横方向Ａに沿った第１の信号エッジ１０６ｃから第２の信号エッジ１０６ｄまでの第１のセグメント１０６ｇおよび第２のセグメント１０６ｈのそれぞれの幅よりも大きくすることができる。理論に束縛されるものではないが、オフセット領域１０６ｊにおいてより大きい幅を提供することは、インピーダンスを低下させることができると考えられる。
【００２７】
各信号接点１０６の信号装着端部１０６ａは、はんだボール（図示せず）を受容するように構成された装着尾部のような装着特徴部１０６ｋを含むことができる。しかしながら、代替的実施形態では、装着特徴部１０６ｋは、圧入装着尾部、表面装着尾部、または信号接点１０６をＰＣＢ上に装着するのに適した任意の他の適切な装着特徴部もしくは装着特徴部の組み合わせとして構成することができる。
【００２８】
各信号接点１０６の信号嵌合端部１０６ｂは、第２の電気構成要素（例えばコネクタ２００）の電気接点と嵌合するように構成された嵌合特徴部を含むことができる。例えば、各嵌合特徴部は、接点ビーム１０６ｍを含み得るが、本開示の実施形態は、他の適切な嵌合特徴部を実装することができる。接点ビーム１０６ｍは、屈曲形状、例えば湾曲形状を有する可撓性ビームとして構築することができる。本明細書に記載されるような屈曲構造は、例えば、端部を曲げることによって、または屈曲形状を打ち抜くことによって、または任意の他の適切な製造プロセスによって製造され得る、屈曲形状を指す。接点ビーム１０６ｍは、ビーム本体１０６ｎと、ビーム本体１０６ｎから延びるスタブ１０６ｐと、を含むことができる。ビーム本体１０６ｎは、信号装着端部１０６ａから離れる方向に第２のセグメント１０６ｈから延びることができる。スタブ１０６ｐは、ビーム本体１０６ｎから、信号装着端部１０６ａから離れ、かつビーム本体１０６ｎから角度的にオフセットされた方向に沿って、例えば、長手方向Ｌおよび横方向Ａに沿って延びる平面から角度的にオフセットされた方向に沿って、延びることができる。ビーム本体１０６ｎおよびスタブ１０６ｐは、エルボ１０６ｑにおいて互いに隣接することができる。ビーム本体１０６ｎの少なくとも一部は、内向き−外向き方向に沿って第２のセグメント１０６ｈからオフセットされ得る。接点ビーム１０６ｍは、ビーム本体１０６ｎのオフセット部分を第２のセグメント１０６ｈに接続する実質的に「ｓ」字形の曲線を画定することができる。
【００２９】
図１６を簡単に見ると、各信号接点１０６のエルボ１０６ｑは、第２のコネクタ２００が長手方向Ｌに沿って信号接点１０６の接点ビーム１０６ｍと嵌合する際に、第２の電気コネクタ２００の対応する電気接点２０６に対してこすりつけられる（wipe）ように構成されている。各信号接点１０６が対応する電気接点２０６に対してこすりつけられる際に、信号接点１０６の接点ビーム１０６ｍは、非偏向位置から偏向位置へと、第１のブロードサイド１０６ｅから第２のブロードサイド１０６ｆに延びる方向に沿って偏向する。次いで、接点ビーム１０６ｍは、その偏向位置から非偏向位置に向かって、非偏向位置に完全に戻ることなく、第２のブロードサイド１０６ｆから第１のブロードサイド１０６ｅに延びる反対方向に沿って戻るように偏向することができる。嵌合すると、各接点ビーム１０６ｍは、反対方向に沿って対応する接点２０６にバイアス力を加えるように、第２の電気コネクタ２００の対応する接点２０６に接触するように構成される。
【００３０】
図９および図１０に戻ると、接地板１０４は、金属または損失性材料、あるいは信号接点１０６に対して遮蔽を提供する任意の他の適切な材料から作ることができる。したがって、接地板１０４は、接地シールドと呼ぶこともできる。接地板１０４は接地板本体１０４ｚを有し、これは、互いからオフセットしている、接地装着端部１０４ａと接地嵌合端部１０４ｂとの間に延びる。接地板１０４は、図９および図１０では略直線状構成にあり、この構成では、接地装着端部１０４ａは、接地嵌合端部１０４ｂが嵌合するように構成された同じ方向（例えば、長手方向Ｌ）に装着されるように構成されている。一方、図１１および図１２では、接地板１０４は、接地装着端部１０４ａが、長手方向Ｌおよび横方向Ａの両方から角度的にオフセットされた方向に装着されるように構成された、角度付き構成にある。角度オフセットは、長手方向Ｌおよび横方向Ａに沿って延びる平面から７５°〜１０５°であってよい。特定の一実施例では、角度オフセットは、接地接点が直角構成で配置されるように平面から約９０°であってもよく、この構成では、接地装着端部１０４ａは、接地嵌合端部１０４ｂが嵌合するように構成された方向（例えば、長手方向Ｌ）に垂直な方向（例えば、横断方向Ｔ）に装着されるように構成される。
【００３１】
接地板１０４は、第１の接地エッジ１０４ｃと、横方向Ａに沿って第１の接地エッジ１０４ｃから離間した第２の接地エッジ１０４ｄと、を有する。接地板１０４は、第１の平坦表面１０４ｅと、内向き−外向き方向に沿って第１の平坦表面１０４ｅの反対側にある第２の平坦表面１０４ｆと、を有する。接地板１０４は、横方向Ａに沿った第１の接地エッジ１０４ｃから第２の接地エッジ１０４ｄまでの幅、第１の平坦表面１０４ｅから第２の平坦表面１０４ｆまでの厚さ、ならびに第１の平坦表面１０４ｅおよび第２の平坦表面１０４ｆのうちの一方に沿った接地装着端部１０４ａから接地嵌合端部１０４ｂまでの長さを有することができる。長さおよび幅は、厚さよりも大きくすることができる。いくつかの実施形態では、幅は、長さよりも大きくすることができる。
【００３２】
接地板１０４は、第１の接地セグメント１０４ｇと、第１の接地セグメント１０４ｇに対向する第２の接地セグメント１０４ｈと、を有している。第１の接地セグメント１０４ｇは、接地装着端部１０４ａから接地嵌合端部１０４ｂに向かって延びることができる。第２の接地セグメント１０４ｈは、接地嵌合端部１０４ｂから接地装着端部１０４ａに向かって延びることができる。接地板１０４は、第１の接地セグメント１０４ｇと第２の接地セグメント１０４ｈとの間に延びる少なくとも１つの接続セグメント１０４ｉを有する。接続セグメント１０４ｉは、横方向Ａに沿って互いから離間し得る。接続セグメント１０４ｉは、それぞれ、屈曲領域１０４ｊを画定することができ、ここで、接地板１０４は、角度付き構成へと曲げられるように構成される。接地板１０４が図９および図１０に示す直線状構成にあるとき、接地板１０４の第１の接地セグメント１０４ｇおよび第２の接地セグメント１０４ｈは、互いと実質的に同一面内にあり得る。
【００３３】
接地板本体１０４ｚは、第１の平坦表面１０４ｅおよび第２の平坦表面１０４ｆのうちの少なくとも一方の中に延びる少なくとも１つの窓１０４ｐを画定する。各窓１０４ｐは、第１の接地セグメント１０４ｇから第２の接地セグメント１０４ｈに延びている。さらに、各窓１０４ｐは、横方向Ａに関して一対の接続セグメント１０４ｉの間に画定され得る。一実施例では、窓１０４ｐは、第１の平坦表面１０４ｅおよび第２の平坦表面１０４ｆの両方を通って延びる貫通孔とすることができる。各窓１０４ｐは、接地板１０４が角度付き構成に曲げられたときに接地板１０４のエルボにあることができる。
【００３４】
接地板１０４の接地装着端部１０４ａは、複数の装着特徴部１０４ｋを含むことができる。接地特徴部１０４ｋは、横方向Ａに沿って互いから離間し得る。装着特徴部１０４ｋは、第１の相補的な電気構成要素（例えば、ＰＣＢ）に取り付けられるように構成される。各装着特徴部１０４ｋは、はんだボール（図示せず）を受容するように構成される装着尾部として構成することができる。しかしながら、代替的実施形態では、各装着特徴部１０４ｋは、圧入装着尾部、表面装着尾部、接地板１０４をＰＣＢ上に装着するのに適した任意の他の適切な装着特徴部もしくは装着特徴部の組み合わせとして構成することができる。各装着特徴部１０４ｋは、内向き−外向き方向に沿って接地板本体１０４ｚからオフセットすることができる。
【００３５】
接地装着特徴部１０４ｋのうちの少なくともいくつかは、対をなして配置され得るが、本開示の実施形態はそのように限定されない。接地装着特徴部１０４ｋが対をなして配置される実施形態では、各対の接地装着特徴部１０４ｋは、横方向Ａに沿って第１の距離だけ互いから離間され得る。さらに、隣接する対は、第２の距離だけ互いから離間することができ、第２の距離は、第１の距離よりも大きい。いくつかの実施形態では、第２の距離は、横方向Ａに沿った信号接点１０６のうちの１つの幅と少なくとも同じ大きさとすることができる。いくつかのそのような実施形態では、第２の距離は、横方向Ａに沿った信号接点１０６のうちの２つの幅と少なくとも同じ大きさとすることができる。
【００３６】
接地板１０４の第２の接地セグメント１０４ｈは、第１の平坦表面１０４ｅおよび第２の平坦表面１０４ｆのうちの１つの中に延びる接地嵌合端部１０４ｂに隣接する複数の嵌合端部開口部１０４ｍを画定することができる。嵌合端部開口部１０４ｍは、横方向Ａに沿って互いから離間し得る。各嵌合端部開口部１０４ｍは、長手方向Ｌに沿って窓１０４ｐと整列することができる。接地板１０４は、各嵌合端部開口部１０４ｍに対してオフセット表面１０４ｎを含むことができる。各オフセット表面１０４ｎは、嵌合端部開口部１０４ｍのそれぞれと内向き−外向き方向に整列することができる。さらに、各オフセット表面１０４ｎは、内向き−外向き方向に関して嵌合端部開口部１０４ｍのそれぞれからオフセットすることができる。各オフセット表面１０４ｎは、一対の接点ビーム１０６ｍのような少なくとも１つの接点ビーム１０６ｍを、内向き−外向き方向に関して接地板１０４の下に配置された電気接点またはＰＣＢから遮蔽するように構成されている。
【００３７】
接地嵌合端部１０４ｂは、第２の電気コネクタ２００と嵌合するように構成される複数の嵌合特徴部１０４ｑを画定することができる。嵌合特徴部１０４ｑは、横方向Ａに沿って互いから離間し得る。さらに、嵌合特徴部１０４ｑの個々のものは、横方向Ａに関して嵌合端部開口部１０４ｍのうちの２つの間に配置することができる。一実施形態では、各嵌合特徴部１０４ｑは、第２の電気コネクタ２００の少なくとも１つの接点ビームと嵌合するように構成された第１の平坦表面を有する平坦な嵌合セグメントを含むことができる。例えば、各嵌合特徴部１０４ｑは、（図１５に示されるように）第２のコネクタ２００の対向する接地接点ビーム２０４ｍおよび２０４ｒと嵌合するように構成された第１および第２の平坦表面を含むことができる。したがって、各嵌合特徴部１０４ｑは、第２の電気コネクタ２００の一対の対向する接地接点ビーム２０４ｍと２０４ｒとの間に受容され得る。代替的実施形態では、各嵌合特徴部１０４ｑは、（限定されないが）接点ビームなどの任意の他の適切な嵌合インターフェースを画定することができる。
【００３８】
再び図１０および図１２を参照すると、接地板１０４は、接地板１０４の窓１０４ｐのそれぞれが内向き−外向き方向に沿って信号接点１０６のうちの少なくとも１つと整列されるように、信号接点１０６に対して配置されるように構成される。例えば、各窓１０４ｐは、一対の中間セグメント１０６ｉのような、信号接点１０６のうちの少なくとも１つの中間セグメント１０６ｉをその中に受容するように構成することができる。そのように受容されると、中間セグメント１０６ｉは、横方向Ａに沿って接地板本体１０４ｚと整列され得、第１のセグメント１０６ｇおよび第２のセグメント１０６ｈを内向き−外向き方向に沿って接地板本体からオフセットさせることができる。
【００３９】
いくつかの実施形態において、接地板１０４および信号接点１０６は、図１０に示されるように、直線状構成で互いに対して組み立てることができる。次いで、接地板１０４および信号接点１０６は、接地板１０４および信号接点１０６のそれぞれを共通の曲げ線ＢＬに沿って７０°〜１０５°だけ曲げることによって、図１２に示すような屈曲構成に遷移することができる。共通の曲げ線ＢＬは、横方向Ａに沿って延びることができ、窓１０４ｐ、信号接点１０６、および接地板１０４と交差することができる。少なくともいくつかの実施形態では、曲げ線ＢＬは、信号接点１０６の中間セクション１０６ｉと接地板本体１０４ｚとに交差することができ、その結果、接地板１０４と信号接点１０６とが曲げられた場合、信号接点１０６の中間セクション１０６ｉは、曲げ線ＢＬに沿って接地板本体１０４ｚと整列される。信号接点１０６の中間セクション１０６ｉを接地板本体と整列させると、例えば、インピーダンス整合を改善し、かつ／または信号干渉を低減することによって、コネクタ性能を向上させることができる。
【００４０】
信号接点１０６は、列の方向に沿って互いから離間するように配置され得る。列の方向は、横方向Ａとすることができる。（図示のような）いくつかの実施形態では、信号接点１０６は、対をなして配置することができるが、本開示の実施形態は、そのように限定されない。信号接点１０６の各対は、差動信号対を画定することができる。各対の信号接点１０６は、エッジ間に配置され、横方向Ａに沿って第１の距離だけ互いから離間され得る。一対の信号接点はエッジ連結される。信号接点１０６の個々の対は、横方向Ａに沿って第２の距離だけ互いから離間させることができ、第２の距離は第１の距離よりも大きい。いくつかの実施形態では、第２の距離は、横方向Ａに沿った信号接点１０６のうちの１つの幅と少なくとも同じ大きさとすることができる。いくつかのそのような実施形態では、第２の距離は、横方向Ａに沿った信号接点１０６のうちの２つの幅と少なくとも同じ大きさとすることができる。
【００４１】
信号接点１０６は、各信号接点１０６の中間セグメント１０６ｉが接地板１０４の窓１０４ｐのうちの１つに受容されるように、接地板１０４に対して配置することができる。直線状構成では、各中間セグメント１０６ｉのオフセット領域１０６ｊは、接地板１０４と同一面内とすることができる。例えば、各オフセット領域１０６ｊは、接続セグメント１０４ｉと同一面内にあることができ、横方向Ａに沿って接続セグメント１０４ｉと整列させることができる。したがって、第１の接地平坦表面１０４ｅおよび第２の接地平坦表面１０４ｆは、それぞれの中間セグメント１０６ｉにおいて、各信号接点１０６の第１のブロードサイド１０６ｅおよび第２のブロードサイド１０６ｆと整列させることができる。信号接点１０６が対になって配置される実施形態では、各窓１０４ｐは、一対の信号接点１０６の中間セグメント１０６ｉを受容するような大きさにすることができる。
【００４２】
各信号接点１０６の第１のセグメント１０６ｇおよび第２のセグメント１０６ｈは、接地板１０４から離間することができる。例えば、第１のセグメント１０６ｇおよび第２のセグメント１０６ｈのそれぞれにおける第２の信号ブロードサイド１０６ｆは、第１の接地平坦表面１０４ｅから離間し、これに面することができる。したがって、接地板１０４と全ての信号接点１０６の第１のセグメント１０６ｇとの間で、横方向Ａに沿って、接地板１０４または信号接点１０６のいずれとも交差することなく、線が延びることができる。言い換えれば、接地板１０４の任意の部分を通って延びることなく、横方向Ａに沿って全ての信号接点１０６の第１のセグメント１０６ｇを通って、線が延びることができる。同様に、接地板１０４と全ての信号接点１０６の第２のセグメント１０６ｈとの間で、横方向Ａに沿って、接地板１０４または信号接点１０６のいずれとも交差することなく、線が延びることができる。言い換えれば、接地板１０４の任意の部分を通って延びることなく、横方向Ａに沿って全ての信号接点１０６の第２のセグメント１０６ｈを通って、線が延びることができる。代替的実施形態では、接地板１０４は、信号接点１０６の対の間にエンボスなどの突出部を含むことができる。突出部は、信号接点の対を互いから遮蔽することができる。
【００４３】
信号接点１０６および接地板１０４は、信号接点１０６の信号装着特徴部１０６ｋが互いに並び、横方向Ａに沿って接地板１０４の接地装着特徴部１０４ｋと並ぶように、互いに対して配置することができる。個々の信号装着特徴部１０６ｋは、横方向Ａに関して接地装着特徴部１０４ｋのうちの２つの間に配置することができる。信号接点１０６が対をなして配置される実施形態では、信号装着特徴部１０６ｋの個々の対は、横方向Ａに関しての接地装着特徴部１０４ｋのうちの２つの間に配置することができる。接地装着特徴部１０４ｋが対をなして配置される実施形態では、接地装着特徴部１０４ｋの個々の対は、横方向Ａに関して信号装着特徴部１０６ｋのうちの２つの間に配置することができる。信号接点１０６および接地装着特徴部１０４ｋの両方が対をなして配置される実施形態では、接地装着特徴部１０４ｋの個々の対は、横方向Ａに関して２つの対の信号装着特徴部１０６ｋの間に配置することができる。同様に、信号装着特徴部１０６ｋの個々の対は、横方向Ａに関して２つの対の接地装着特徴部１０４ｋの間に配置することができる。
【００４４】
信号接点１０６は、各信号接点１０６の接点ビーム１０６ｍが、内向き−外向き方向に沿って嵌合端部開口部１０４ｍのうちの１つと整列されるように、接地板１０４に対して配置することができる。したがって、各接点ビーム１０６ｍは、接点ビーム１０６ｍが図１の第２の電気コネクタ２００の嵌合端部と嵌合するときに、対応する嵌合端部開口部１０４ｍ内に偏向するように構成される。好ましくは、各接点ビーム１０６ｍは、接点ビーム１０６ｍが第２の電気コネクタ２００と嵌合するときに、接点ビーム１０６ｍの本体１０６ｎが嵌合特徴部１０４ｑと実質的に同一面内にあるように、対応する開口部１０４ｍ内に偏向することができる。信号接点１０６が対になって配置される実施形態では、各嵌合端部開口部１０４ｍは、一対の信号接点１０６の接点ビーム１０６ｍに整列させることができる。接地板１０４のオフセット表面１０４ｎは、信号接点１０６が接地板１０４に対して隣接位置にあるときに、内向き−外向き方向に沿って信号接点１０６の第１のブロードサイド１０６ｅおよび第２のブロードサイド１０６ｆと整列することができる。
【００４５】
接地板１０４および信号接点１０６は、少なくとも１つの誘電体または電気絶縁インサート本体によって、上述した隣接位置に維持することができる。例えば、信号接点１０６の第１のセグメント１０６ｇおよび接地板１０４の第１の接地セグメント１０４ｇは、第１のインサート本体（例えば、図５および図６の１０８（１）または１０８（２））内に配置することができる。さらに、信号接点１０６の第２のセグメント１０６ｈおよび第２の接地セグメント１０４ｈは、第２のインサート本体（例えば、図５および図６の１１２（１）または１１２（２））内に配置することができる。第２のインサート本体は、第１のインサート本体から離間されて、それらの間に間隙（例えば、１１４（１）または１１４（２））を画定することができる。信号接点１０６のオフセット領域１０６ｊおよび屈曲領域１０４ｉは、間隙において信号接点１０６および接地板１０４の屈曲を可能にするように、間隙内に配置することができる。接地板１０４および信号接点１０６は、インサート成形、ステッ、圧入、または電気接点をハウジングに取り付けるための任意の他の適切な技法によって、第１のインサート本体１０８および第２のインサート本体１１２に取り付けることができる。
【００４６】
図９、図１５、および図１６を簡単に参照すると、各接地板１０４（１）および１０４（２）は、その第１の平坦表面１０４ｅおよび第２の平坦表面１０４ｆのうちの１つに沿って、その装着端部１０４ａからその嵌合端部１０４ｂまでの長さを有することができる。接地板１０４（１）の長さは、接地板１０４（２）の長さよりも長くすることができる。さらに、第１の接地板１０４（１）および第２の接地板１０４（２）の第１のセグメント１０４ｇおよび第２のセグメント１０４ｈは、それぞれ長さを有することができる。第１の接地板１０４（１）の第１のセグメント１０４ｇの長さは、第２の接地板１０４（２）の第１のセグメント１０４ｇの長さよりも長くすることができる。第１の接地板１０４（１）の第２のセグメント１０４ｈの長さは、第２の接地板１０４（２）の第２のセグメント１０４ｈの長さよりも長くすることができる。
【００４７】
同様に、各信号接点１０６（１）および１０６（２）は、その装着端部１０６ａからその嵌合端部１０６ｂまでの長さを有することができる。各信号接点１０６（１）の長さは、各信号接点１０６（２）の長さよりも長くすることができる。さらに、信号接点１０６（１）および１０６（２）の第１のセグメント１０６ｇおよび第２のセグメント１０６ｈは、それぞれ長さを有することができる。各第１の信号接点１０６（１）の第１のセグメント１０６ｇの長さは、各第２の信号接点１０６（２）の第１のセグメント１０６ｇの長さよりも長くすることができる。各第１の信号接点１０６（１）の第２のセグメント１０６ｈの長さは、各第２の信号接点１０６（２）の第２のセグメント１０６ｈの長さよりも長くすることができる。
【００４８】
ここで図１１および図１２を参照すると、接地板１０４および信号接点１０６は、接地板１０４および信号接点１０６の隣接位置が１つまたは複数のインサート本体によって維持されている間に、図９および図１０の直線状構成から角度付き構成に遷移することができる。説明の目的のために、インサート本体は、図１１および図１２から省略されていることに注意されたい。さらに、代替的実施形態では、接地板１０４および信号接点１０６は、１つまたは複数のインサート本体内に配置される前に、角度付き構成に遷移させることができることが理解されるであろう。
【００４９】
接地板１０４および信号接点１０６は、接地板１０４および信号接点１０６を、横方向Ａに沿って延びる曲げ線ＢＬに沿って曲げることによって遷移される。接地板１０４および信号接点１０６は、曲げ線ＢＬに沿って屈曲領域を画定する。曲げ線ＢＬは、接地板１０４の窓１０４ｐと、信号接点１０６の中間セグメント１０６ｉとに交差することができる。よって、中間セグメント１０６ｉおよび窓１０４ｐを屈曲領域に配置することができる。しかしながら、代替的実施形態では、接地板１０４および信号接点１０６は、接地板１０４の窓１０４ｐおよび信号接点１０６の中間セグメント１０６ｉと交差しない曲げ線に沿って曲げられ得ることが理解されるであろう。
【００５０】
角度付き構成では、接地板１０４の第２のセグメント１０４ｈは、横方向Ａおよび長手方向Ｌに沿って概ね平坦である。さらに、接地板１０４の第１のセグメント１０４ｇは、第２のセグメント１０４ｈから角度的にオフセットされた方向に沿って概ね平坦である。一実施例では、接地板１０４の第１のセグメント１０４ｇは、横方向Ａおよび横断方向Ｔに沿って概ね平坦である。よって、第１のセグメント１０４ｇは、第２のセグメント１０４ｈに対して実質的に垂直とすることができる。接地板１０４の第１のブロードサイド１０４ｅおよび第２のブロードサイド１０４ｆは、第１のセグメント１０４ｇにおいて長手方向Ｌと整列され、かつ第２のセグメント１０４ｈにおいて横断方向Ｔと整列され得る、内向き−外向き方向に沿って互いから離間する。
【００５１】
信号接点１０６の第２のセグメント１０６ｈは、横方向Ａおよび長手方向Ｌに延びる平面に沿って互いと同一面内にあることができる。信号接点１０６の第１のセグメント１０６ｇは、第２のセグメント１０６ｈから角度的にオフセットされた平面に沿って互いと同一面内にあることができる。一実施例では、信号接点１０６の第１のセグメント１０６ｇは、横方向Ａおよび横断方向Ｔに延びる平面に沿って互いと同一面内にあることができる。したがって、第２のセグメント１０４ｈおよび１０６ｈは、それぞれ、第１のセグメント１０４ｇおよび１０６ｇに対して実質的に垂直であることができる。各信号接点１０６の第１のブロードサイド１０６ｅおよび第２のブロードサイド１０６ｆは、第１のセグメント１０６ｇにおいて長手方向Ｌと、また、第２のセグメント１０６ｈにおいて横断方向Ｔと整列可能である、内向き−外向き方向に沿って互いから離間する。信号接点１０６の第１のセグメント１０６ｇは、接地板１０４の第１のセグメント１０４ｇと実質的に平行とすることができる。信号接点１０６の第２のセグメント１０６ｈは、接地板の第２のセグメント１０４ｇと実質的に平行とすることができる。
【００５２】
信号接点１０６の第１のセグメント１０６ｇは、長手方向Ｌに沿って接地板１０４から離間され、信号接点１０６の第２のセグメント１０６ｈは、横断方向Ｔに沿って接地板１０４から離間される。信号接点の中間セグメント１０６ｉは、横方向Ａに沿って接地板１０４の接続セグメント１０４ｉと整列される。したがって、横方向Ａに沿って延びる直線ＢＬは、信号接点１０６の中間セグメント１０６ｉおよび接地板１０４の接続セグメント１０４ｉと交差することができる。さらに、横方向Ａに沿って配向され、接地板本体１０４ｚを通らずに中間セグメント１０６ｉのオフセット領域１０６ｊを通過する直線は存在しない。各信号接点１０６の中間セグメント１０６ｉは、長手方向Ｌに沿って信号接点１０６の第１のセグメント１０６ｇから内向きにオフセットされ、横断方向Ｔに沿って信号接点１０６の第２のセグメント１０６ｇから内向きにオフセットされる。
【００５３】
代替的実施形態では、中間セグメント１０６ｉを除いて、信号接点１０６が接地板１０４から概して内向きに離間するように、接地板１０４および信号接点１０６の位置を切り替えることができることに留意されたい。例えば、信号接点１０６および接地板１０４は、信号接点１０６の第１のセグメント１０６ｇが長手方向Ｌに沿って接地板１０４から内向きに離間され、信号接点１０６の第２のセグメント１０６ｈが横断方向Ｔに沿って接地板１０４から内向きに離間されるように配置されることができる。信号接点の中間セグメント１０６ｉは、横方向Ａに沿って接地板１０４の屈曲領域１０４ｊと整列され得る。さらに、各信号接点１０６の中間セグメント１０６ｉは、長手方向Ｌに沿って信号接点１０６の第１のセグメント１０６ｇから外向きにオフセットされ、横断方向Ｔに沿って信号接点１０６の第２のセグメント１０６ｇから外向きにオフセットされ得る。接地板１０４の装着特徴部１０４ｋは、信号接点の装着特徴部１０６ｋと整列されるように、長手方向Ｌに沿って第２の接地平坦表面１０４ｆから内向きにオフセットされることができる。
【００５４】
図２、図１５、および図１７を参照すると、第１のコネクタ１００または第１のリードフレーム１１０（１）は、第１のコネクタ１００の第１の列Ｒ１の屈曲領域を覆うように構成された誘電体または電気絶縁カバー３００（１）を含むことができる。カバー３００（１）は、本体３０２と、本体３０２をリードフレーム１１０（１）に取り付けるように構成された少なくとも１つのファスナと、を含むことができる。カバー本体３０２は、第１のインサート本体１０８（１）と第２のインサート本体１１２（１）との間の間隙１１４（１）内に配置されるように構成することができる。間隙１１４（１）にカバー３００（１）を配置することは、屈曲領域におけるインピーダンスを制御するのに役立つことができる。カバー本体３０２は、第１の端部３０２ａと、第１の端部２０３ａの反対側の第２の端部３０２ｂと、を有する。第１の端部３０２ａは、第１のインサート本体１０８（１）に面するかまたは当接するように構成することができ、第２の端部２０３ｂは、第２のインサート本体１１２（１）に面するかまたは当接するように構成することができる。カバー本体３０２は、第１の端部３０２ａから第２の端部３０２ｂに延びる直角曲線または曲がりを画定することができる。
【００５５】
カバー本体３０２は、リードフレーム１１０（１）の電気接点に面するかまたは当接するように構成された内表面３０２ｃと、内表面３０２ｃの反対側の外表面３０２ｄと、を有する。カバー本体３０２は、外表面３０２ｄから離れる方向に内表面３０２ｃから延びる複数のスペーサ壁３０２ｃを含むことができる。スペーサ壁３０２ｃは、横方向Ａに沿って互いから離間し得る。例えば、スペーサ壁３０２ｃは、外表面３０２ｄから内表面３０２ｃに延びる方向に沿って信号接点１０６と整列するように離間することができる。信号接点１０６が対になって配置される実施形態では、スペーサ壁３０２ｃは、外表面３０２ｄから内表面３０２ｃに延びる方向に沿って信号接点１０６の対と整列するように離間することができる。
【００５６】
少なくとも１つのファスナは、カバー本体３０２を第１のインサート本体１０８（１）および第２のインサート本体１１２（１）の少なくとも一方に取り付けるように構成される。少なくとも１つのファスナは、第１のインサート本体１０８（１）に連結するように構成された少なくとも１つの第１のファスナ３０４を含むことができる。第１のファスナ３０４は、横方向Ａに沿って互いから離間し得る。各第１のファスナ３０４は、当接表面３０４ｂを有するかかり３０４ａを含むことができる。各当接表面３０４ｂは、図１５に示されるように、第１のインサート本体１０８（１）の対応する当接表面に当接するように構成することができる。
【００５７】
少なくとも１つのファスナは、第２のインサート本体１１２（１）に連結するように構成された少なくとも１つの第２のファスナ３０６を含むことができる。第２のファスナ３０６は、横方向Ａに沿って互いから離間し得る。さらに、第２のファスナ３０６のうちの個々のものはそれぞれ、第１の端部３０２ａから第２の端部３０２ｂまで延びる方向に沿って第１のファスナ３０４と整列されることができる。各第２のファスナ３０６は、当接表面３０６ｂを有するかかり３０６ａを含むことができる。各当接表面３０６ｂは、図１５に示されるように、第２のインサート本体１１２（１）の対応する当接表面に当接するように構成することができる。代替的実施形態では、少なくとも１つのファスナ３０４および３０６のそれぞれは、カバー３００を第１のインサート本体１０８（１）および第２のインサート本体１１２（２）に留めるのに適した任意の他の適切なファスナとして実装され得ることが理解されるであろう。
【００５８】
第１のコネクタ１００または第２のリードフレーム１１２（１）は、第１のコネクタ１００の第２の列の屈曲領域を覆うように構成された誘電体または電気絶縁カバー３００（２）を含むことができる。第２のカバー３０２（２）は、第１のカバー３０２（１）に関して上述したように実装され得る。しかしながら、いくつかの実施形態では、第２のカバー３０２（２）は、かかり３０４ａおよび３０６ａを含まなくてもよい。
【００５９】
図１、図７および図８を参照すると、第２の電気コネクタ２００は、第２の誘電体または電気絶縁コネクタハウジング２０２と、コネクタハウジング２０２によって支持される複数の電気接点と、を含む。複数の電気接点は、横方向Ａに沿って配向され、第１のコネクタ１００の第１の列Ｒ１と嵌合するように構成される、第１の列Ｒ１の電気接点を画定することができる。第１の列Ｒ１は、第１の接地板２０４（１）と、第１の複数の信号接点２０６（１）と、を含むことができる。第１の接地板２０４（１）は、信号接点２０６（１）を、（以下で説明する）第２の列Ｒ２の電気接点および第１の電気コネクタ１００が装着されるＰＣＢのうちの少なくとも１つから遮蔽するように構成され得る。
【００６０】
第１の接地板２０４（１）および第１の複数の信号接点２０６（１）は、少なくとも１つの誘電体または電気絶縁インサート本体２０８（１）によって支持され得、これは、コネクタハウジング２０２によって支持される。したがって、電気コネクタ２００は、少なくとも１つのインサート本体２０８（１）、第１の接地板２０４（１）、および第１の複数の信号接点２０６（１）を含む、第１のインサート組立体またはリードフレーム２１０（１）を含むことができる。第１の接地板２０４（１）および第１の複数の信号接点２０６（１）は、インサート成形、ステッチ、圧入、または電気接点をハウジングに取り付けるための任意の他の適切な技法によって、インサート本体２０８（１）に取り付けることができる。
【００６１】
第２の電気コネクタ２００の複数の電気接点は、横方向Ａに沿って配向され、第１のコネクタ１００の第２の列Ｒ２と嵌合するように構成される、第２の列Ｒ２の電気接点を画定することができる。第２の列Ｒ２は、横断方向Ｔに沿って第１の列Ｒ１から内向きに離間され得る。本開示の実施形態は２つの列を有することに限定されず、様々な実施形態では、第２の電気コネクタ２００は、わずか１列または３列以上の電気接点を含み得ることが理解されるであろう。第２の列Ｒ２は、第２の接地板２０４（２）と、第２の複数の信号接点２０６（２）と、を含むことができる。第２の接地板２０４（２）は、信号接点２０６（２）を、第１の電気コネクタ１００が装着されるＰＣＢから遮蔽するように構成され得る。
【００６２】
第２の接地板２０４（２）および第２の複数の信号接点２０６（２）は、少なくとも１つの誘電体または電気絶縁インサート本体２０８（２）によって支持され得、これは、コネクタハウジング２０２によって支持される。したがって、電気コネクタ２００は、少なくとも１つのインサート本体２０８（２）、第２の接地板２０４（２）、および第２の複数の信号接点２０６（２）を含む、第２のインサート組立体またはリードフレーム２１０（２）を含むことができる。第２の接地板２０４（２）は、信号接点２０６（２）を、第１の電気コネクタ１００が装着されるＰＣＢから遮蔽するように構成され得る。第２の接地板２０４（２）および第２の複数の信号接点２０６（２）は、インサート成形、ステッチ、圧入、または電気接点をハウジングに取り付けるための任意の他の適切な技法によって、インサート本体２０８（２）に取り付けることができる。
【００６３】
第２のコネクタハウジング２０２は、装着端部２０２ａと、装着端部２０２ａからオフセットされた嵌合端部２０２ｂと、を有している。第２のコネクタハウジング２０２は、装着端部２０２ａおよび嵌合端部２０２ｂを通って長手方向Ｌに沿って延びる第１の接点開口部２０２ｃを画定することができる。第１の接点開口部２０２ｃは、長手方向Ｌに沿って第１の列Ｒ１の電気接点を受容するように構成され得る。例えば、第１の接点開口部２０２ｃは、第１の列Ｒ１の電気接点を支持する第１のリードフレーム２１０（１）を受容するように構成することができる。第１のコネクタハウジング２０２は、第１の接点開口部２０２ｃ内に延びる第１の複数のディバイダ壁２０２ｄを含むことができる。第１のディバイダ壁２０２ｄは、横方向Ａに沿って互いから離間し得る。例えば、第１のディバイダ壁２０２ｄは、電気接点を互いから分離するように離間され得る。いくつかの実施形態では、第１のディバイダ壁２０２ｄは、信号接点２０６（１）の対を互いから、また、（図１３および図１４に関連して後述する）接地接点ビーム２０４ｍおよび２０４ｒから分離するように離間され得る。
【００６４】
第２のハウジング２０２は、装着端部２０２ａおよび嵌合端部２０２ｂを通って長手方向Ｌに沿って延びる第２の接点開口部２０２ｅも画定することができる。第２の接点開口部２０２ｅは、横断方向Ｔに沿って第１の接点開口部２０２ｃから離間され得る。第２の接点開口部２０２ｅは、長手方向Ｌに沿って第２の列Ｒ２の電気接点を受容するように構成され得る。例えば、第２の接点開口部２０２ｅは、第２の列Ｒ２の電気接点を支持する第２のリードフレーム２１０（２）を受容するように構成することができる。第１のコネクタハウジング２０２は、第２の接点開口部２０２ｅ内に延びる第２の複数のディバイダ壁２０２ｆを含むことができる。第２のディバイダ壁２０２ｆは、横方向Ａに沿って互いから離間し得る。例えば、第２のディバイダ壁２０２ｆは、電気接点を互いから分離するように離間され得る。いくつかの実施形態では、第２のディバイダ壁２０２ｅは、信号接点２０６（２）の対を互いから、また、（図１３および図１４に関連して後述する）接地接点ビーム２０４ｍおよび２０４ｒから分離するように離間され得る。
【００６５】
図１３および図１４を参照すると、一実施形態による接地板２０４および複数の信号接点２０６が、示されている。図７および図８の第１の接地板２０４（１）および第２の接地板２０４（２）の一方または両方は、図１３および図１４の接地板２０４によって示されるように実装され得る。同様に、第１の複数の信号接点２０６（１）および第２の複数の信号接点２０６（２）の一方または両方は、信号接点２０６によって示されるように実装することができる。
【００６６】
各信号接点２０６は、信号装着端部２０６ａと、信号装着端部２０６ａの反対側の信号嵌合端部２０６ｂと、を有する。信号接点２０６は、それぞれ略直線状構成にあり、この構成では、信号装着端部２０６ａは、信号嵌合端部２０６ｂが嵌合するように構成された同じ方向（例えば、長手方向Ｌ）に装着されるように構成されている。各信号接点２０６は、第１の信号エッジ２０６ｃと、横方向Ａに沿って第１の信号エッジ２０６ｃとは反対側の第２の信号エッジ２０６ｄと、を有する。各信号接点２０６は、第１の信号ブロードサイド２０６ｅと、第１の信号ブロードサイド２０６ｅとは反対側の第２の信号ブロードサイド２０６ｆと、を有する。各信号接点２０６は、横方向Ａに沿った第１の信号エッジ２０６ｃから第２の信号エッジ２０６ｄまでの幅、第１の信号ブロードサイド２０６ｅから第２の信号ブロードサイド２０６ｆまでの厚さ、ならびに第１の信号ブロードサイド２０６ｅおよび第２の信号ブロードサイド２０６ｆのうちの一方に沿って信号装着端部２０６ａから信号嵌合端部２０６ｂまでの長さを有することができる。幅は、厚さよりも大きくすることができる。さらに、長さは、幅および厚さよりも大きくてもよい。したがって、各信号接点２０６は、その信号装着端部２０６ａからその信号嵌合端部２０６ｂまで、その第１の信号ブロードサイド２０６ｅおよび第２の信号ブロードサイド２０６ｆのうちの一方に沿って延びるにつれて、細長くすることができる。
【００６７】
各信号接点２０６は、リードフレームのインサート本体（例えば、２１０（１）の本体２０８（１）または２１０（２）の本体２０８（２））に連結するように構成された信号接点本体２０６ｇを有する。各信号接点２０６の信号装着端部２０６ａは、信号接点本体２０６ｇから延びる信号装着特徴部２０６ｈを含むことができる。信号装着特徴部２０６ｈは、はんだボール（図示せず）を受容するように構成される装着尾部とすることができる。しかしながら、代替的実施形態では、装着特徴部２０６ｈは、圧入装着尾部、表面装着尾部、信号接点２０６をＰＣＢ上に装着するのに適した任意の他の適切な装着特徴部もしくは装着特徴部の組み合わせとして構成することができる。
【００６８】
各信号接点２０６の信号嵌合端部２０６ｂは、接点ビーム２０６ｍを含むことができる。接点ビーム２０６ｍは、屈曲形状、例えば湾曲形状を有する可撓性ビームとして構築することができる。本明細書に記載されるような屈曲構造は、例えば、端部を曲げることによって、または屈曲形状を打ち抜くことによって、または任意の他の適切な製造プロセスによって製造され得る、屈曲形状を指す。接点ビーム２０６ｍは、ビーム本体２０６ｎと、ビーム本体２０６から延びるスタブ２０６ｐと、を含むことができる。ビーム本体２０６ｎは、信号装着端部２０６ａから離れて信号接点本体２０６ｇから延びることができ、スタブ２０６ｐは、長手方向Ｌおよび横断方向Ｔから角度的にオフセットされた方向など、信号接点本体２０６ｇから角度的にオフセットされた方向に沿ってビーム本体２０６ｎから延びることができる。ビーム本体２０６ｎおよびスタブ２０６ｐは、エルボ２０６ｑにおいて互いに隣接することができる。ビーム本体２０６ｎの少なくとも一部は、内向き−外向き方向に沿って信号接点本体２０６ｇからオフセットされ得る。内向き−外向き方向は、横断方向Ｔと整列され得る。接点ビーム２０６ｍは、ビーム本体２０６ｎのオフセット部分を信号接点本体２０６ｎに接続する実質的に「ｓ」字形の曲線を画定することができる。
【００６９】
図１６を簡単に見ると、各信号接点２０６のエルボ２０６ｑは、第１のコネクタ１００が長手方向Ｌに沿って信号接点２０６の接点ビーム２０６ｍと嵌合する際に、第１の電気コネクタ１００の対応する電気接点１０６に対してこすりつけられるように構成されている。各信号接点２０６が対応する電気接点１０６に対してこすりつけられる際に、信号接点２０６の接点ビーム２０６ｍは、第２の信号ブロードサイド２０６ｆから第１の信号ブロードサイド２０６ｅに延びる方向に沿って偏向する。次いで、接点ビーム２０６ｍは、その非偏向位置に完全に戻ることなく、その非偏向位置に向かって戻るように偏向することができる。嵌合すると、各接点ビーム２０６ｍは、内向き−外向き方向に沿って対応する接点１０６にバイアス力を加えるように、第１の電気コネクタ１００の対応する接点１０６に接触するように構成される。
【００７０】
図１３および図１４に戻ると、接地板２０４は、金属または損失性材料、あるいは信号接点２０６に対して遮蔽を提供する任意の他の適切な材料から作ることができる。したがって、接地板２０４は、シールドと呼ぶこともできる。接地板２０４は接地板本体２０４ｇを有し、これは、互いからオフセットしている、接地装着端部１０４ａと接地嵌合端部２０４ｂとを画定する。図１３および図１４の接地板２０４は、略直線状構成にあり、この構成では、接地装着端部２０４ａは、接地嵌合端部２０４ｂが嵌合するように構成された同じ方向（例えば、長手方向Ｌ）に装着されるように構成されている。代替的実施形態では、接地板２０４は、直角構成で実装され得ることが理解されるであろう。
【００７１】
接地板２０４は、第１の接地エッジ２０４ｃと、横方向Ａに沿って第１の接地エッジ２０４ｃから離間した第２の接地エッジ２０４ｄと、を有する。接地板２０４は、第１の接地平坦表面２０４ｅと、第１の接地平坦表面２０４ｅの反対側の第２の接地平坦表面２０４ｆとを有している。接地板２０４は、横方向Ａに沿った第１の接地エッジ２０４ｃから第２の接地エッジ２０４ｄまでの幅、第１の平坦表面２０４ｅから第２の平坦表面２０４ｆまでの厚さ、ならびに第１の平坦表面２０４ｅおよび第２の平坦表面２０４ｆのうちの一方に沿って接地装着端部２０４ａから接地嵌合端部２０４ｂまでの長さを有することができる。長さおよび幅は、厚さよりも大きくすることができる。いくつかの実施形態では、幅は、長さよりも大きくすることができる。
【００７２】
接地板本体２０４ｇは、リードフレームのインサート本体（例えば、２１０（１）の本体２０８（１）または２１０（２）の本体２０８（２））に連結するように構成される。接地装着端部２０４ａは、第２の相補的な電気構成要素（例えば、ＰＣＢ）に取り付けられるように構成された複数の装着特徴部２０４ｈを含むことができる。接地装着特徴部２０４ｈは、横方向Ａに沿って互いから離間し得る。各装着特徴部２０４ｈは、はんだボール（図示せず）を受容するように構成される装着尾部として構成することができる。しかしながら、代替的実施形態では、各装着特徴部２０４ｈは、圧入装着尾部、表面装着尾部、接地板２０４をＰＣＢ上に装着するのに適した任意の他の適切な装着特徴部もしくは装着特徴部の組み合わせとして構成することができる。各装着特徴部２０４ｈは、内向き−外向き方向（例えば、第２の平坦表面２０４ｆから第１の平坦表面２０４ｅに延びる方向）に沿って、板本体２０４ｇからオフセットすることができる。
【００７３】
接地装着特徴部２０４ｈは、対をなして配置され得るが、本開示の実施形態はそのように限定されない。接地装着特徴部２０４ｈが対をなして配置される実施形態では、各対の接地装着特徴部２０４ｈは、横方向Ａに沿って第１の距離だけ互いから離間され得る。さらに、隣接する対は、第２の距離だけ互いから離間することができ、第２の距離は、第１の距離よりも大きい。いくつかの実施形態では、第２の距離は、横方向Ａに沿った信号接点２０６のうちの１つの幅と少なくとも同じ大きさとすることができる。いくつかのそのような実施形態では、第２の距離は、横方向Ａに沿った信号接点２０６のうちの２つの幅と少なくとも同じ大きさとすることができる。
【００７４】
接地嵌合端部２０４ｂは、複数の対向する接地接点ビーム２０４ｍおよび２０４ｒを含むことができる。接地接点ビーム２０４ｍおよび２０４ｒは、屈曲形状、例えば湾曲形状を有する可撓性ビームとして構築することができる。本明細書に記載されるような屈曲構造は、例えば、端部を曲げることによって、または屈曲形状を打ち抜くことによって、または任意の他の適切な製造プロセスによって製造され得る、屈曲形状を指す。各接地接点ビーム２０４ｍは、ビーム本体２０４ｎと、ビーム本体２０４ｎから延びるスタブ２０４ｐと、を含むことができる。スタブ２０４ｐは、ビーム本体２０４ｎから、ビーム本体２０４ｎから角度的にオフセットされた方向に沿って、例えば、長手方向Ｌおよび横断方向Ｔから角度的にオフセットされた方向に沿って延びることができる。この方向は、内向き−外向き方向に沿った方向成分を有することができる。ビーム本体２０４ｎおよびスタブ２０４ｐは、エルボ２０４ｑにおいて互いに隣接することができる。ビーム本体２０４ｎの少なくとも一部は、内向き−外向き方向に沿って板本体２０４ｇからオフセットされ得る。接地接点ビーム２０４ｍは、ビーム本体２０４ｎのオフセット部分を板本体２０４ｇに接続する実質的に「ｓ」字形の曲線を画定することができる。
【００７５】
同様に、各接地接点ビーム２０４ｒは、ビーム本体２０４ｓと、ビーム本体２０４ｓから延びるスタブ２０４ｔと、を含むことができる。スタブ２０４ｔは、ビーム本体２０４ｓから、ビーム本体２０４ｓから角度的にオフセットされた方向に沿って、例えば、長手方向Ｌおよび横断方向Ｔから角度的にオフセットされた方向に沿って延びることができる。この方向は、内向き−外向き方向における方向成分を有することができる。ビーム本体２０４ｎおよびスタブ２０４ｐは、エルボ２０４ｑにおいて互いに隣接することができる。接点ビーム２０４ｒのビーム本体２０４ｓの少なくとも一部は、内向き−外向き方向に沿って板本体２０４ｇからオフセットされ得る。接点ビーム２０４ｒは、ビーム本体２０４ｓのオフセット部分を板本体２０４ｇに接続する実質的に「ｓ」字形の曲線を画定することができる。
【００７６】
各接地接点ビーム２０４ｍは、対向する接地接点ビーム２０４ｒに隣接することができる。したがって、接地板２０４は、複数組の隣接する接点ビームを含むことができ、ここで、各組は、対向する接地接点ビーム２０４ｍおよび２０４ｒの少なくとも１つの対を含む。図示するように、いくつかの実施形態では、各組は、２つの接地接点ビーム２０４ｍと、１つの接地接点ビーム２０４ｒと、を含むことができる。各組において、対向する接地接点ビーム２０４ｒは、横方向Ａに関して一対の接地接点ビーム２０４ｍの間に位置することができる。１つの対の各接地接点ビーム２０４ｍは、長手方向Ｌに沿って接地装着特徴部２０４ｈの１つと整列することができる。各対の接地接点ビーム２０４ｍは、横方向Ａに沿って第１の距離だけ互いから離間することができる。さらに、接地接点ビーム２０４ｍの隣接する対は、第２の距離だけ互いから離間することができ、第２の距離は、第１の距離よりも大きい。いくつかの実施形態では、第１の距離は、横方向Ａに沿った接地接点ビーム２０４ｒのうちの１つの幅と少なくとも同じ大きさとすることができる。さらに、いくつかの実施形態では、第２の距離は、横方向Ａに沿った接地接点ビーム２０４ｒのうちの２つの幅と少なくとも同じ大きさとすることができる。
【００７７】
簡単に図１５を参照すると、対向する接地接点ビーム２０４ｍおよび２０４ｒは、第１の電気コネクタ１００および第２のコネクタ２００が長手方向Ｌに沿って互いに嵌合するにつれて、第１の電気コネクタ１００の対応する接地嵌合特徴部１０４ｑに対してこすりつけられるように構成されている。例えば、各接地接点ビーム２０４ｍは、接地嵌合特徴部１０４ｑのそれぞれにおいて接地板２０４の第１の平坦表面２０４ｅに対してこすりつけられるように構成されており、各接地接点ビーム２０４ｒは、接地嵌合特徴部１０４ｑのそれぞれにおいて接地板２０４の第２の平坦表面２０４ｆに対してこすりつけられるように構成されている。各接地接点ビーム２０４ｍが対応する接地嵌合特徴部１０４ｑに対してこすりつけられると、接点ビーム２０４ｍは内向き−外向き方向に沿って偏向する。次いで、接地接点ビーム２０４ｍは、その非偏向位置に完全に戻ることなく、非偏向位置に向かって戻るように偏向することができる。したがって、嵌合すると、各接点ビーム２０４ｍは、内向き−外向き方向に沿って、対応する接地嵌合特徴部１０４ｑにバイアス力を付与する。各接地接点ビーム２０４ｒが対応する接地嵌合特徴部１０４ｑに対してこすりつけられると、接点ビーム２０４ｒは内向き−外向き方向に沿って偏向する。次いで、接地接点ビーム２０４ｍは、その非偏向位置に完全に戻ることなく、非偏向位置に向かって戻るように偏向することができる。したがって、嵌合すると、各接点ビーム２０４ｒは、内向き−外向き方向に沿って、対応する接地嵌合特徴部１０４ｑにバイアス力を付与する。
【００７８】
図１４に示されるように、接地板２０４および信号接点２０６は、互いに対して隣接位置に配置されるように構成される。信号接点２０６は、横方向Ａに沿って互いから離間するように配置され得る。信号接点２０６は、横断方向に沿って接地板２０４から離間していてもよい。（図示のような）いくつかの実施形態では、信号接点２０６は、対をなして配置することができるが、本開示の実施形態は、そのように限定されない。各対の信号接点２０６は、差動信号対を画定することができる。各対の信号接点２０６は、エッジ間に配置され、横方向Ａに沿って第１の距離だけ互いから離間される。信号接点２０６の対は、横方向Ａに沿って第２の距離だけ互いから離間させることができ、第２の距離は第１の距離よりも大きい。いくつかの実施形態では、第２の距離は、横方向Ａに沿った信号接点２０６のうちの１つの幅と少なくとも同じ大きさとすることができる。いくつかのそのような実施形態では、第２の距離は、横方向Ａに沿った信号接点２０６のうちの２つの幅と少なくとも同じ大きさとすることができる。
【００７９】
信号接点２０６および接地板２０４は、信号接点２０６の信号装着特徴部２０６ｈが互いに並び、横方向Ａに沿って接地板２０４の接地装着特徴部２０４ｈと並ぶように、互いに対して配置することができる。信号接点２０６および接地装着特徴部２０４ｈが対をなして配置される実施形態では、接地装着特徴部２０４ｈの個々の対は、横方向Ａに関して信号接点２０６の２つの対の間に配置することができる。同様に、信号装着特徴部２０６ｈの個々の対は、横方向Ａに関して接地装着特徴部２０４ｈの２つの対の間に配置することができる。
【００８０】
信号接点２０６は、各信号接点２０６の接点ビーム２０６ｍが、横方向Ａに関して少なくとも２組の対向する接地接点ビーム２０４ｍおよび２０４ｒの間にくるように、接地板２０４に対して配置することができる。信号接点２０６が対をなして配置される実施形態では、各対の信号接点２０６は、横方向Ａに関して２組の対向する接地接点ビーム２０４ｍおよび２０４ｒの間に配置することができる。
【００８１】
接地板２０４および信号接点２０６は、少なくとも１つの誘電体または電気絶縁インサートによって、上述した隣接位置に維持することができる。例えば、信号接点２０６の信号接点本体２０６ｇおよび接地板２０４の板本体２０４ｇは、インサート本体（例えば、図７および図８の２０８（１）または２０８（２））内に配置することができる。接地板２０４および信号接点２０６は、インサート成形、ステッチ、圧入、または電気接点をハウジングに取り付けるための任意の他の適切な技法によって、インサート本体２０８に取り付けることができる。
【００８２】
図１８〜図３２の説明
直角コネクタにおける接点の装着端部の共平面性を維持することは、ＰＣＢ上への正確な装着を確実にするために重要である。接点の装着端部の位置が正確に制御されない場合、装着端部のうちの１つ以上が、ＰＣＢの対応する接点上に適切に装着されない可能性がある。従来の直角コネクタでは、装着端部の共平面性を維持することは、電気接点を曲げて直角を形成する場合に、制御が困難であり得る。したがって、以下の説明では、接点を曲げるのではなく、接点の別個のセグメントが互いに連結されて直角を形成する実施形態が開示される。
【００８３】
図１８〜図２１を参照すると、別の実施形態による電気コネクタ４００が示されている。この実施形態では、信号接点および接地接点はそれぞれ、図２３および図２４に示すように互いに連結されて角度付き接点を形成することができる、別個のセグメントを有することができる。電気コネクタ４００は、第１のＰＣＢなどの第１の相補的な電気構成要素（図示せず）上に装着されるように構成される。第１の電気コネクタ４００は、長手方向Ｌに沿って第２の電気コネクタ（不図示）と嵌合するように構成され、長手方向Ｌおよび横方向Ａの両方から角度的にオフセットされた方向において第１のＰＣＢ上に装着されるように構成された直角コネクタ（これに限定されない）などの、角度付きコネクタとすることができる。したがって、電気コネクタ４００および第２の電気コネクタは、コネクタシステムを形成することができる。いくつかの実施例では、角度的にオフセットされた方向は、長手方向Ｌおよび横方向Ａの両方に垂直な横断方向Ｔとすることができる。
【００８４】
第２の電気コネクタ（不図示）は、第２のＰＣＢなどの第２の相補的な電気構成要素（図示せず）上に装着されるように構成され得る。第２の電気コネクタは、長手方向Ｌにおいて第２のＰＣＢ上に装着されるように構成され、長手方向Ｌに沿って第２の電気コネクタと嵌合するように構成された、直線状コネクタとすることができる。しかしながら、代替的実施形態では、第２の電気コネクタは、（限定されないが）直角コネクタなどの角度付きコネクタとして実装することができることが理解されよう。嵌合されると、電気コネクタ４００および第２の電気コネクタは、第１および第２の相補的な電気構成要素を互いに電気通信させるように構成される。したがって、電気コネクタ４００および第２の電気コネクタは、第１および第２の相補的な電気構成要素のうちの少なくとも一方から第１および第２の相補的な電気構成要素のうちの他方までなど、第１の相補的な電気構成要素と第２の相補的な電気構成要素との間に導電経路を提供する。
【００８５】
図１８〜図２０および図２２を参照すると、電気コネクタ４００は、第１の誘電体または電気絶縁コネクタハウジング４０２と、コネクタハウジング４０２によって支持される複数の電気接点と、を含む。複数の電気接点は、横方向Ａに沿って配向された少なくとも１列の電気接点を画定することができる。各列は、電気接点の少なくとも１つのバンクを含むことができる。いくつかの実施形態では、各列は、横方向Ａに沿って互いにオフセットされた電気接点の複数のバンク４０５（１）および４０５（２）を含むことができる。加えて、または代わりに、いくつかの実施形態では、複数の電気接点は、内向き−外向き方向に沿って互いからオフセットされた複数の列Ｒ１、Ｒ２、Ｒ３およびＲ４の電気接点を画定することができる。図２０および図２２では、４つの列Ｒ１、Ｒ２、Ｒ３、およびＲ４の電気接点が示されており、各列は２つのバンク４０５（１）および４０５（２）を有する。本開示の実施形態は、電気接点の任意の適切な数の列および任意の適切な数のバンクを有することができることが理解されるであろう。
【００８６】
図２３〜図２６を簡単に参照すると、例としての一実施形態に従って、電気接点のバンク４０５が示されている。図２２のバンク４０５（１）および４０５（２）のうちの少なくとも１つ、最大ですべては、図２３のバンク４０５によって示されるように実装することができる。バンク４０５は、第１のリードフレーム４１０（１）および第２のリードフレーム４１０（２）を含む一対のウェハまたはリードフレームを含むことができる。第１のリードフレーム４１０（１）は、電気接点の装着端部を画定し、したがって、装着端部リードフレーム４１０（１）とみなすことができる。第２のリードフレーム４１０（２）は、電気接点の嵌合端部を画定し、したがって、嵌合端部リードフレーム４１０（２）とみなすことができる。各対のリードフレーム４１０（１）および４１０（２）は、７５°〜１０５°の角度θだけ互いから角度的にオフセットすることができる。一実施例では、リードフレーム４１０（１）および４１０（２）は、約９０°の角度θだけ互いから角度的にオフセットすることができる。
【００８７】
電気接点のバンク４０５は、接地接点４０４と、複数の信号接点４０６と、を含む。接地接点４０４および信号接点４０６は、銅、ニッケル、ベリリウム、金、銀、または任意の他の適切な金属、金属合金、もしくは導電性材料などの金属または損失性材料から作製することができる。以下にさらに詳細に説明するように、接地接点４０４は、第１の接地セグメント４０４ｇと、第１の接地セグメント４０４ｇに連結することができる別個の第２の接地セグメント４０４ｈと、を含むことができる。同様に、各信号接点４０６は、第１の信号セグメント４０６ｇと、第１の信号セグメント４０４ｇに連結することができる別個の第２の信号セグメント４０６ｈと、を含むことができる。各接地接点４０４は、（ｉ）隣接する列の電気接点、および（ｉｉ）電気コネクタ４００が装着されるＰＣＢのうちの少なくとも１つから、それぞれの信号接点４０６を遮蔽する接地シールドとして構成することができる。
【００８８】
電気接点のバンク４０５は、接地接点４０４および信号接点４０６を支持する少なくとも１つの誘電体または電気絶縁インサート本体４０８および４１２をさらに含むことができる。例えば、電気接点のバンク４０５は、第１の接地セグメント４０４ｇおよび第１の信号セグメント４０６ｇを支持する電気絶縁インサート本体４０８を含むことができる。したがって、リードフレーム４１０（１）は、インサート本体４０８、第１の接地セグメント４０４ｇ、および第１の信号セグメント４０６ｇを含むことができる。さらに、電気接点のバンク４０５は、第２の接地セグメント４０４ｈおよび第２の信号セグメント４０６ｈを支持する電気絶縁インサート本体４１２を含むことができる。したがって、リードフレーム４１０（２）は、インサート本体４１２、第２の接地セグメント４０４ｈ、および第２の信号セグメント４０６ｈを含むことができる。接地接点４０４および第２の複数の信号接点４０６は、インサート成形、ステッチ、圧入、または電気接点をハウジングに取り付けるための任意の他の適切な技法によって、少なくとも１つのインサート本体４０８および４１２に取り付けることができる。例えば、第１の接地セグメント４０４ｇおよび第１の信号セグメント４０６ｇをインサート本体４０８に取り付けることができ、第２の接地セグメント４０４ｈおよび第２の信号セグメント４０６ｈをインサート本体４１２に取り付けることができる。少なくとも１つの誘電体または電気絶縁インサート本体４０８および４１２は、接地接点４０４と信号接点４０６との間、および信号接点４０６のそれぞれの間に電気絶縁を提供することができる。
【００８９】
図２２に戻ると、複数列の電気接点を有する図２２に示すような実施形態では、リードフレーム４１０（１）および４１０（２）は、最外列から最内列まで延びる内向き方向に沿って、１つの列から次の列までサイズを減少させることができる。例えば、各装着端部リードフレーム４１０（１）は、横断方向Ｔに沿った高さを有することができ、リードフレーム４１０（１）の高さは、内向き方向に沿って１つの列から次の列へと減少することができる。同様に、各嵌合端部リードフレーム４１０（２）は、長手方向Ｌに沿った長さを有することができ、リードフレーム４１０（２）の長さは、内向き方向に沿って１つの列から次の列へと減少することができる。このサイズの減少により、電気接点の列を互いに入れ子にすることができる。
【００９０】
コネクタハウジング４０２は、装着端部４０２ａと、装着端部４０２ａからオフセットされた嵌合端部４０２ｂと、を有している。コネクタハウジング４０２は、装着端部４０２ａおよび嵌合端部４０２ｂを通って長手方向Ｌに沿って延びる少なくとも１つの接点開口部４０２ｃを画定することができる。各接点開口部４０２ｃは、長手方向Ｌに沿って電気接点のバンク４０５の一部を受容するように構成することができる。例えば、各接点開口部４０２ｃは、電気接点のバンク４０５の嵌合端部リードフレーム４１０（２）の少なくとも一部を受容するように構成することができる。コネクタハウジング４０２は、各接点開口部４０２ｃに対して、横断方向Ｔに沿って接点開口部４０２ｃ内に延びる複数のスペーサ壁４０２ｄを含むことができる。各接点開口部４０２ｃのスペーサ壁４０２ｄは、横方向Ａに沿って互いから離間することができる。例えば、スペーサ壁４０２ｄは、横断方向Ｔに沿って接地接点４０４のうちの１つの嵌合特徴部４０４ｑ（図２７および図２８に関連して後述する）と整列するように離間することができる。
【００９１】
複数列の電気接点を有する図２２に示されるような実施形態では、コネクタハウジング４０２は、各列に対して少なくとも１つの接点開口部４０２ｃを画定することができる。列Ｒの接点開口部４０２ｃは、横断方向Ｔに沿って互いからオフセットすることができる。さらに、電気接点の列が電気接点の複数のバンク４０５を有する図２２に示すような実施形態では、コネクタハウジング４０２は、各バンク４０５について接点開口部４０２ｃを画定することができる。列をなしたバンク４０５のための接点開口部４０２ｃは、横方向Ａに沿って互いからオフセットすることができる。
【００９２】
コネクタ本体４０２は、電気接点のバンク４０５を受容するように構成された少なくとも１つのレセプタクルを画定することができる。例えば、コネクタ本体４０２は、電気接点の複数のバンク４０５を受容するように構成された複数のレセプタクルを画定することができる。各レセプタクルは、電気接点のバンク４０５のうちの１つを受容するように構成することができる。複数列の電気接点を有する実施形態では、各列のレセプタクルは、横断方向Ｔに沿って互いからオフセットされ得る。列をなした接点の複数のバンク４０５を有する実施形態では、列をなしたレセプタクルは、横方向Ａに沿って互いからオフセットされ得る。図２２は、４列のレセプタクルを有する実施形態を示し、レセプタクルの各列は、２つのレセプタクルを有する。しかし、コネクタ本体４０２は、任意の適切な数の列のレセプタクル、および各列における任意の適切な数のレセプタクルを画定し得ることが理解されるであろう。
【００９３】
各レセプタクルは、コネクタ本体４０２によって画定される少なくとも１つの溝または凹部４０２ｅによって画定することができる。各溝４０２ｅは、長手方向Ｌに沿って細長くすることができる。各溝４０２ｅは、横方向Ａに沿ってコネクタ本体４０２の内表面内に延びることができる。例えば、各レセプタクルは、コネクタ本体４０２によって画定された一対の溝４０２ｅの間に画定することができる。各対の溝４０２ｅは、横方向Ａに沿って互いから離間することができ、互いに向かって開くことができる。各対の溝４０２ｅは、互いに対向するコネクタ本体４０２のそれぞれの内表面内に延びることができる。各対の溝４０２ｅは、長手方向Ｌに沿って、その間にバンク４０５のそれぞれの少なくとも一部を受容するように構成することができる。例えば、各対の溝４０２ｅは、長手方向Ｌに沿って、それぞれの嵌合端部リードフレーム４１０（２）のエッジを受容するように構成することができる。
【００９４】
コネクタ本体４０２は、少なくとも１つのブロック４０２ｆを含むことができる。各溝４０２ｅは、少なくとも１つのブロック４０２によって画定することができる。例えば、各ブロック４０２ｆは、溝４０２ｅが横方向Ａに沿って延びる内表面を含むことができる。いくつかの実施例では、コネクタ本体４０２は、複数の溝４０２ｅを画定する複数のブロック４０２ｆを含むことができ、各溝４０２ｅは、ブロック４０２ｆのうちの１つによって画定することができる。各ブロック４０２ｆは、コネクタ本体４０２の装着端部４０２ａから長手方向Ｌに沿って延びることができる。複数のブロック４０２ｆは、各レセプタクルに対して一対のブロック４０２ｆを含むことができる。各対のブロック４０２ｆは、横方向Ａに沿って互いから離間することができる。複数列の電気接点を有する実施形態では、各列のブロック４０２ｆは、横断方向Ｔに沿って互いからオフセットすることができる。さらに、ブロック４０２ｆは、それぞれ、長手方向に沿って長さを有することができ、ブロック４０２ｆの長さは、横断方向Ｔに沿って１つの列から次の列へと減少することができる。
【００９５】
列をなした接点の複数のバンク４０５を有する実施形態では、列をなしたブロック４０２ｆは、横方向Ａに沿って互いからオフセットすることができる。さらに、列をなした隣接するレセプタクル間の内部ブロック４０２ｆは、隣接するレセプタクル間で共有することができる。したがって、各内部ブロック４０２ｆは、互いから離れる方を向き、隣接するレセプタクルを画定する第１および第２の溝４０２ｅを画定することができる。図２２は、４列のブロック４０２ｆを有する実施形態を示し、ブロック４０２ｆの各列は、３つのブロック４０２ｆを有する。しかしながら、コネクタ本体４０２は、任意の適切な数の列のブロック４０２ｆと、各列における任意の適切な数のブロック４０２ｆとを画定することができることが理解されるであろう。
【００９６】
コネクタ本体４０２は、電気接点のバンク４０５に当接するように構成された少なくとも１つの当接表面４０２ｇを含むことができる。例えば、コネクタ本体４０２は、電気接点の複数のバンク４０５に当接するように構成された複数の当接表面４０２ｇを含むことができる。各当接表面４０５は、装着端部リードフレーム４１０（１）を、嵌合端部リードフレーム４１０（２）のそれぞれから角度的にオフセットされた方向に沿って配向するように、装着端部リードフレーム４１０（１）に当接するように構成することができる。例えば、各当接表面４０５は、嵌合端部リードフレーム４１０（２）に対して角度θをなすように装着端部リードフレーム４１０（１）を配向するように構成することができる。角度θは、７５°〜１０５°とすることができる。一実施例では、角度θは、実質的に９０°に等しくすることができ、したがって、各当接表面４０２ｇは、実質的に横方向Ａおよび横断方向Ｔに沿って延びる平面と整列させることができる。各当接表面４０２ｇは、ブロック４０２ｆ、例えばコネクタ本体４０２の嵌合端部４０２ｂの反対側のブロック４０２ｆの自由端部、によって画定することができる。
【００９７】
いくつかの実施形態において、コネクタ本体４０２は、当接表面４０２ｇにおいて、少なくとも１つの整列特徴部４０２ｈを含むことができ、これは、装着端部リードフレーム４１０（１）のそれぞれを、横方向Ａおよび横断方向Ｔに沿って当接表面４０２ｇと整列させるように構成される。例えば、コネクタ本体４０２は、複数の装着端部リードフレーム４１０（１）を、横方向Ａおよび横断方向Ｔに沿って当接表面４０２ｇと整列させるように構成される複数の整列特徴部４０２ｈを含むことができる。一実施例において、各整列特徴部４０２ｈは、当接表面４０２ｇのそれぞれに画定される開口部であり得る。しかしながら、各整列特徴部４０２ｈは、代替的に、装着端部リードフレーム４１０（１）のそれぞれの開口部に受容されるように構成される突起であってもよいことが理解されよう。
【００９８】
図２０および図２１を参照すると、電気コネクタ４００は、電気接点を覆って保護するように構成されたカバー４０３を含むことができる。カバー４０３は、横断方向Ｔに沿って互いから離間した上端部４０３ａおよび下端部４０３ｂを含むことができる。カバー４０３は、上端部４０３ａと下端部４０３ｂとの間に延びる凹部４０３ｃを画定することができる。凹部４０３ｃは、カバー４０３がそれらのそれぞれの装着端部と嵌合端部との間の位置で電気接点を保護するように、電気接点のエルボを受容するように構成することができる。
【００９９】
上端部４０３ａは、選択的に開閉されるように構成された蓋４０３ｄを含むことができる。例えば、カバー４０３が下端部４０３ｂから上端部４０３ａに延びる方向に沿ってハウジング４０２と係合するように並進運動すると、蓋４０３ｄを開くことができる。次いで、蓋４０３ｄは、いったん蓋４０３ｄが所定の位置にくると、電気接点上で閉じることができる。いくつかの実施形態において、一対の溝に沿って蓋４０３ｄをスライドさせることによって、蓋４０３ｄを長手方向Ｌに沿って開位置と閉位置との間で並進運動させることができる。他の実施形態では、蓋４０３ｄは、ヒンジ（図示せず）を中心として開位置まで回転させることができる。
【０１００】
下端部４０３ｂは、それを通って延びる複数のスロット４０３ｅを画定することができる。各スロット４０３ｅは、図１９に見られるように、電気接点の列またはバンクの装着端部を受容するように構成することができ、これにより、装着端部が相補的な電気構成要素に装着されるように配置される。カバー４０３は、ハウジング４０２の対応する連結特徴部４０２ｊと嵌合するように構成された少なくとも１つの連結特徴部４０３ｆを含むことができる。一実施例では、少なくとも１つの連結特徴部４０２ｊは、溝を画定することができ、少なくとも１つの連結特徴部４０３ｆは、溝内に受容されるように構成された舌部を画定することができる。舌部は、Ｔ字形または任意の他の適切な形状を有することができる。カバー４０３およびハウジング４０２は、カバー４０３をハウジング４０２に連結するように構成される任意の他の適切な他のタイプの連結特徴部を含むことができることが理解されるであろう。
【０１０１】
図２２から分かるように、コネクタ４００は、コネクタ４００をＰＣＢに固定するように構成された少なくとも１つの押さえブラケット４０１を含むことができる。各押さえブラケット４０１は、カバー４０３またはハウジング４０２の側面のスロットに挿入することができる。いくつかの実施形態では、押さえブラケット４０１は、カバー４０３をハウジング４０２に固定することができる。押さえブラケット４０１は、カバー４０３をＰＣＢに固定するように構成された上部水平アームと、ハウジング４０２をＰＣＢに固定するように構成された下部水平アームとを有することができる。
【０１０２】
次に、図２４、図２７、および図２８を参照すると、インサート本体４０８および４１２を有しない電気接点のバンクの一例が示されている。図２２のバンク４０５（１）および４０５（２）のうちの少なくとも１つ、最大ですべてを、図２４、図２７、および図２８に示すように実装することができる（ただし、バンクの長さおよび高さは、上述のように、１つの列から次の列へと変化することができる）。ここで特に図２７を参照すると、各信号接点４０６は、第１のセグメント４０６ｇ、および第２の別個のセグメント４０６ｈを有する。各第１のセグメント４０６ｇおよび各第２のセグメント４０６ｈは、それぞれ、第１の信号セグメントおよび第２の信号セグメントとも呼ばれ得ることに留意されたい。第１および第２のセグメントは、信号接点４０６が第１のセグメント４０６ｇから第２のセグメント４０６ｈまで７５°〜１０５°の角度θを定めるように、互いに連結するように構成される。いくつかの実施形態では、角度θは、実質的に９０°とすることができる。
【０１０３】
各第１のセグメント４０６ｇは、互いに対向する第１の対の表面４０６ｃを有する。各第１の表面４０６ｃは、ブロードサイドと呼ぶことができる。各第１のセグメント４０６ｇは、互いに対向し、第１の対の表面４０６ｃの間に延びる第１の対のエッジ４０６ｄを有する。各第１のセグメント４０６ｇは、第１の電気構成要素（図示せず）に装着するように構成された装着端部４０６ａを有する。各装着端部４０６ａは、信号装着端部と呼ぶことができる。各装着端部４０６ａは、はんだボール（図示せず）を受容するように構成された装着尾部のような装着特徴部４０６ｋを画定することができる。しかしながら、代替的実施形態では、装着特徴部４０６ｋは、圧入装着尾部、表面装着尾部、または信号接点４０６をＰＣＢ上に装着するのに適した任意の他の適切な装着特徴部もしくは装着特徴部の組み合わせとして構成することができる。
【０１０４】
各第１のセグメント４０６ｇは、長手方向Ｌおよび横方向Ａから角度的にオフセットされた角度オフセット方向ＤＡＯに沿って、その装着端部４０６ａからオフセットされた第１の連結端部４０６ｉを有する。いくつかの実施形態では、角度オフセット方向ＤＡＯは、横断方向Ｔとすることができる。各第１の連結端部４０６ｉは、第１の信号連結端部と呼ぶことができる。第１の連結端部４０６ｉは、少なくとも１つの第１の連結特徴部４０７を画定することができる。少なくとも１つの連結特徴部４０７は、例えば、第２のセグメント４０６ｈのそれぞれの突起を受容するように構成された開口部を画定することができる。しかしながら、少なくとも１つの連結特徴部４０７は、第２のセグメント４０６ｈのそれぞれの開口部に受容されるように構成された突起など、任意の他の適切な連結特徴部とすることができることが理解されよう。
【０１０５】
各第１のセグメント４０６ｇは、横方向Ａに沿った一方のエッジ４０６ｄから他方のエッジ４０６ｄまでの幅と、一方の表面４０６ｃから他方の表面４０６ｃまでの厚さと、その信号装着端部４０６ａからその第１の連結端部４０６ｉまでの長さとを有することができる。幅は、厚さよりも大きくすることができる。さらに、長さは、幅および厚さよりも大きくてもよい。
【０１０６】
各第２のセグメント４０６ｈは、互いに対向する第２の対の表面４０６ｅを有する。各第２の表面４０６ｅは、ブロードサイドと呼ぶことができる。各第２のセグメント４０６ｈは、互いに対向し、第２の対の表面４０６ｅの間に延びる第２の対のエッジ４０６ｆを有する。各第２のセグメント４０６ｈは、第２の電気構成要素（図示せず）の電気接点と嵌合するように構成された嵌合端部４０６ｂを有する。各嵌合端部４０６ｂは、信号嵌合端部と呼ぶことができる。
【０１０７】
各嵌合端部４０６ｂは、第２の電気構成要素の電気接点と嵌合するように構成された嵌合特徴部を画定することができる。例えば、各嵌合特徴部は、接点ビーム４０６ｍを含み得るが、本開示の実施形態は、他の適切な嵌合特徴部を実装することができる。接点ビーム４０６ｍは、第２のセグメントの本体から長手方向Ｌに沿って延びることができる。接点ビーム４０６ｍは、屈曲形状、例えば湾曲形状を有する可撓性ビームとして構築することができる。本明細書に記載されるような屈曲構造は、例えば、端部を曲げることによって、または屈曲形状を打ち抜くことによって、または任意の他の適切な製造プロセスによって製造され得る、屈曲形状を指す。接点ビーム４０６ｍは、ビーム本体４０６ｎと、ビーム本体４０６ｎから延びるスタブ４０６ｐと、を含むことができる。スタブ４０６ｐは、ビーム本体４０６ｎから、信号装着端部４０６ａから離れ、かつビーム本体４０６ｎから角度的にオフセットされた方向に沿って、例えば、長手方向Ｌおよび横方向Ａに沿って延びる平面から角度的にオフセットされた方向に沿って、延びることができる。ビーム本体４０６ｎおよびスタブ４０６ｐは、エルボ４０６ｑにおいて互いに隣接することができる。ビーム本体４０６ｎの少なくとも一部は、横断方向Ｔに沿って第２のセグメント４０６ｈからオフセットされ得る。接点ビーム４０６ｍは、ビーム本体４０６ｎのオフセット部分を第２のセグメント４０６ｈの本体に接続する実質的に「ｓ」字形の曲線を画定することができる。
【０１０８】
各エルボ４０６ｑは、第２の電気コネクタが長手方向Ｌに沿って信号接点４０６の接点ビーム４０６ｍと嵌合される際に、第２の電気コネクタ（図示せず）の対応する電気接点に対してこすりつけられるように構成されている。各信号接点４０６が、第２の電気コネクタの対応する電気接点に対してこすりつけられる際に、信号接点４０６の接点ビーム４０６ｍは、非偏向位置から偏向位置まで、横断方向Ｔに沿って偏向する。次いで、接点ビーム４０６ｍは、非偏向位置に完全に戻ることなく、その偏向位置からその非偏向位置に向かって横断方向Ｔに沿って戻るように偏向することができる。嵌合すると、各接点ビーム４０６ｍは、横断方向Ｔに沿って対応する接点にバイアス力を加えるように、第２の電気コネクタの対応する接点に接触するように構成される。
【０１０９】
各第２のセグメント４０６ｈは、長手方向Ｌに沿ってその嵌合端部４０６ｂからオフセットされた第２の連結端部４０６ｒを有する。各第２の連結端部４０６ｒは、第２の信号連結端部と呼ぶことができる。各第２の連結端部４０６ｒは、少なくとも１つの第２の連結特徴部４０９を画定することができる。少なくとも１つの連結特徴部４０９は、例えば、第１のセグメント４０６ｇのそれぞれの開口部に受容されるように構成された突起を画定することができる。しかしながら、少なくとも１つの連結特徴部４０９は、任意の他の適切な連結特徴部、すなわち第１のセグメント４０６ｇのそれぞれの突起を受容するように構成された開口部とすることができることが理解されよう。
【０１１０】
各第２のセグメント４０６ｈは、横方向Ａに沿った一方のエッジ４０６ｆから他方のエッジ４０６ｆまでの幅、一方の表面４０６ｅから他方の表面４０６ｅまでの厚さ、およびその信号嵌合端部４０６ｂからその第２の連結端部４０６ｒまでの長さを有することができる。幅は、厚さよりも大きくすることができる。さらに、長さは、幅および厚さよりも大きくてもよい。
【０１１１】
簡単に図２９〜図３２を見ると、連結特徴部４０７および４０９の様々な実施形態が示されている。図２９〜図３２に示すように、第１の連結特徴部４０７は、第１のセグメント４０６ｇのブロードサイド４０６ｃ内に、かつ第１のセグメント４０６ｇを少なくとも部分的に通って延びる開口部であり得る。開口部は、長方形の形状、円形の形状、または突起と嵌合するための任意の他の適した形状を有することができる。第２の連結特徴部４０９は、少なくとも部分的に開口部を通って延びるように寸法決めされ構成された突起であってもよい。突起は、長方形の形状、円形の形状、または開口部と嵌合するための任意の他の適した形状を有することができる。突起は、一方のエッジ４０６ｆから他方のエッジ４０６ｆまでの幅よりも小さい横方向に沿った幅を有することができる。いくつかの実施形態において、図２９〜図３１に示されるように、開口部は、開口部がブロードサイド４０６ｃと整列した平面内で閉鎖形状を画定するように、第１のセグメント４０６ｇの端部から離間され得る。他の実施形態では、図３２に示されるように、開口部は、開口部がブロードサイド４０６ｃと整列した平面内で開放形状を画定するように、第１のセグメント４０６ｇの端部で開放可能である。
【０１１２】
いくつかの実施形態では、開口部は、図３０に示すように、第１のセグメント４０６ｇを完全に貫通して、例えば一対のブロードサイド４０６ｃを貫通して延びることができる。他の実施形態において、開口部は、図３１の破線で示される凹部を画定するように、第１のセグメント４０６ｇを部分的に通って延びることができる。突起は、開口部内に、少なくとも部分的に第１のセグメント４０６ｇを通って延びるような大きさおよび構成にすることができる。例えば、図３０に示されるように、突起は、突起が一方のブロードサイド４０６ｃ内に延び、他方のブロードサイド４０６ｃを越えて延びるように、第１のセグメント４０６ｇを完全に通って延びるような大きさにすることができる。したがって、開口部は、方向に沿った厚さを有することができ、突起は、突起が完全に開口部を通って延びるように、厚さよりも大きい、方向Ｌに沿った長さを有することができる。あるいは、突起は、図３１に示されるように、第１のセグメント４０６ｇを部分的に通って、しかし完全には通らずに、延びるような大きさにされ得る。図２９〜図３２の突起および開口部は、第１のセグメントが突起を画定し、第２のセグメントが開口部を画定するように、逆にすることができることが理解されよう。したがって、第１の連結特徴部４０７および第２の連結特徴部７０９のうちの１つは、第１および第２の対のブロードサイド４０６ｃおよび４０６ｅのうちの１つにおいて画定される開口部であり得、第１および第２の連結部４０７および４０９のうちの他方の１つは、開口部内に受容されるように構成される突起であり得る。
【０１１３】
各実施形態において、突起は、溶接によって開口部内に固定することができる。溶接は、レーザ溶接、または超音波チップなどの任意の他の適切な溶接技術によって行うことができ、赤色レーザまたは緑色レーザなどの任意の適切なレーザを使用することができる。突起が開口部を完全に貫通して延びる実施例では、突起は、突起の末端部を溶融するように溶接することができ、これにより、突起を第１のセグメントに接合することができる。末端部を溶融することにより、信号セグメント４０６ｈの物理的全長を減少させることができる。末端部の溶融は、追加的にまたは代替的に、信号セグメントの末端部の物理的全幅を増加させることができる。したがって、突起の末端部を溶融することにより、末端部は、例えば、図２４に示すような実質的に半球形の形状を有するビードを形成することができる。代替的実施形態では、突起は、圧入、接合、溶接、はんだ付け、接着、または第１および第２のセグメントを接合するための他の任意の適切な技術によって、開口部内に固定することができる。接合は、エポキシまたは任意の他の適切な接着剤を使用して行うことができる。エポキシまたは接着剤は、導電性であってもよい。
【０１１４】
図２７に戻ると、少なくとも１つの第１の連結特徴部４０７および少なくとも１つの第２の連結特徴部４０９は、電気接点が、第１のセグメント４０６ｇから第２のセグメント４０６ｈまでの７５°〜１０５°の角度θを定めるように、互いに連結するように構成することができる。第１のセグメント４０６ｇおよび第２のセグメント４０６ｈが互いに連結されて信号接点４０６を形成すると、信号接点４０６は、装着端部４０６ａと嵌合端部４０６ｂとの間に連続的な導電経路を画定する。コネクタ４００のすべての信号接点４０６は、同じ連結特徴部を使用して実装することができ、または、信号接点４０６の少なくともいくつかは、他の信号接点４０６とは異なる連結特徴部を使用することができることが理解されよう。例えば、第１のセグメント４０６ｇのいくつかは、突起を用いて実装することができ、他のものは、開口部を用いて実装することができる。同様に、第２のセグメント４０６ｈのいくつかは、突起を用いて実装することができ、他のものは、開口部を用いて実装することができる。
【０１１５】
次に図２８を参照すると、接地接点４０４は、第１のセグメント４０４ｇと第２の別個のセグメント４０４ｈとを有する。第１のセグメント４０４ｇは第１の接地板とすることができ、第２のセグメント４０４ｈは第２の接地板とすることができる。第１のセグメント４０４ｇおよび第２のセグメント４０４ｈは、それぞれ、第１の接地セグメントおよび第２の接地セグメントとも呼ばれ得ることに留意されたい。第１および第２のセグメントは、接地接点４０４が、第１のセグメント４０４ｇから第２のセグメント４０４ｈまでの７５°〜１０５°の角度θを定めるように、互いに連結するように構成される。いくつかの実施形態では、角度θは、実質的に９０°とすることができる。
【０１１６】
第１のセグメント４０４ｇは、互いに対向する第１の対の表面４０４ｃを有する。各第１の表面４０４ｃは、ブロードサイドと呼ぶことができる。第１のセグメント４０４ｇは、互いに対向し、第１の対の表面４０４ｃの間に延びる第１の対のエッジ４０４ｄを有する。第１のセグメント４０４ｇは、第１の電気構成要素（図示せず）に装着されるように構成された装着端部４０４ａを有する。装着端部４０４ａは、接地装着端部と呼ぶことができる。第１のセグメント４０４ｇは、長手方向Ｌおよび横方向Ａから角度的にオフセットされた角度オフセット方向ＤＡＯに沿って装着端部４０４ａからオフセットされた第１の連結端部４０４ｉを有する。いくつかの実施形態では、角度オフセット方向ＤＡＯは、横断方向Ｔとすることができる。第１の連結端部４０４ｉは、第１の接地連結端部と呼ぶことができる。第１のセグメント４０４ｇは、横方向Ａに沿った一方のエッジ４０４ｄから他方のエッジ４０４ｄまでの幅と、一方の表面４０４ｃから他方の表面４０４ｃまでの厚さと、その接地装着端部４０４ａからその第１の連結端部４０４ｉまでの長さとを有することができる。長さおよび幅は、厚さよりも大きくすることができる。さらに、いくつかの実施形態では、幅は、長さよりも大きくすることができる。
【０１１７】
装着端部４０４ａは、ＰＣＢなどの第１の構成要素に装着されるように構成された少なくとも１つの装着特徴部４０４ｋを画定することができる。各装着特徴部４０４ｋは、はんだボール（図示せず）を受容するように構成される装着尾部として構成することができる。しかしながら、代替的実施形態では、各装着特徴部４０６ｋは、圧入装着尾部、表面装着尾部、または接地接点４０４をＰＣＢ上に装着するのに適した任意の他の適切な装着特徴部もしくは装着特徴部の組み合わせとして構成することができる。
【０１１８】
いくつかの実施例では、装着端部４０４ａは、複数の装着特徴部４０４ｋを画定することができる。装着特徴部４０４ｋは、横方向Ａに沿って互いから離間し得る。装着特徴部４０４ｋのうちの少なくともいくつかは、対をなして配置され得るが、本開示の実施形態はそのように限定されない。装着特徴部４０４ｋが対をなして配置される実施形態では、各対の装着特徴部４０４ｋは、横方向Ａに沿って第１の距離だけ互いから離間され得る。さらに、隣接する対は、第２の距離だけ互いから離間することができ、第２の距離は、第１の距離よりも大きい。いくつかの実施形態では、第２の距離は、横方向Ａに沿った信号接点４０６のうちの１つの幅と少なくとも同じ大きさとすることができる。いくつかのそのような実施形態では、第２の距離は、横方向Ａに沿った信号接点４０６のうちの２つの幅と少なくとも同じ大きさとすることができる。
【０１１９】
第１の連結端部４０４ｉは、少なくとも１つの第１の連結特徴部４０７を画定することができる。各第１の連結特徴部４０７は、例えば、第２のセグメント４０４ｈの突起を受容するように構成された開口部を画定することができる。いくつかの実施例では、各第１の連結特徴部４０７は、開口部を画定するタブを含むことができる。しかしながら、各第１の連結特徴部４０７は、第２のセグメント４０４ｈの開口部に受容されるように構成された突起など、任意の他の適切な連結特徴部とすることができることが理解されよう。
【０１２０】
いくつかの実施例では、少なくとも１つの第１の連結特徴部４０７は、複数の第１の連結特徴部４０７を含むことができる。第１の連結特徴部４０７は、横方向Ａに沿って互いから離間することができる。第１の連結特徴部４０７の少なくともいくつかは、対をなして配置することができるが、本開示の実施形態は、そのように限定されない。第１の連結特徴部４０７が対をなして配置される実施形態では、各対の第１の連結特徴部４０７は、横方向Ａに沿って第１の距離だけ互いから離間することができる。さらに、隣接する対は、第２の距離だけ互いから離間することができ、第２の距離は、第１の距離よりも大きい。いくつかの実施形態では、第２の距離は、横方向Ａに沿った信号接点４０６のうちの１つの幅と少なくとも同じ大きさとすることができる。いくつかのそのような実施形態では、第２の距離は、横方向Ａに沿った信号接点４０６のうちの２つの幅と少なくとも同じ大きさとすることができる。第１の連結特徴部４０７の各対は、一対の装着特徴部４０４ｋと整列させることができるが、本開示の実施形態はそのように限定されない。
【０１２１】
いくつかの実施形態において、第１のセグメント４０４ｇは、コネクタハウジング４０４の整列特徴部４０２ｈ（図２２に示される）と整列するように構成された少なくとも１つの整列特徴部４０４ｌを含むことができる。整列されると、整列特徴部４０４ｌおよび４０２ｈは、装着端部リードフレーム４１０（１）を、横方向Ａおよび横断方向Ｔに沿って当接表面４０２ｇと整列させることができる。例えば、第１のセグメント４０４ｇは、コネクタハウジング４０４の整列特徴部４０２ｈと整列するように構成される一対の整列特徴部４０４ｌを含むことができる。一実施例では、各整列特徴部４０４ｌは、第１のセグメント４０４ｇの表面４０４ｃに画定された開口部とすることができる。コネクタは、バンク４０５をハウジング４０２に固定するために、開口部４０４ｌおよびハウジング４０２の開口部４０２ｈを通って延びるファスナを含むことができる。しかしながら、各整列特徴部４０４ｌは、代替的に、ハウジング４０４の開口部に受容されるように構成される突起であってもよいことが理解されよう。第２のセグメント４０４ｈは、バックアウトを制限するためにハウジング４０２のレセプタクルと摩擦嵌合を形成するように構成された少なくとも１つのかかり４０４ｔを含むことができる。
【０１２２】
第２のセグメント４０４ｈは、互いに対向する第２の対の表面４０４ｅを有する。各第２の表面４０６ｅは、ブロードサイドと呼ぶことができる。第２のセグメント４０４ｈは、互いに対向し、第２の対の表面４０４ｅの間に延びる第２の対のエッジ４０４ｆを有する。第２のセグメント４０４ｈは、第２の電気構成要素（図示せず）の電気接点と嵌合するように構成された嵌合端部４０４ｂを有する。嵌合端部４０４ｂは、接地嵌合端部と呼ぶことができる。第２のセグメント４０４ｈは、長手方向Ｌに沿って嵌合端部４０４ｂからオフセットされた第２の連結端部４０４ｒを有する。第２の連結端部４０４ｒは、第２の接地連結端部と呼ぶことができる。各第２のセグメント４０４ｈは、横方向Ａに沿った一方のエッジ４０４ｆから他方のエッジ４０４ｆまでの幅、一方の表面４０４ｅから他方の表面４０４ｅまでの厚さ、およびその嵌合端部４０４ｂからその第２の連結端部４０４ｒまでの長さを有することができる。長さおよび幅は、厚さよりも大きくすることができる。さらに、いくつかの実施形態では、幅は、長さよりも大きくすることができる。
【０１２３】
第２のセグメント４０４ｈは、平坦表面４０４ｅのうちの少なくとも１つの中に延びる嵌合端部４０４ｂに隣接する複数の嵌合端部開口部４０４ｍを画定することができる。嵌合端部開口部４０４ｍは、横方向Ａに沿って互いから離間し得る。第２のセグメント４０４ｈは、各嵌合端部開口部４０４ｍに対してオフセット表面４０４ｎを含むことができる。各オフセット表面４０４ｎは、横断方向Ｔに沿って嵌合端部開口部４０４ｍのそれぞれと整列させることができる。さらに、各オフセット表面４０４ｎは、横断方向Ｔに関して嵌合端部開口部４０４ｍのそれぞれからオフセットさせることができる。各オフセット表面４０４ｎは、図２３および図２４に示されるように、接地接点４０４の内方へ、電気接点またはＰＣＢから、一対の接点ビーム４０６ｍなどの少なくとも１つの接点ビーム４０６ｍを遮蔽するように構成される。
【０１２４】
嵌合端部４０４ｂは、第２の電気構成要素の電気接点と嵌合するように構成された、複数の嵌合特徴部４０４ｑなどの少なくとも１つの嵌合特徴部４０４ｑを画定することができる。嵌合特徴部４０４ｑは、横方向Ａに沿って互いから離間し得る。さらに、嵌合特徴部４０４ｑの個々のものは、横方向Ａに関して嵌合端部開口部４０４ｍのうちの２つの間に配置することができる。一実施形態では、各嵌合特徴部４０４ｑは、第２の電気コネクタの少なくとも１つの接点ビームと嵌合するように構成された第１の平坦表面を有する平坦な嵌合セグメントを含むことができる。例えば、各嵌合特徴部４０４ｑは、図１５に示されるのと同様の方法で、第２のコネクタの対向する接地接点ビームと嵌合するように構成された第１および第２の平坦表面を含むことができる。したがって、各嵌合特徴部４０４ｑは、第２の電気コネクタの一対の対向する接地接点ビームの間に受容することができる。代替的実施形態では、各嵌合特徴部４０４ｑは、（限定されないが）接点ビームなどの任意の他の適切な嵌合インターフェースを画定することができる。
【０１２５】
第２の連結端部４０４ｒは、少なくとも１つの第２の連結特徴部４０９を画定することができる。少なくとも１つの連結特徴部４０９は、例えば、第１のセグメント４０４ｇのそれぞれの開口部に受容されるように構成された突起を画定することができる。しかしながら、少なくとも１つの連結特徴部４０９は、任意の他の適切な連結特徴部、すなわち第１のセグメント４０４ｇのそれぞれの突起を受容するように構成された開口部とすることができることが理解されよう。
【０１２６】
いくつかの実施例では、少なくとも１つの第２の連結特徴部４０９は、複数の第２の連結特徴部４０９を含むことができる。第２の連結特徴部４０９は、横方向Ａに沿って互いから離間することができる。第２の連結特徴部４０９の少なくともいくつかは、対をなして配置することができるが、本開示の実施形態は、そのように限定されない。第２の連結特徴部４０９が対になって配置される実施形態では、各対の第２の連結特徴部４０９は、横方向Ａに沿って第１の距離だけ互いから離間することができる。さらに、隣接する対は、第２の距離だけ互いから離間することができ、第２の距離は、第１の距離よりも大きい。いくつかの実施形態では、第２の距離は、横方向Ａに沿った信号接点４０６のうちの１つの幅と少なくとも同じ大きさとすることができる。いくつかのそのような実施形態では、第２の距離は、横方向Ａに沿った信号接点４０６のうちの２つの幅と少なくとも同じ大きさとすることができる。第１の連結特徴部４０７の各対は、嵌合特徴部４０４ｑと整列させることができるが、本開示の実施形態は、そのように限定されない。
【０１２７】
図２９〜図３２を簡単に参照すると、第１の連結特徴部４０７は、第１のセグメント４０４ｇのブロードサイド４０４ｃ内に、かつ第１のセグメント４０４ｇを少なくとも部分的に通って延びる開口部であり得る。開口部は、長方形の形状、円形の形状、または突起と嵌合するための任意の他の適した形状を有することができる。第２の連結特徴部４０９は、少なくとも部分的に開口部を通って延びるような大きさおよび構成にされた突起であってもよい。突起は、長方形の形状、円形の形状、または開口部と嵌合するための任意の他の適した形状を有することができる。この突起は、一方のエッジ４０４ｆから他方のエッジ４０４ｆまでの幅よりも小さい横方向に沿った幅を有することができる。いくつかの実施形態において、図２９〜図３１に示されるように、開口部は、開口部の周辺部が、ブロードサイド４０４ｃと整列した平面内で閉鎖形状を画定するように、第１のセグメント４０４ｇの端部から離間され得る。他の実施形態において、図３２に示されるように、開口部は、開口部の周辺部が、ブロードサイド４０４ｃと整列した平面内で開放形状を画定するように、第１のセグメント４０４ｇの端部で開放可能である。
【０１２８】
いくつかの実施形態において、開口部は、図３０に示されるように、第１のセグメント４０４ｇを完全に貫通して、例えば一対のブロードサイド４０４ｃを通って、延びることができる。他の実施形態において、開口部は、図３１の破線で示される凹部を画定するように、第１のセグメント４０４ｇを部分的に通って延びることができる。この突起は、開口部内に、かつ第１のセグメント４０４ｇを少なくとも部分的に通って延びるような大きさおよび構成にされ得る。例えば、図３０に示されるように、突起は、突起が一方のブロードサイド４０４ｃ内に延び、他方のブロードサイド４０４ｃを越えて延びるように、第１のセグメント４０４ｇを完全に通って延びるような大きさにすることができる。したがって、開口部は、方向に沿った厚さを有することができ、突起は、突起が開口部を完全に貫通して延びるように、厚さよりも大きい、方向Ｌに沿った長さを有することができる。あるいは、突起は、図３１に示されるように、第１のセグメント４０４ｇを部分的に通るが、完全には通らずに延びるような大きさにされ得る。図２９〜図３２の突起および開口部は、第１のセグメントが突起を画定し、第２のセグメントが開口部を画定するように、逆にすることができることが理解されよう。したがって、第１の連結特徴部４０７および第２の連結特徴部７０９のうちの一方は、第１および第２の対のブロードサイド４０４ｃおよび４０４ｅのうちのブロードサイドの１つに画定される開口部とすることができ、第１の連結部４０７および第２の連結部４０９のうちの他方は、開口部内に受容されるように構成される突起とすることができる。
【０１２９】
各実施形態において、突起は、溶接によって開口部内に固定することができる。溶接は、レーザ溶接、または超音波チップなどの任意の他の適切な溶接技術によって行うことができ、赤色レーザまたは緑色レーザなどの任意の適切なレーザを使用することができる。突起が開口部を完全に貫通して延びる実施例では、突起は、突起の末端部を溶融するように溶接することができ、これにより、突起を第１のセグメントに接合することができる。末端部を溶融することは、接地セグメント４０４ｈの物理的全長を減少させることができる。末端部の溶融は、追加的にまたは代替的に、接地セグメントの末端部の物理的全幅を増大させることができる。このように、突起の末端部を溶融することにより、末端部は、例えば、実質的に半球形の形状を有するビードを形成することができる。代替的実施形態では、突起は、圧入、接合、溶接、はんだ付け、接着、または第１および第２のセグメントを接合するための他の任意の適切な技術によって、開口部内に固定することができる。接合は、エポキシまたは任意の他の適切な接着剤を使用して行うことができる。エポキシまたは接着剤は、導電性であってもよい。
【０１３０】
図２８に戻ると、少なくとも１つの第１の連結特徴部４０７および少なくとも１つの第２の連結特徴部４０９は、電気接点が、第１のセグメント４０４ｇから第２のセグメント４０４ｈまでの７５°〜１０５°の角度θを定めるように、互いに連結するように構成することができる。第１のセグメント４０４ｇおよび第２のセグメント４０４ｈが互いに連結されて接地接点４０４を形成すると、接地接点４０４は、装着端部４０４ａと嵌合端部４０４ｂとの間に連続的な導電経路を画定する。さらに、接地接点４０４は、接地接点４０４のエルボに、少なくとも１つの窓４０４ｐ、例えば複数の窓４０４ｐを画定する。エルボは、第１の接地セグメント４０４ｇおよび第２の接地セグメント４０４ｈが互いに連結される位置などで、接地装着端部４０４ａと接地嵌合端部４０４ｂとの間に画定され得る。各窓４０４ｐは、接地接点４０４の第１の連結特徴部４０７のうちの２つの間、および接地接点４０４の第２の連結特徴部４０９のうちの２つの間で、横方向Ａに関して整列された位置に画定される。
【０１３１】
第１のセグメント４０４ｇは、１つのタイプの連結特徴部（例えば、開口部もしくは突起）で実装され得、または異なるタイプの連結特徴部（例えば、開口部および突起）で実装され得ることが理解されよう。同様に、第２のセグメント４０４ｈは、１つのタイプの連結特徴部（例えば、開口部もしくは突起）で実装され得、または異なるタイプの連結特徴部（例えば、開口部および突起）で実装され得る。さらに、第１の接地セグメント４０４ｇおよび第１の信号セグメント４０６ｇは、１つのタイプの連結特徴部（例えば、突起もしくは開口部）を用いて実装され得、または異なるタイプの連結特徴部を用いて実装され得る（例えば、第１のセグメント４０４ｇは、開口部を用いて実装され得、第１のセグメント４０６ｇは、突起を用いて実装され得るか、またはその逆とすることができる）。同様に、第２の接地セグメント４０４ｈおよび第２の信号セグメント４０６ｈは、１つのタイプの連結特徴部（例えば、突起もしくは開口部）を用いて実装され得る、または異なるタイプの連結特徴部を用いて実装され得る（例えば、第２のセグメント４０４ｈは、開口部を用いて実装され得、第２のセグメント４０６ｈは、突起を用いて実装され得るか、またはその逆とすることができる）。
【０１３２】
図２４に戻って、接点のバンク４０５における接地接点４０４および信号接点４０６の配置を説明する。信号接点４０６は、列の方向に沿って互いから離間するように配置され得る。列の方向は、横方向Ａとすることができる。（図示のような）いくつかの実施形態では、信号接点４０６は、対をなして配置することができるが、本開示の実施形態は、そのように限定されない。信号接点４０６の各対は、差動信号対を画定することができる。各対の信号接点４０６は、エッジ間に配置され、横方向Ａに沿って第１の距離だけ互いから離間され得る。一対の信号接点はエッジ連結される。信号接点４０６の個々の対は、横方向Ａに沿って第２の距離だけ互いから離間させることができ、第２の距離は第１の距離よりも大きい。いくつかの実施形態では、第２の距離は、横方向Ａに沿った信号接点４０６のうちの１つの幅と少なくとも同じ大きさとすることができる。いくつかのそのような実施形態では、第２の距離は、横方向Ａに沿った信号接点４０６のうちの２つの幅と少なくとも同じ大きさとすることができる。図２４は、４対の信号接点４０６および単一の接地接点４０４を示すが、任意の適切な数の信号接点および接地接点を使用することができることが理解されよう。複数の列を有する実施形態では、信号対は、横断方向Ｔに沿って１つの列から次の列へとオフセットすることができ、その結果、１つの列内の一対の接点間に延びる線は、隣接する列内の一対の接点間に延びない。
【０１３３】
接地シールド４０４は、接地シールド４０４の窓４０４ｐのそれぞれが内向き−外向き方向に沿って信号接点４０６の少なくとも１つと整列するように、信号接点４０６から離間させることができる。各信号接点４０６は、第１の信号セグメント４０６ｇが第１の接地セグメント４０４ｇから離間し、第２の信号セグメント４０６ｈが第２の接地セグメント４０４ｈから離間するように、接地接点４０４から外向きに配置することができる。したがって、接地接点４０４または信号接点４０６のいずれとも交差することなく、接地接点４０４と全ての信号接点４０６の第１のセグメント４０６ｇとの間を、横方向Ａに沿って、線が延びることができる。言い換えれば、接地接点４０４の任意の部分を通って延びることなく、横方向Ａに沿って全ての信号接点４０６の第１のセグメント４０６ｇを通って線が延びることができる。同様に、接地接点４０４と全ての信号接点４０６の第２のセグメント４０６ｈとの間で、横方向Ａに沿って、接地接点４０４または信号接点４０６のいずれとも交差することなく、線が延びることができる。言い換えれば、接地接点４０４の任意の部分を通って延びることなく、横方向Ａに沿って全ての信号接点４０６の第２のセグメント４０６ｈを通って線が延びることができる。代替的実施形態では、接地接点４０４および信号接点４０６の位置は、信号接点４０６が接地接点４０４から概して内向きに離間するように切り替えることができることに留意されたい。
【０１３４】
信号接点４０６および接地接点４０４は、信号接点４０６の信号装着特徴部４０６ｋが互いに並び、横方向Ａに沿って接地板４０４の接地装着特徴部４０４ｋと並ぶように、互いに対して配置することができる。個々の信号装着特徴部４０６ｋは、横方向Ａに関して接地装着特徴部４０４ｋのうちの２つの間に配置することができる。信号接点４０６が対をなして配置される実施形態では、信号装着特徴部４０６ｋの個々の対は、横方向Ａに関して接地装着特徴部４０４ｋのうちの２つの間に配置することができる。接地装着特徴部４０４ｋが対をなして配置される実施形態では、接地装着特徴部４０４ｋの個々の対は、横方向Ａに関して信号装着特徴部４０６ｋのうちの２つの間に配置することができる。信号接点４０６および接地装着特徴部４０４ｋの両方が対をなして配置される実施形態では、接地装着特徴部４０４ｋの個々の対は、横方向Ａに関して信号装着特徴部４０６ｋの２つの対の間に配置することができる。同様に、信号装着特徴部４０６ｋの個々の対は、横方向Ａに関して接地装着特徴部４０４ｋのうちの２つの対の間に配置することができる。
【０１３５】
信号接点４０６は、各信号接点４０６の接点ビーム４０６ｍが、横断方向Ｔに沿って、嵌合端部開口部４０４ｍの１つと整列されるように、接地接点４０４に対して配置することができる。したがって、各接点ビーム４０６ｍは、接点ビーム４０６ｍが、第２の電気コネクタの嵌合端部と嵌合する際に、対応する嵌合端部開口部４０４ｍ内に偏向するように構成される。好ましくは、各接点ビーム４０６ｍは、接点ビーム４０６ｍが第２の電気コネクタと嵌合するときに、接点ビーム４０６ｍの本体４０６ｎが嵌合特徴部４０４ｑと実質的に同一面内にあるように、対応する開口部４０４ｍ内に偏向することができる。信号接点４０６が対になって配置される実施形態では、各嵌合端部開口部４０４ｍは、一対の信号接点４０６の接点ビーム４０６ｍと整列させることができる。接地接点４０４のオフセット表面４０４ｎは、信号接点４０６が接地接点４０４に対して隣接位置にあるときに、横断方向Ｔに沿って信号接点４０６のブロードサイド４０６ｅと整列させることができる。
【０１３６】
接地接点４０４および信号接点４０６は、少なくとも１つの誘電体または電気絶縁インサート本体によって、上述した隣接位置に維持することができる。例えば、信号接点４０６の第１のセグメント４０６ｇおよび接地接点４０４の第１のセグメント４０４ｇは、第１のインサート本体４０８によって支持することができる。さらに、信号接点４０６の第２のセグメント４０６ｈおよび接地接点４０４の第２のセグメント４０４ｈは、第２のインサート本体４１２によって支持され得る。接地接点４０４および信号接点４０６は、インサート成形、ステッチ、圧入、または電気接点をハウジングに取り付けるための任意の他の適切な技法によって、第１のインサート本体４０８および第２のインサート本体４１２に取り付けることができる。
【０１３７】
接地接点４０４の第２のセグメント４０４ｈは、横方向Ａおよび長手方向Ｌに沿って概ね平坦である。さらに、接地接点４０４の第１のセグメント４０４ｇは、角度オフセット方向ＤＡＯに沿って概ね平坦である。一実施例では、角度オフセット方向ＤＡＯは、横断方向Ｔである。よって、第１のセグメント４０４ｇは、第２のセグメント４０４ｈに対して実質的に垂直とすることができる。
【０１３８】
信号接点４０６の第２のセグメント４０６ｈは、横方向Ａおよび長手方向Ｌに延びる平面に沿って互いと同一面内にあることができる。信号接点４０６の第１のセグメント４０６ｇは、横方向Ａおよび角度オフセット方向ＤＡＯに沿って延びる平面に沿って互いと同一面内にあることができる。一実施例では、角度オフセット方向ＤＡＯは、横断方向Ｔである。したがって、第２のセグメント４０６ｈは、第１のセグメント４０６ｇに対して実質的に垂直であり得る。信号接点４０６の第１のセグメント４０６ｇは、接地接点４０４の第１のセグメント４０４ｇと実質的に平行であり得る。信号接点４０６の第２のセグメント４０６ｈは、接地接点４０４の第２のセグメント４０４ｇと実質的に平行とすることができる。
【０１３９】
図２２および図２４に戻って、次に、角度付きコネクタ４００を組み立てる方法を説明する。この方法は、電気コネクタ４００のハウジング４０２に電気接点の少なくとも１つのバンク４０５（１）および４０５（２）を取り付けることを含み、ここで、各バンク４０５（１）および４０５（２）は、横方向Ａに沿って列をなして配置された複数の信号接点４０６と、横方向Ａに垂直な内向き−外向き方向に沿って信号接点４０６からオフセットされた接地シールド４０４とを含む。この方法は、電気接点の１つのバンクもしくは２つ以上のバンクを有するコネクタに対して、また１列の電気接点もしくは２列以上を有するコネクタに対して実施することができることが理解されるであろう。複数列のバンク４０５（１）および４０５（２）を採用する実施形態では、列は、最も下または最も内側の列Ｒ１で始まり、最も上または最も外側の列Ｒ４で終わる順序でコネクタハウジング４０２に取り付けることができる。例えば、少なくとも１つのバンクは、第１の列Ｒ１および第２の列Ｒ２それぞれのための第１のバンク４０５（１）および第２のバンク４０５（１）を含むことができ、この方法は、第２のバンクが横方向Ａに垂直な外向き方向に沿って第１のバンクから離れるように、第１のバンクの後に第２のバンクを取り付けることを含むことができる。
【０１４０】
各バンク４０５（１）および４０５（２）は、バンクの第２のリードフレーム４１０（２）をハウジング４０２のレセプタクルに挿入し、その後、第１のリードフレーム４１０（１）を第２のリードフレーム４１０（２）に連結することによって、ハウジング４０２に取り付けることができる。しかしながら、代替的実施形態では、第１のリードフレーム４１０（１）および第２のリードフレーム４１０（２）は、第２のリードフレーム４１０（２）がレセプタクルに挿入される前に、互いに連結され得ることに留意されたい。第１のリードフレーム４１０（１）を第２のリードフレーム４１０（２）に連結するステップは、各信号接点４０６について、信号接点４０６の第１の信号セグメント４０６ｇを信号接点４０６の第２の信号セグメント４０６ｈに連結して、第１の信号セグメント４０６ｇと第２の信号セグメント４０６ｈとの間に７５°〜１０５°の角度を定め、第１の信号セグメント４０６ｇの装着端部４０６ａから第２の信号セグメント４０６ｈの嵌合端部４０６ｂまでの連続した導電経路を画定することを含むことができる。また、このステップは、接地シールド４０４の第１の接地セグメント４０４ｇを接地シールド４０４の第２の接地セグメント４０４ｈに連結して、第１の接地セグメント４０４ｇと第２の接地セグメント４０４ｈとの間に７５°〜１０５°の角度を定め、第１の接地セグメント４０４ｇの装着端部４０４ａから第２の接地セグメント４０４ｈの嵌合端部４０４ｂまでの連続的な導電経路を画定することを含むことができる。第１の接地セグメント４０４ｇを第２の接地セグメント４０４ｈに連結する際に、第１の接地セグメント４０４ｇは、第２の接地セグメント４０４ｈに対して７５°〜１０５°の角度で第１の接地セグメント４０４ｇを配向するように、ハウジング４０２の当接表面４０２ｇに当接することができる。
【０１４１】
第１の信号セグメント４０６ｇは、第１の信号セグメント４０６ｇおよび第２の信号セグメント４０６ｈのうちの一方の突起を、第１の信号セグメント４０４ｇおよび第２の信号セグメント４０４ｈのうちの他方の開口部内に受容することによって、第２の信号セグメント４０６ｈに連結することができる。第１の接地セグメント４０４ｇは、第１の接地セグメント４０４ｇおよび第２の接地セグメント４０４ｈのうちの一方の突起を、第１の接地セグメント４０４ｇおよび第２の接地セグメント４０４ｈのうちの他方の開口部に受容することによって、第２の接地セグメント４０４ｈに連結することができる。加えて、または代替的に、第１の信号セグメント４０６ｇおよび第２の信号セグメント４０６ｈを互いに溶接することによって、各第１の信号セグメント４０６ｇを対応する第２の信号セグメント４０６ｈに連結することができる。第１の接地セグメント４０４ｇは、第１の接地セグメント４０４ｇおよび第２の接地セグメント４０４ｈを互いに溶接することによって、第２の接地セグメント４０４ｈに連結することができる。溶接は、第１の信号セグメント４０６ｇおよび第２の信号セグメント４０６ｈのうちの一方の突起の少なくとも一部などの連結特徴部４０７または４０９を溶融して、その連結特徴部を第１の信号セグメント４０６ｇおよび第２の信号セグメント４０６ｈの他方に接合することを含むことができる。同様に、溶接は、第１の接地セグメント４０４ｇおよび第２の接地セグメント４０４ｈのうちの一方の突起の少なくとも一部などの連結特徴部４０７または４０９を溶融して、その連結特徴部を第１の接地セグメント４０４ｇおよび第２の接地セグメント４０４ｈのうちの他方に接合することを含み得る。いくつかの実施形態では、連結特徴部は、第１の信号セグメント４０４ｇおよび第２の信号セグメント４０４ｈのうちの他方を完全に貫通して延びる突起であり得、第１の信号セグメント４０４ｇおよび第２の信号セグメント４０４ｈのうちの他方を通って延びる突起の端部は、溶接によって溶融され得る。
【０１４２】
図１８に戻ると、電気コネクタ４００は、エッジ連結された差動信号対を有することができ、２７ＧＨｚでの約５４ギガビット／秒から４０ＧＨｚでの約８０ギガビット／秒の間の速度で、電気接点の嵌合端部と装着端部との間のデータ信号を転送することができ、８．５ピコ秒の立ち上がり時間（１０パーセントから９０パーセント）で４０ＧＨｚにかけて−４０ｄＢ〜−８０ｄＢである近端クロストーク電力和を有し、８．５ピコ秒の立ち上がり時間（１０パーセントから９０パーセント）で４０ＧＨｚにかけて−４０ｄＢ〜−８０ｄＢである遠端クロストーク電力和を有し、差動挿入損失を２７ＧＨｚにかけて０〜−２ｄＢの範囲、４０ＧＨｚにかけて０〜−４ｄＢの範囲で維持する。
【０１４３】
引き続き図１８を参照して、本開示の電気コネクタの寸法をここで説明する。寸法は、図１８を参照して説明されるが、電気コネクタ１００の対応する寸法は、以下の寸法と同じであり得ることが理解されよう。信号接点４０６の各対は、横方向Ａに沿ってその対の信号接点４０６の間の中間にある中心を画定することができる。各バンク４０５内の信号接点４０６の対は、１つの対の中心から隣接する対の中心までの距離ｄ１を画定することができる。中心間距離ｄ１は、横方向Ａに沿った信号接点ピッチを画定することができる。信号接点ピッチは、各バンク内で、また１つのバンクから次のバンクまで一定にすることができる。したがって、各列のバンク４０５は、一定の信号接点ピッチを有することができ、各列のバンク４０５は、他の各列のバンク４０５の信号接点ピッチと同じ信号接点ピッチを有することができる。したがって、電気コネクタ４００は、一定の信号接点ピッチを有すると言える。いくつかの実施例では、距離ｄ１は約３．２ｍｍ、例えば３．２ｍｍの±１０％以内とすることができる。例えば、距離ｄ１は、２．８８ｍｍ〜３．５２ｍｍの範囲内とすることができる。
【０１４４】
同様に、各接地シールド４０４は、横方向Ａに関して、信号接点４０６の２つの隣接する対の中間にある接地接点中心を画定することができる。例えば、接地接点中心は、嵌合特徴部４０４ｑの中心、または装着特徴部４０４ｋの中心とすることができる。各接地シールド４０４は、１つの接地接点中心から隣接する接地接点中心までの距離ｄ２を画定することができる。中心間距離ｄ２は、横方向Ａに沿って接地接点ピッチを画定することができる。接地接点ピッチは、各接地シールド４０４内で、また１つの接地シールド４０４から次の接地シールドまで一定であることができる。したがって、各列の接地シールド４０４は、一定の接地接点ピッチを有することができ、各列の接地シールド４０４は、他の各列の接地シールド４０４の接地接点ピッチと同じ接地接点ピッチを有することができる。したがって、電気コネクタ４００は、一定の接地接点ピッチを有すると言える。いくつかの実施例では、距離ｄ２は、約３．２ｍｍ、例えば３．２ｍｍの±１０％以内とすることができる。例えば、距離ｄ２は、２．８８ｍｍ〜３．５２ｍｍの範囲内とすることができる。
【０１４５】
電気コネクタ４００は、横方向に沿って延びる各列の中心線を画定することができる。電気コネクタ４００は、横断方向Ｔに沿って１つの列の中心線から次の列の中心線までの距離ｄ３を画定することができる。中心間距離ｄ３は、横断方向Ｔに沿って列ピッチを画定することができる。列ピッチは、１つの列から次の列まで一定とすることができる。したがって、電気コネクタ４００は、一定の列ピッチを有すると言える。いくつかの実施例では、距離ｄ３は、約１．８ｍｍ、例えば１．８ｍｍの±１０％以内とすることができる。例えば、距離ｄ２は、１．６２ｍｍ〜１．９８ｍｍの範囲内とすることができる。
【０１４６】
信号接点４０６の対は、１つの列から次の列に互い違いにすることができる。例えば、各列の第１の対の信号接点は、次の列の第１の対の信号接点から距離ｄ４だけオフセットさせることができる。距離ｄ４は、各列の第１の対の中心から、次の列の第１の対の中心までとすることができる。いくつかの実施例では、距離ｄ４は、約１．２ｍｍ、例えば１．２ｍｍの±１０％以内とすることができる。例えば、距離ｄ４は、１．０８ｍｍ〜１．３２ｍｍの範囲内とすることができる。
【０１４７】
電気コネクタ４００（および電気コネクタ１００）の嵌合端部４０２ｂは、バンク４０５の１つのカラムによって画定される信号接点フィールドを含むことができる。特に、信号接点フィールドは、（ｉ）バンク４０５の１つのカラムの最も外側の信号接点の最外点の間で横方向Ａに沿って延びる幅と、（ｉｉ）信号接点の最も外側の列の最外点の間で横断方向Ｔに沿って延びる高さ、とを有する、想像上の周辺部またはボックスによって画定することができる。例えば、信号接点フィールドは、（ｉ）列Ｒ１の最も右側の信号接点の最外点から、右から左に数えて、列Ｒ４の第４の信号対の最外点（すなわち、第８の信号接点４０６の最外点）までの横方向Ａに沿った幅、および（ｉｉ）列Ｒ１の最も右側の信号接点の最上点から、右から左に数えて、列Ｒ４の第４の信号対の最下点（すなわち、第８の信号接点４０６の最下点）までの横断方向Ｔに沿った高さを、有することができる。
【０１４８】
横方向Ａに沿った信号接点フィールドの幅は、約１１．６９ｍｍ、例えば１１．６９ｍｍの±１０パーセント以内とすることができる。図示のように、信号接点フィールドは、横方向Ａに沿って約１１．６９ｍｍ当たり４つの信号対（すなわち、８つの信号接点４０６）、例えば１１．６９ｍｍの±１０パーセント以内に４つの信号対、の横方向信号接点密度を有することができる。横断方向Ｔに沿った信号接点フィールドの高さは、約５．８６ｍｍ、例えば５．８６ｍｍの±１０％以内とすることができる。図示のように、信号接点フィールドは、横断方向Ｔに沿って約５．８６ｍｍ当たり４つの信号対（すなわち、８つの信号接点４０６）、例えば５．８６ｍｍの±１０％以内に４つの信号対、の横断方向信号接点密度を有することができる。さらに、信号接点フィールドは、横方向信号接点密度と横断方向信号接点密度との積に等しい面密度を有することができる。したがって、面密度は、約６８．５０平方ｍｍ（すなわち、１１．６９ｍｍ×５．８６ｍｍ）、例えば、５５．４９平方ｍｍ（すなわち、（１１．６９ｍｍ−１０パーセント）×（５．８６ｍｍ−１０パーセント））〜８２．８９平方ｍｍ（すなわち、（１１．６９ｍｍ＋１０パーセント）×（５．８６ｍｍ＋１０パーセント））、とすることができる。
【０１４９】
当業者であれば、広範な発明概念から逸脱することなく、上述の実施形態に変更を加えることができることを理解するであろう。さらに、本明細書に記載された実施形態のいずれかに関して上述された構造、特徴、および方法は、別段の指示がない限り、本明細書に記載されたその他の実施形態のいずれかに組み込むことができることを理解されたい。したがって、本発明は、開示された特定の実施形態に限定されず、本開示の趣旨および範囲内の修正を包含することが意図されることが理解される。
【０１５０】
特に明記しない限り、本開示における各数値および範囲は、あたかも「約」または「ほぼ」という語が値または範囲の値に先行するかのように近似していると解釈されるべきである。
【０１５１】
〔実施の態様〕
（１）  電気コネクタ用の電気接点において、
互いに対向する第１の対のブロードサイドと、互いに対向し、前記第１の対のブロードサイドの間に延びる第１の対のエッジと、第１の電気構成要素に装着されるように構成された装着端部と、前記装着端部からオフセットされた第１の連結端部と、を有する、第１のセグメントであって、前記第１の連結端部は、少なくとも１つの第１の連結特徴部を画定する、第１のセグメントと、
互いに対向する第２の対のブロードサイドと、互いに対向し、前記第２の対のブロードサイドの間に延びる第２の対のエッジと、第２の電気構成要素と嵌合するように構成された嵌合端部と、前記嵌合端部からオフセットされた第２の連結端部と、を有する、第２のセグメントであって、前記第２の連結端部は、少なくとも１つの第２の連結特徴部を画定する、第２のセグメントと、
を含み、
前記少なくとも１つの第１の連結特徴部および前記少なくとも１つの第２の連結特徴部は、電気接点が、前記第１のセグメントと前記第２のセグメントとの間に７５°〜１０５°の角度を定めるように、かつ前記第１および第２のセグメントが、前記装着端部と前記嵌合端部との間に連続的な導電経路を画定するように、互いに連結されている、電気接点。
（２）  前記少なくとも１つの第１の連結特徴部および前記少なくとも１つの第２の連結特徴部は、互いに溶接されている、実施態様１に記載の電気接点。
（３）  前記角度は約９０°である、実施態様１または２に記載の電気接点。
（４）  前記第１および第２の連結特徴部のうちの一方は、前記第１および第２のセグメントのそれぞれの前記ブロードサイドのうちの少なくとも１つの中に延びる開口部であり、前記第１および第２の連結特徴部のうちの他方は、前記開口部内に受容されるように構成される突起である、実施態様１または２に記載の電気接点。
（５）  前記開口部は、前記第１および第２のセグメントの前記それぞれを完全に貫通して延びる、実施態様４に記載の電気接点。
【０１５２】
（６）  前記開口部は、ある方向に沿った厚さを有し、前記突起は、前記突起が前記開口部を完全に貫通して延びるように、前記厚さよりも大きい、前記方向に沿った長さを有する、実施態様５に記載の電気接点。
（７）  前記開口部は、前記第１および第２のセグメントの前記それぞれを完全に貫通して延びることなく、前記第１および第２のセグメントの前記それぞれを部分的に通って延び、前記突起は、前記第１および第２のセグメントの前記それぞれを完全に貫通して延びることなく、前記開口部内に受容されている、実施態様４に記載の電気接点。
（８）  前記電気接点は接地接点であり、前記第１のセグメントは第１の接地板であり、前記第２のセグメントは第２の接地板である、実施態様１から７のいずれかに記載の電気接点。
（９）  前記少なくとも１つの第１の連結特徴部は、横方向に沿って互いから離間された複数の第１の連結特徴部を含み、前記少なくとも１つの第２の連結特徴部は、前記横方向に沿って互いから離間された複数の第２の連結特徴部を含む、実施態様８に記載の電気接点。
（１０）  前記第１の連結特徴部のうちの少なくともいくつかは、対をなして配置され、前記対は、各対における前記第１の連結特徴部間の距離よりも大きい距離だけ、前記横方向に沿って互いから離間され、前記第２の連結特徴部のうちの少なくともいくつかは、対をなして配置され、前記対は、各対における前記第２の連結特徴部間の距離よりも大きい距離だけ、前記横方向に沿って互いから配置されている、実施態様９に記載の電気接点。
【０１５３】
（１１）  前記装着端部は、横方向に沿って互いから離間された複数の装着特徴部を含み、前記嵌合端部は、前記横方向に沿って互いから離間された複数の嵌合特徴部を含む、実施態様１から１０のいずれかに記載の電気接点。
（１２）  前記装着特徴部のうちの少なくともいくつかは、対をなして配置され、前記対は、各対における前記装着特徴部間の距離よりも大きい距離だけ、横方向に沿って互いから離間されている、実施態様１１に記載の電気接点。
（１３）  前記電気接点は、信号接点である、実施態様１から７のいずれかに記載の電気接点。
（１４）  前記嵌合端部は、ビーム本体と、前記ビーム本体から角度的にオフセットされたスタブと、を有する可撓性の接点ビームを含み、前記ビーム本体および前記スタブは、第２の電気コネクタが前記可撓性の接点ビームと嵌合する際に前記第２の電気コネクタの対応する電気接点に対してこすりつけられるように構成されたエルボにおいて互いに隣接している、実施態様１３に記載の電気接点。
（１５）  角度付きコネクタ用の複数の電気接点において、
横方向に沿って列をなして互いから離間された複数の信号接点であって、各信号接点は、
第１の電気構成要素に装着されるように構成された信号装着端部と、前記信号装着端部からオフセットされた第１の信号連結端部と、を有する第１の信号セグメントと、
第２の電気構成要素と嵌合するように構成された信号嵌合端部と、前記信号嵌合端部からオフセットされた第２の信号連結端部と、を有する第２の信号セグメントと、
を含み、前記第２の信号連結端部は、前記信号接点が前記第１の信号セグメントと前記第２の信号セグメントとの間に７５°〜１０５°の角度を定めるように、また、前記信号装着端部から前記信号嵌合端部まで連続的な導電経路を画定するように、前記第１の信号連結端部に連結されている、複数の信号接点と、
前記横方向に垂直な内向き−外向き方向に沿って前記信号接点から離間している接地シールドであって、
第１の電気構成要素に装着されるように構成された接地装着端部と、前記接地装着端部からオフセットされた第１の接地連結端部と、を有する第１の接地セグメントと、
第２の電気構成要素と嵌合するように構成された接地嵌合端部と、前記接地嵌合端部からオフセットされた第２の接地連結端部と、を有する第２の接地セグメントと、
を含み、前記第２の接地連結端部は、前記接地シールドが前記第１の接地セグメントと前記第２の接地セグメントとの間に７５°〜１０５°の角度を定めるように、また、前記接地装着端部から前記接地嵌合端部まで連続的な導電経路を画定するように、前記第１の接地連結端部に連結されている、接地シールドと、
を含む、複数の電気接点。
【０１５４】
（１６）  各信号接点の前記第１および第２の信号セグメントは互いに溶接され、前記接地接点の前記第１および第２の接地セグメントは互いに溶接されている、実施態様１５に記載の複数の電気接点。
（１７）  各信号接点の前記第１および第２の信号セグメントは、前記信号接点の前記第１および第２の信号セグメントを互いに連結する、第１および第２の連結特徴部をそれぞれ画定し、
前記第１および第２の接地セグメントは、前記第１および第２の接地セグメントを互いに連結する、少なくとも第１および第２の連結特徴部をそれぞれ画定する、実施態様１５または１６に記載の複数の電気接点。
（１８）  各信号接点の前記第１および第２の連結特徴部のうちの一方は、開口部を画定し、各信号接点の前記第１および第２の連結特徴部のうちの他方は、前記開口部内に受容される突起を画定し、
前記接地接点の前記第１および第２の連結特徴部のうちの一方は、開口部を画定し、前記接地接点の前記第１および第２の連結特徴部のうちの他方は、前記接地接点の前記開口部内に受容される突起を画定する、実施態様１７に記載の角度付き電気コネクタ。
（１９）  前記信号接点のそれぞれの前記開口部は、前記信号接点の前記第１および第２の信号セグメントのそれぞれを完全に貫通して延び、前記接地接点の前記開口部は、前記接地接点の前記第１および第２の接地セグメントのそれぞれを完全に貫通して延びる、実施態様１８に記載の角度付き電気コネクタ。
（２０）  各信号接点の前記突起は、前記信号接点の前記開口部を完全に貫通して延び、前記接地接点の前記突起は、前記接地接点の前記開口部を完全に貫通して延びる、実施態様１９に記載の角度付き電気コネクタ。
【０１５５】
（２１）  前記コネクタは、２７ＧＨｚでの約５４ギガビット／秒から４０ＧＨｚでの約８０ギガビット／秒の間の速度で、前記電気接点の前記嵌合端部と前記装着端部との間でデータ信号を転送するように構成されている、実施態様１９に記載の角度付き電気コネクタ。
（２２）  前記電気コネクタは、８．５ピコ秒の立ち上がり時間（１０パーセントから９０パーセント）で４０ＧＨｚにかけて−４０ｄＢ〜−８０ｄＢである近端クロストーク電力和を有する、実施態様２１に記載の角度付き電気コネクタ。
（２３）  前記電気コネクタは、８．５ピコ秒の立ち上がり時間（１０パーセントから９０パーセント）で４０ＧＨｚにかけて−４０ｄＢ〜−８０ｄＢである遠端クロストーク電力和を有する、実施態様２１または２２に記載の角度付き電気コネクタ。
（２４）  前記電気コネクタは、２７ＧＨｚにかけて０〜−２ｄＢの範囲、また４０ＧＨｚにかけて０〜−４ｄＢの範囲の差動挿入損失を有する、実施態様２１から２３のいずれかに記載の角度付き電気コネクタ。
（２５）  角度付き電気コネクタを組み立てる方法において、
電気接点の少なくとも１つのバンクを電気コネクタのハウジングに取り付けることを含み、各バンクは、横方向に沿って一列に配置された複数の信号接点と、前記横方向に垂直な内向き−外向き方向に沿って信号接点からオフセットされた接地シールドと、を含み、各バンクについて取り付けることは、
各信号接点について、前記信号接点の第１の信号セグメントを前記信号接点の第２の信号セグメントに連結して、前記第１の信号セグメントと前記第２の信号セグメントとの間に７５°〜１０５°の角度を定め、前記第１の信号セグメントの装着端部から前記第２の信号セグメントの嵌合端部まで連続した導電経路を画定することと、
前記接地シールドの第１の接地セグメントを前記接地シールドの第２の接地セグメントに連結して、前記第１の接地セグメントと前記第２の接地セグメントとの間に７５°〜１０５°の角度を定め、前記第１の接地セグメントの装着端部から前記第２の接地セグメントの嵌合端部まで連続した導電経路を画定することと、
を含む、方法。
【０１５６】
（２６）  前記第１の信号セグメントを前記第２の信号セグメントに連結することは、前記第１および第２の信号セグメントのうちの一方の突起を、前記第１および第２の信号セグメントのうちの他方の開口部に受容することを含み、
前記第１の接地セグメントを前記第２の接地セグメントに連結することは、前記第１および第２の接地セグメントのうちの一方の突起を、前記第１および第２の接地セグメントのうちの他方の開口部に受容することを含む、実施態様２５に記載の方法。
（２７）  前記第１の信号セグメントを前記第２の信号セグメントに連結することは、前記第１および第２の信号セグメントを互いに溶接することを含み、
前記第１の接地セグメントを前記第２の接地セグメントに連結することは、前記第１および第２の接地セグメントを互いに溶接することを含む、実施態様２５または２６に記載の方法。
（２８）  前記第１および第２の信号セグメントを溶接することは、前記第１および第２の信号セグメントのうちの一方の連結特徴部を溶融させて、前記連結特徴部を前記第１および第２の信号セグメントのうちの他方に接合することを含む、実施態様２７に記載の方法。
（２９）  前記連結特徴部は、前記第１および第２の信号セグメントのうちの他方を通って延びる突起である、実施態様２８に記載の方法。
（３０）  前記方法は、
連結するステップの前に、前記バンクの第２のリードフレームを前記ハウジングのレセプタクルに挿入することであって、前記第２のリードフレームは、前記第２の信号セグメントおよび前記第２の接地セグメントを含む、ことと、
前記第１の信号セグメントおよび前記第１の接地セグメントを含む第１のリードフレームを前記第２のリードフレームに連結することであって、前記第１の信号セグメントを前記第２の信号セグメントに連結するステップと、前記第１の接地セグメントを前記第２の接地セグメントに連結するステップと、を含む、ことと、
を含む、実施態様２５に記載の方法。
【０１５７】
（３１）  前記少なくとも１つのバンクは、第１および第２のバンクを含み、
前記方法は、前記第２のバンクが、前記横方向に垂直な外向き方向に沿って前記第１のバンクから離間するように、前記第１のバンクの後に前記第２のバンクを取り付けることを含む、実施態様２５に記載の方法。
（３２）  前記第１の接地セグメントを前記第２の接地セグメントに連結するステップは、前記第２の接地セグメントに対して７５°〜１０５°の前記角度で前記第１の接地セグメントを配向するように、前記第１の接地セグメントを前記ハウジングの当接表面に当接させることを含む、実施態様２５に記載の方法。
（３３）  角度付き電気コネクタにおいて、
横方向に沿って列に沿って配列されている複数の信号接点であって、各信号接点は、信号装着端部と、前記信号装着端部からオフセットされた信号嵌合端部と、前記信号装着端部から前記信号嵌合端部に向かって延びる第１の信号セグメントと、前記信号嵌合端部から前記信号装着端部に向かって延びる第２の信号セグメントと、を含み、前記第１および第２の信号セグメントは、７５°〜１０５°の角度だけ互いから角度的にオフセットされている、複数の信号接点と、
接地嵌合端部と、前記接地嵌合端部からオフセットされた接地装着端部と、前記接地装着端部から前記接地嵌合端部に向かって延びる第１の接地セグメントと、前記接地嵌合端部から前記接地装着端部に向かって延びる第２の接地セグメントと、を有する接地シールドであって、前記第１および第２の接地セグメントは、７５°〜１０５°の角度だけ互いから角度的にオフセットされ、前記接地シールドは、前記第１の接地セグメントと前記第２の接地セグメントとの間の前記角度を定める前記接地シールドのエルボにおいて複数の窓を画定する、接地シールドと、
を含み、
前記接地シールドは、前記窓のそれぞれが内向き−外向き方向に沿って前記信号接点のうちの少なくとも１つと整列するように、前記信号接点に対して配置されている、角度付き電気コネクタ。
（３４）  各信号接点の前記第１および第２の信号セグメントは、前記信号接点の前記信号装着端部と前記信号嵌合端部との間に連続的な導電経路を形成するように互いに連結され、
前記第１および第２の接地セグメントは、前記接地シールドの前記接地装着端部と前記接地嵌合端部との間に連続的な導電経路を形成するように互いに連結されている、実施態様３３に記載の角度付き電気コネクタ。
（３５）  各信号接点の前記第１および第２の信号セグメントは互いに溶接され、前記接地接点の前記第１および第２の接地セグメントは互いに溶接されている、実施態様３４に記載の角度付き電気コネクタ。
【０１５８】
（３６）  各信号接点の前記第１および第２の信号セグメントは、前記信号接点の前記第１および第２の信号セグメントを互いに連結する、第１および第２の連結特徴部をそれぞれ画定し、
前記第１および第２の接地セグメントは、前記第１および第２の接地セグメントを互いに連結する、少なくとも第１および第２の連結特徴部をそれぞれ画定する、実施態様３４または３５に記載の角度付き電気コネクタ。
（３７）  各信号接点の前記第１および第２の連結特徴部のうちの一方は、開口部を画定し、各信号接点の前記第１および第２の連結特徴部のうちの他方は、前記開口部内に受容される突起を画定し、
前記接地接点の前記第１および第２の連結特徴部のうちの一方は、開口部を画定し、前記接地接点の前記第１および第２の連結特徴部のうちの他方は、前記接地接点の前記開口部内に受容される突起を画定する、実施態様３６に記載の角度付き電気コネクタ。
（３８）  前記信号接点のそれぞれの前記開口部は、前記信号接点の前記第１および第２の信号セグメントのそれぞれを完全に貫通して延び、前記接地接点の前記開口部は、前記接地接点の前記第１および第２の接地セグメントのそれぞれを完全に貫通して延びる、実施態様３７に記載の角度付き電気コネクタ。
（３９）  各信号接点の前記突起は、前記信号接点の前記開口部を完全に貫通して延び、前記接地接点の前記突起は、前記接地接点の前記開口部を完全に貫通して延びる、実施態様３８に記載の角度付き電気コネクタ。
（４０）  前記第１の接地セグメントは、前記横方向に沿って互いから離間している複数の第１の連結特徴部を画定し、前記第２の接地セグメントは、前記横方向に沿って互いから離間している複数の第２の連結特徴部を画定し、各窓は、前記接地接点の前記第１の連結特徴部のうちの２つの間、および前記接地接点の前記第２の連結特徴部のうちの２つの間で、前記横方向に関して整列された位置に画定されている、実施態様３６に記載の角度付き電気コネクタ。
【０１５９】
（４１）  前記信号接点および前記接地接点は、前記窓、前記信号接点、および前記接地接点と交差する共通の曲げ線に沿って、前記横方向に沿って曲げられている、実施態様３３に記載の角度付き電気コネクタ。
（４２）  各信号接点は、前記信号接点の前記第１の信号セグメントと前記第２の信号セグメントとの間に延びる中間信号セグメントを含み、前記信号接点は、ｉ）各中間信号セグメントが、前記横方向に沿って前記接地シールドと位置合わせされるように前記窓のうちの１つに受容され、ｉｉ）各第１および第２の信号セグメントが、前記内向き−外向き方向に沿って前記接地シールドからオフセットされるように、配置されている、実施態様４１に記載の角度付き電気コネクタ。
（４３）  前記窓のそれぞれは、一対の前記信号接点の前記中間信号セグメントを受容する、実施態様４１に記載の角度付き電気コネクタ。
（４４）  各信号接点について、前記信号接点の前記中間信号セグメントは、前記横方向に沿った前記信号接点の第１の信号エッジから前記信号接点の第２の信号エッジまでの幅を有し、前記幅は、前記横方向に沿った前記信号接点の前記第１および第２の信号セグメントのそれぞれの幅よりも大きい、実施態様４１に記載の角度付き電気コネクタ。
（４５）  各信号接点の前記装着端部は、信号装着特徴部を含み、前記接地装着端部は、複数の接地装着特徴部を含み、前記信号装着特徴部および前記接地装着特徴部は、前記横方向に沿って互いに並んでいる、実施態様４１に記載の角度付き電気コネクタ。
【０１６０】
（４６）  角度付き電気コネクタ用の複数の電気接点において、
複数の信号接点であって、それぞれが、
ｉ）信号装着端部、前記信号装着端部からオフセットされた信号嵌合端部、前記信号装着端部から前記信号嵌合端部に向かって延びる第１の信号セグメント、前記信号嵌合端部から前記信号装着端部に向かって延びる第２の信号セグメント、および前記第１の信号セグメントから前記第２の信号セグメントに延びる中間信号セグメント、
ｉｉ）横方向に沿って互いに対向する第１および第２の信号エッジ、ならびに前記横方向に垂直な内向き−外向き方向に沿って互いに対向する第１および第２の信号ブロードサイド、
を含み、前記中間信号セグメントは、前記内向き−外向き方向に沿って前記第１および第２の信号セグメントのそれぞれに対して方向を変えられている、複数の信号接点と、
接地嵌合端部および接地装着端部を有する接地シールドであって、前記接地シールドは、前記接地シールドの屈曲領域において少なくとも１つの窓を画定し、各窓は、前記接地シールドを通って延びる、接地シールドと、
を含み、
前記信号接点は、１）前記横方向に沿って延びる共通の曲げ線が前記窓、前記信号接点、および前記接地シールドと交差するように、前記中間信号セグメントが前記少なくとも１つの窓内に受容され、２）前記第１および第２の信号セグメントが、前記内向き−外向き方向に沿って前記接地シールドからオフセットされるように、配置されている、複数の電気接点。
（４７）  前記信号接点は、前記少なくとも１つの窓のそれぞれが一対の前記信号接点の前記中間信号セグメントを受容するように配置されている、実施態様４６に記載の複数の電気接点。
（４８）  各信号接点について、前記信号接点の前記中間信号セグメントは、前記横方向に沿った前記信号接点の前記第１の信号エッジから前記信号接点の前記第２の信号エッジまでの幅を有し、前記幅は、前記横方向に沿った前記第１および第２の信号セグメントのそれぞれの幅よりも大きい、実施態様４６に記載の複数の電気接点。
（４９）  各信号接点は、その信号装着端部からその信号嵌合端部まで延びるにつれて細長い、実施態様４６に記載の複数の電気接点。
（５０）  前記接地装着端部は、前記横方向に沿って互いから離間される複数の接地装着特徴部を含み、前記信号接点のそれぞれの前記信号装着端部は、信号接点装着特徴部を含み、前記信号接点装着特徴部は、互いに、また前記横方向に沿って前記接地装着特徴部と並んでいる、実施態様４６に記載の複数の電気接点。
【０１６１】
（５１）  前記信号接点装着特徴部の各対は、２つの前記接地装着特徴部の間に配置されている、実施態様５０に記載の複数の電気接点。
（５２）  各信号接点の前記嵌合端部は、信号接点ビームを含み、前記接地シールドは、前記接地嵌合端部に隣接し、前記横方向に沿って互いから離間している複数の嵌合端部開口部を画定し、前記接点ビームのそれぞれは、各信号接点ビームが前記嵌合端部開口部のうちの対応する１つの中に偏向するように構成されるように、選択方向に沿って前記嵌合端部開口部の１つと整列されている、実施態様４６に記載の複数の電気接点。
（５３）  前記横方向に沿って配向され、前記接地シールドを通過せずに前記中間信号セグメントを通過する直線が存在しない、実施態様４６に記載の複数の電気接点。
（５４）  前記接地シールドは、前記接地シールドを通って延びる複数の窓を画定し、前記窓のそれぞれは、前記複数の信号接点のうちの隣接する信号接点の対の前記中間信号セグメントを受容するような大きさにされている、実施態様４６に記載の複数の電気接点。
（５５）  前記曲げ線の周囲で曲げられる前に、前記中間信号セグメントはそれぞれ、前記接地シールドと同一面内にある、実施態様４６に記載の複数の電気接点。
【０１６２】
（５６）  前記接地シールドは、直線状構成にある、実施態様４６に記載の複数の電気接点。
（５７）  前記接地シールドは、前記接地装着端部から前記接地嵌合端部に向かって延びる第１の接地セグメントと、前記接地嵌合端部から前記接地装着端部に向かって延びる第２の接地セグメントと、を含み、前記少なくとも１つの窓は、前記第１の接地セグメントと前記第２の接地セグメントとの間に画定されている、実施態様４６に記載の複数の電気接点。
（５８）  前記接地シールドおよび前記信号接点は、各信号接点の前記第１および第２の信号セグメントが７５°〜１０５°の角度だけ互いから角度的にオフセットされるように、共通の曲げ線に沿って曲げられている、実施態様４６に記載の複数の電気信号接点。
（５９）  各信号接点および前記接地シールドは、前記信号中間信号セグメントを通って前記横方向に沿って延びる屈曲領域を画定し、前記少なくとも１つの窓はそれぞれ、前記屈曲領域に配置されている、実施態様４６に記載の複数の電気接点。
（６０）  リードフレーム組立体において、
実施態様４６から５９のいずれかに記載の電気接点と、
前記電気接点を隣接位置に支持する少なくとも１つの誘電体または電気絶縁インサート本体と、
を含む、リードフレーム組立体。
【０１６３】
（６１）  前記少なくとも１つの誘電体または電気絶縁インサート本体は、前記第１の信号セグメントを支持する第１のインサート本体と、前記第２の信号セグメントを支持する第２のインサート本体と、を備え、前記第１および第２のインサート本体は、互いからオフセットされている、実施態様６０に記載のリードフレーム組立体。
（６２）  前記電気接点は、前記第１のインサート本体と前記第２のインサート本体との間の間隙に屈曲領域を画定する、実施態様６１に記載のリードフレーム組立体。
（６３）  前記間隙内に配置されるように構成されたカバー本体を有する誘電体または電気絶縁カバーを備える、実施態様６２に記載のリードフレーム組立体。
（６４）  電気コネクタにおいて、
実施態様４６から６３のいずれかに記載の第１の複数の電気接点と、
前記第１の複数の電気接点を支持するように構成された誘電体または電気絶縁ハウジングと、
を含む、電気コネクタ。
（６５）  実施態様４６から６３のいずれかに記載の第２の複数の電気接点を含み、前記誘電体または電気絶縁ハウジングは、前記第２の複数の電気接点を支持するように構成されている、実施態様６４に記載の電気コネクタ。
【０１６４】
（６６）  前記誘電体または電気絶縁ハウジングは、前記第２の複数の電気接点が前記第１の複数の電気接点から内向きに離間されるように、前記第２の複数の電気接点を支持するように構成されている、実施態様６５に記載の電気コネクタ。
（６７）  角度付き電気コネクタ用の電気接点を形成する方法において、
複数の信号接点および接地シールドを配置することであって、１）前記信号接点は、横方向に沿って列をなして離間され、２）各信号接点の第１および第２の信号セグメントは、前記横方向に垂直な内向き−外向き方向に沿って前記接地シールドから離間され、各第１の信号セグメントは、前記信号接点のうちのそれぞれの装着端部を画定し、各第２の信号セグメントは、前記信号接点のうちのそれぞれの嵌合端部を画定し、３）前記信号接点それぞれの中間セクションは、前記接地シールドの複数の窓のうちの１つに受容される、ことと、
前記信号接点および前記接地シールドを、前記窓、前記信号接点、および前記接地シールドと交差する共通の曲げ線の周りで曲げることと、
を含む、方法。
（６８）  角度付き電気コネクタにおいて、
横方向に沿って列に沿って配置された複数の信号接点を含み、各信号接点は、信号装着端部と、前記信号装着端部からオフセットされた信号嵌合端部と、前記信号装着端部から前記信号嵌合端部に向かって延びる第１の信号セグメントと、前記信号嵌合端部から前記信号装着端部に向かって延びる第２の信号セグメントと、を含み、前記第１および第２の信号セグメントは、約７５°〜１０５°の角度だけ互いから角度的にオフセットされており、前記第１の信号セグメントおよび前記第２の信号セグメントは、前記第１および第２の信号セグメントのうちの一方の物理的信号全長が前記第１の信号セグメントの前記第２の信号セグメントへの取り付け中に永続的に減少されるように、互いに取り付けられている、角度付き電気コネクタ。
（６９）  前記第１の信号セグメントおよび前記第２の信号セグメントは、前記第１および第２の信号セグメントのうちの前記一方の遠位端部の物理的全幅が前記第１の信号セグメントの前記第２の信号セグメントへの取り付け中に永続的に増加されるように、互いに取り付けられている、実施態様６８に記載の角度付き電気コネクタ。
（７０）  角度付き電気コネクタにおいて、
接地嵌合端部と、前記接地嵌合端部からオフセットされた接地装着端部と、前記接地装着端部から前記接地嵌合端部に向かって延びる第１の接地セグメントと、前記接地嵌合端部から前記接地装着端部に向かって延びる第２の接地セグメントと、を有する接地シールドを含み、前記第１および第２の接地セグメントは、約７５°〜１０５°の角度だけ互いから角度的にオフセットされており、前記第１および第２の接地セグメントのうちの一方の物理的接地全長は、前記第１の接地セグメントの前記第２の接地セグメントへの取り付け中に永続的に減少される、角度付き電気コネクタ。
【０１６５】
（７１）  前記第１の接地セグメントおよび前記第２の接地セグメントは、前記第１および第２の接地セグメントのうちの前記一方の遠位端部の物理的全幅が、前記第１の接地セグメントの前記第２の接地セグメントへの取り付け中に永続的に増加するように、互いに取り付けられている、実施態様７０に記載の角度付き電気コネクタ。
【図１】
2021500721.tif 000003
【図２】
2021500721.tif 000004
【図３】
2021500721.tif 000005
【図４】
2021500721.tif 000006
【図５】
2021500721.tif 000007
【図６】
2021500721.tif 000008
【図７】
2021500721.tif 000009
【図８】
2021500721.tif 000010
【図９】
2021500721.tif 000011
【図１０】
2021500721.tif 000012
【図１１】
2021500721.tif 000013
【図１２】
2021500721.tif 000014
【図１３】
2021500721.tif 000015
【図１４】
2021500721.tif 000016
【図１５】
2021500721.tif 000017
【図１６】
2021500721.tif 000018
【図１７】
2021500721.tif 000019
【図１８】
2021500721.tif 000020
【図１９】
2021500721.tif 000021
【図２０】
2021500721.tif 000022
【図２１】
2021500721.tif 000023
【図２２】
2021500721.tif 000024
【図２３】
2021500721.tif 000025
【図２４】
2021500721.tif 000026
【図２５】
2021500721.tif 000027
【図２６】
2021500721.tif 000028
【図２７】
2021500721.tif 000029
【図２８】
2021500721.tif 000030
【図２９】
2021500721.tif 000031
【図３０】
2021500721.tif 000032
【図３１】
2021500721.tif 000033
【図３２】
2021500721.tif 000034
【国際調査報告】
2021500721.tif 000035
2021500721.tif 000036
2021500721.tif 000037
2021500721.tif 000038